(57)【要約】  本明細書に提示する態様は、精油、抽出物、精油の抽出のための装置および方法、ならびにマイクロ波を用いた植物バイオマス由来の抽出物を提供する。【特許請求の範囲】
【請求項１】
植物バイオマスから抽出物を得る方法であって、
前記抽出物が、精油であり、
前記方法が、
ａ．前記植物バイオマスを得る工程、
ｂ．前記植物バイオマスを、長さを有するコンベヤベルト上に置き、かつ長さを有する容器内へ前記コンベヤベルトを介して前記植物バイオマスを入れる工程であって、
前記植物バイオマスを前記容器内へ、前記コンベヤベルトを第１の速度で移動させることによって入れ、かつ
前記植物バイオマスを前記容器内へ所定の速度で入れる工程、
ｃ．前記植物バイオマスを第１の強度のマイクロ波エネルギーへ、前記バイオマス内の水を蒸発させる温度まで前記バイオマスを加熱するのに十分な時間にわたって供し、それにより留出分を生じさせる工程、および
ｄ．前記留出分を収集する工程
を含む、方法。
【請求項２】
前記水を蒸発させる温度まで前記バイオマスを加熱するのに十分な時間が、前記コンベヤベルトの前記第１の速度、前記コンベヤベルトの前記長さ、前記マイクロ波エネルギーの前記第１の強度、前記容器の前記長さ、前記容器内の前記温度、またはこれらの何らかの組み合わせによって制御される、請求項１記載の方法。
【請求項３】
前記植物バイオマスを前記容器内へ、１時間あたり少なくとも４Ｋｇの植物バイオマスの速度で入れる、請求項１記載の方法。
【請求項４】
前記第１の強度のマイクロ波エネルギーが、１００〜３０００ワットである、請求項１記載の方法。
【請求項５】
前記容器の内部の温度が、摂氏４０〜１００度である、請求項１記載の方法。
【請求項６】
前記収集した留出分が、２００〜３０００ｐｐｍの精油を含む、請求項１記載の方法。
【請求項７】
前記収集した留出分が、前記精油を得るためにさらに加工される、請求項１記載の方法。
【請求項８】
Ｊａｓｍｉｎｉｕｍ種の少なくとも１つの植物から抽出される精油であって、少なくとも７％（ｗ／ｗ）の（ｚ）−ジャスモンを含む、精油。
【請求項９】
前記精油が、７〜１２％（ｗ／ｗ）の（ｚ）−ジャスモンを含む、請求項８記載の精油。
【請求項１０】
前記Ｊａｓｍｉｎｉｕｍ種の前記少なくとも１つの植物が、Ｊａｓｍｉｎｉｕｍ  ｇｒａｎｄｉｆｌｏｒｕｍおよびＪａｓｍｉｎｉｕｍ  ｓａｍｂａｃからなる群から選択される、請求項８記載の精油。
【請求項１１】
前記精油が、少なくとも５％（ｗ／ｗ）の（±）−３，７−ジメチル−１，６−オクタジエン−３−オールを含む、請求項８記載の精油。
【請求項１２】
１２〜１７％（ｗ／ｗ）の（±）−３，７−ジメチル−１，６−オクタジエン−３−オールをさらに含む、請求項８記載の精油。
【請求項１３】
少なくとも２０％（ｗ／ｗ）の酢酸ベンジルをさらに含む、請求項８記載の精油。
【請求項１４】
３〜７％（ｗ／ｗ）の安息香酸ベンジルをさらに含む、請求項８記載の精油。
【請求項１５】
Ｐｉｐｅｒ  ｎｉｇｒｕｍから抽出される精油であって、少なくとも７％（ｗ／ｗ）のサビネン（sabinene）を含む、精油。
【請求項１６】
９〜１５％（ｗ／ｗ）のサビネンを含む、請求項１５記載の精油。
【請求項１７】
１２〜１６％（ｗ／ｗ）のβ−ピネンをさらに含む、請求項１５記載の精油。
【請求項１８】
２０〜３０％（ｗ／ｗ）のリモネンをさらに含む、請求項１５記載の精油。
【請求項１９】
７〜１２％（ｗ／ｗ）のβ−カリオフィレンをさらに含む、請求項１５記載の精油。
【請求項２０】
３％（ｗ／ｗ）未満のピペリンをさらに含む、請求項１５記載の精油。
【請求項２１】
ショウガ根から抽出される精油であって、少なくとも１３％（ｗ／ｗ）のオイカリプトールを含む、精油。
【請求項２２】
１３〜１５％（ｗ／ｗ）のオイカリプトールを含む、請求項２１記載の精油。
【請求項２３】
２〜６％（ｗ／ｗ）の６−メチル−５−ヘプテン−２−オンをさらに含む、請求項２１記載の精油。
【請求項２４】
１９〜２５％（ｗ／ｗ）のネラールをさらに含む、請求項２１記載の精油。
【請求項２５】
２６〜２９％（ｗ／ｗ）のゲラニアールをさらに含む、請求項２１記載の精油。
【請求項２６】
０．１％（ｗ／ｗ）超の２−ヘプタノンをさらに含む、請求項２１記載の精油。
【請求項２７】
０．２％（ｗ／ｗ）超のネロールをさらに含む、請求項２１記載の精油。
【請求項２８】
１％（ｗ／ｗ）未満のゲラニオールをさらに含む、請求項２１記載の精油。
【請求項２９】
１８．５％（ｗ／ｗ）未満のジンギベレンをさらに含む、請求項２１記載の精油。
【請求項３０】
セイヨウナシ由来の抽出物であって、少なくとも０．１％（ｗ／ｗ）の酢酸ヘキシルを含む、抽出物。
【請求項３１】
０．１〜６％（ｗ／ｗ）の酢酸ヘキシルを含む、請求項３０記載の抽出物。
【請求項３２】
３〜１５％（ｗ／ｗ）のアセトールをさらに含む、請求項３０記載の抽出物。
【請求項３３】
２〜８％（ｗ／ｗ）の酢酸をさらに含む、請求項３０記載の抽出物。
【請求項３４】
０．５〜２％（ｗ／ｗ）のフルフラールをさらに含む、請求項３０記載の抽出物。
【請求項３５】
０．５〜２％（ｗ／ｗ）のフルフラールアルコールをさらに含む、請求項３０記載の抽出物。
【請求項３６】
０．２〜２％（ｗ／ｗ）の２−メチル酪酸をさらに含む、請求項３０記載の抽出物。
【請求項３７】
６〜４６％（ｗ／ｗ）の１，３−ジヒドロキシアセトンをさらに含む、請求項３０記載の抽出物。
【請求項３８】
０．２〜７％（ｗ／ｗ）の１，３−オクタンジオールをさらに含む、請求項３０記載の抽出物。
【請求項３９】
０．５〜４％（ｗ／ｗ）の５−ヒドロキシ−５，６−ジヒドロマルトール（dihydroｍａｌｔｏｌ）をさらに含む、請求項３０記載の抽出物。
【請求項４０】
１〜４％（ｗ／ｗ）の５−ヒドロキシメチルフルフラールをさらに含む、請求項３０記載の抽出物。
【請求項４１】
焙煎したコーヒー豆由来の抽出物であって、少なくとも２％（ｗ／ｗ）のコーヒーフラノンを含む、抽出物。
【請求項４２】
２〜２．５％（ｗ／ｗ）のコーヒーフラノンを含む、請求項４１記載の抽出物。
【請求項４３】
３〜４％（ｗ／ｗ）の２−メチルピラジンをさらに含む、請求項４１記載の抽出物。
【請求項４４】
０．５〜２％（ｗ／ｗ）のアセチルメチルカルビノールをさらに含む、請求項４１記載の抽出物。
【請求項４５】
０．５〜８％（ｗ／ｗ）のアセトールをさらに含む、請求項４１記載の抽出物。
【請求項４６】
３５〜４５％（ｗ／ｗ）のフルフリルアルコールをさらに含む、請求項４１記載の抽出物。
【請求項４７】
０．２％（ｗ／ｗ）の２−シクロペンテノンをさらに含む、請求項４１記載の抽出物。
【請求項４８】
芳香水剤、香水、コロン、バスジェル、シャワージェル、シャンプー、ヘアケア製品、化粧用調製物、脱臭剤、エアフレッシュナー、洗剤、布柔軟剤、および清掃用洗浄剤からなる群から選択される、請求項８、１５、もしくは２１のいずれか１項記載の精油を含む、または請求項３０もしくは４１のいずれか１項記載の抽出物を含む、着香品。
【請求項４９】
請求項１から７までのいずれか１項記載の方法によって得られる、抽出物。
【発明の詳細な説明】
【技術分野】
【０００１】
関連出願の相互参照
本出願は、２０１７年８月３１日出願の米国仮特許出願番号第６２／５５２，５９３号、および２０１７年１０月２５日出願の欧州特許出願番号第１７１９８３４７．１号に対する優先権を主張し、その内容全体を本明細書に援用するものとする。
【０００２】
発明の分野
本開示は、精油、抽出物、精油の抽出のための装置および方法、ならびにマイクロ波を用いた植物バイオマス由来の抽出物に関する。
【０００３】
背景技術
植物バイオマスからの精油のマイクロ波支援型抽出は、経済的な発展を制限してきた。マイクロ波支援型抽出法を産業規模まで規模拡大する点で遭遇する問題には、例えば、大量の植物バイオマスから精油を一貫して得ることが含まれる。したがって、産業規模でのマイクロ波支援型抽出法についての必要性がある。
【０００４】
発明の概要
本明細書に提示される一態様は、植物バイオマスから抽出物を得る方法であって、
該方法が、
ａ．植物バイオマスを得る工程、
ｂ．植物バイオマスを、長さを有するコンベヤベルト上に置き、かつ長さを有する容器内へコンベヤベルトを介して植物バイオマスを入れる工程であって、
植物バイオマスを容器内へ、コンベヤベルトを第１の速度で移動させることによって入れ、かつ
植物バイオマスを容器内へ所定の速度で入れる工程、
ｃ．植物バイオマスを第１の強度のマイクロ波エネルギーへ、バイオマス内の水を蒸発させる温度までバイオマスを加熱するのに十分な時間にわたって供し、それにより留出分を生じさせる工程、および
ｄ．留出分を収集する工程
を含む、方法を提供する。
【０００５】
一態様において、抽出物は、精油を含む。
【０００６】
一態様において、水を蒸発させる温度までバイオマスを加熱するのに十分な時間は、コンベヤベルトの第１の速度、コンベヤベルトの長さ、第１の強度のマイクロ波エネルギー、容器の長さ、容器内の温度、またはこれらの何らかの組み合わせによって制御される。
【０００７】
一態様において、植物バイオマスは、１時間あたり４〜１２Ｋｇの植物バイオマスの速度で容器内へ入れられる。
【０００８】
一態様において、第１の強度のマイクロ波エネルギーは、植物バイオマス１Ｋｇあたり０．２〜０．６ＫＷＨである。
【０００９】
一態様において、容器の内部の温度は、摂氏４０〜１００度である。
【００１０】
一態様において、収集された留出分は、２００〜３０００ｐｐｍの精油を含む。
【００１１】
一態様において、収集された留出分は、精油を得るためにさらに加工される。
【００１２】
本明細書に提示される一態様は、Ｊａｓｍｉｎｉｕｍ種の少なくとも１つの植物から抽出された精油を提供し、精油は、少なくとも７％（ｗ／ｗ）の（ｚ）−ジャスモンを含む。
【００１３】
一態様において、精油は、７〜１０％（ｗ／ｗ）の（ｚ）−ジャスモンを含む。
【００１４】
一態様において、Ｊａｓｍｉｎｉｕｍ種の少なくとも１つの植物は、Ｊａｓｍｉｎｉｕｍ  ｇｒａｎｄｉｆｌｏｒｕｍおよびＪａｓｍｉｎｉｕｍ  ｓａｍｂａｃからなる群から選択される。
【００１５】
一態様において、精油は、少なくとも５％（ｗ／ｗ）の（±）−３，７−ジメチル−１，６−オクタジエン−３−オールを含む。
【００１６】
一態様において、精油は、少なくとも１６％（ｗ／ｗ）の（±）−３，７−ジメチル−１，６−オクタジエン−３−オールをさらに含む。
【００１７】
一態様において、精油は、少なくとも２０％（ｗ／ｗ）の酢酸ベンジルをさらに含む。
【００１８】
一態様において、精油は、６％（ｗ／ｗ）以下の安息香酸ベンジルをさらに含む。
【００１９】
本明細書に提示される一態様は、Ｐｉｐｅｒ  ｎｉｇｒｕｍから抽出された精油を提供し、ここで、精油は、少なくとも７％（ｗ／ｗ）のサビネン（sabinene）を含む。
【００２０】
一態様において、精油は、９〜１５％（ｗ／ｗ）のサビネンを含む。
【００２１】
一態様において、精油は、１２〜１６％（ｗ／ｗ）のβ−ピネンをさらに含む。
【００２２】
一態様において、精油は、２０〜３０％（ｗ／ｗ）のリモネンをさらに含む。
【００２３】
一態様において、精油は、７〜１２％（ｗ／ｗ）のβ−カリオフィレンをさらに含む。
【００２４】
一態様において、精油は、３％（ｗ／ｗ）未満のピペリンをさらに含む。
【００２５】
本明細書に提示される一態様は、ショウガ根から抽出された精油を提供し、ここで、精油は、少なくとも１３％（ｗ／ｗ）のオイカリプトールを含む。
【００２６】
一態様において、精油は、１３〜１５％（ｗ／ｗ）のオイカリプトールを含む。
【００２７】
一態様において、精油は、２〜６％（ｗ／ｗ）の６−メチル−５−ヘプテン−２−オンを含む。
【００２８】
一態様において、精油は、１９〜２５％（ｗ／ｗ）のネラールを含む。
【００２９】
一態様において、精油は、２６〜２９％（ｗ／ｗ）のゲラニアールを含む。
【００３０】
一態様において、精油は、０．１％（ｗ／ｗ）超の２−ヘプタノンを含む。
【００３１】
一態様において、精油は、０．２％（ｗ／ｗ）超のネロールを含む。
【００３２】
一態様において、精油は、１％（ｗ／ｗ）未満のゲラニオールを含む。
【００３３】
一態様において、精油は、１８．５％（ｗ／ｗ）未満のジンギベレンを含む。
【００３４】
本明細書に提示される一態様は、セイヨウナシ由来の抽出物を提供し、ここで、抽出物は少なくとも０．１％（ｗ／ｗ）の酢酸ヘキシルを含む。
【００３５】
一態様において、抽出物は、０．１〜６％（ｗ／ｗ）の酢酸ヘキシルを含む。
【００３６】
一態様において、抽出物は、３〜１５％（ｗ／ｗ）のアセトールをさらに含む。
【００３７】
一態様において、抽出物は、２〜８％（ｗ／ｗ）の酢酸をさらに含む。
【００３８】
一態様において、抽出物は、０．５〜２％（ｗ／ｗ）のフルフラールをさらに含む。
【００３９】
一態様において、抽出物は、０．５〜２％（ｗ／ｗ）のフルフラールアルコールをさらに含む。
【００４０】
一態様において、抽出物は、０．２〜２％（ｗ／ｗ）の２−メチル酪酸をさらに含む。
【００４１】
一態様において、抽出物は、６〜４６％（ｗ／ｗ）の１，３−ジヒドロキシアセトンをさらに含む。
【００４２】
一態様において、抽出物は、０．２〜７％（ｗ／ｗ）の１，３−オクタンジオールをさらに含む。
【００４３】
一態様において、抽出物は、０．５〜４％（ｗ／ｗ）の５−ヒドロキシ−５，６−ジヒドロマルトール（dihydroｍａｌｔｏｌ）をさらに含む。
【００４４】
一態様において、抽出物は、１〜４％（ｗ／ｗ）の５−ヒドロキシメチルフルフラールをさらに含む。
【００４５】
本明細書に提示される一態様は、緑茶葉由来の抽出物を提供し、ここで、抽出物は少なくとも１２％（ｗ／ｗ）のカフェインを含む。
【００４６】
一態様において、抽出物は、１２〜３０％（ｗ／ｗ）のカフェインを含む。
【００４７】
一態様において、抽出物は、８％未満のフルフリルアルコールをさらに含む。
【００４８】
一態様において、抽出物は、３，５−オクタジエン−２−オン、β−イオノン、および４，５−エポキシ−β−イオノンをさらに含む。
【００４９】
本明細書に提示される一態様は、焙煎したコーヒー豆由来の抽出物を提供し、ここで、抽出物は少なくとも２％（ｗ／ｗ）のコーヒーフラノンを含む。
【００５０】
一態様において、抽出物は、２〜２．５％（ｗ／ｗ）のコーヒーフラノンを含む。
【００５１】
一態様において、抽出物は、３〜４％（ｗ／ｗ）の２−メチルピラジンをさらに含む。
【００５２】
一態様において、抽出物は、０．５〜２％（ｗ／ｗ）のアセチルメチルカルビノールをさらに含む。
【００５３】
一態様において、抽出物は、０．５〜８％（ｗ／ｗ）のアセトールをさらに含む。
【００５４】
一態様において、抽出物は、３５〜４５％（ｗ／ｗ）のフルフリルアルコールをさらに含む。
【００５５】
一態様において、抽出物は、０．２％（ｗ／ｗ）の２−シクロペンテノンをさらに含む。
【００５６】
本明細書に提示される一態様は、抽出物を提供し、ここで、抽出物は、本明細書に提示する態様のうちのいずれか１つによる方法を介して得られる。
【００５７】
本明細書に提示される一態様は、本明細書に提示されるいくつかの態様による抽出物を含有する着香品を提供し、ここで、着香品は、芳香水剤、香水、コロン、バスジェル、シャワージェル、シャンプー、ヘアケア製品、化粧用調製物、脱臭剤、エアフレッシュナー、洗剤、布柔軟剤、および清掃用洗浄剤からなる群から選択される。
【図面の簡単な説明】
【００５８】
【図１】図１は、本明細書に提示されるいくつかの態様による植物バイオマスから精油を抽出するための装置の描写を示す。
【図２】図２は、本明細書に提示されるいくつかの態様による植物バイオマスから精油を抽出するための装置の描写を示す。
【図３】図３は、本明細書に提示されるいくつかの態様による方法の描写を示す。
【００５９】
詳細な説明
以下の説明において、実施されることができる具体的な実施形態に対する参照がなされており、この参照は実例として示されている。これらの実施形態は、本明細書に説明する本発明を当業者が実施することができるように詳述されており、他の実施形態が利用可能であること、および本明細書に提示する態様の範囲から逸脱することなく論理に基づいた変更が行えることは理解されるべきである。例示的な実施形態の以下の説明はそれゆえ、限定された意味で解釈されるべきではなく、本明細書に提示する種々の態様の範囲は、添付の特許請求の範囲によって規定される。
【００６０】
要約は、読み手が技術的な開示の性質および要旨を迅速に確認することができるように、米国特許法施行規則第１．７２条第（ｂ）項に準拠するように提供されている。要約は、特許請求の範囲または意味を解釈しまたは限定するために使用されることにならないという理解で提出されている。
【００６１】
本明細書に提示するいくつかの態様による方法
いかなる特定の理論にも限定されるよう企図するものではないが、例えば、精油などの抽出物を植物バイオマスから得るための従来法はしばしば、環境および／またはヒトに対して有害であることがある溶剤の使用を必要とする。さらに、従来法はしばしば、抽出物の許容され得る収量に到達するために、多量の溶剤を必要とする。マイクロ波支援型抽出は、従来の抽出法の限界を克服することがあるが、植物バイオマスから精油などの抽出物を得るマイクロ波支援型の方法は、商業的な開発の限界を持ち続けてきた。マイクロ波支援型抽出法を産業規模へ規模拡大する上で遭遇する課題には、例えば、抽出物を多量の植物バイオマスから不変的な方法で得ることが含まれる。さらに、抽出物の嗅覚特性は、抽出過程によってしばしば変化する。変化は、所望ではない嗅覚性を有する化合物の存在または量を含むがこれらに限定されないいくつかの因子に起因し得る。他の変化は、所望の嗅覚性を有する化合物の非存在または低減であってもよい。
【００６２】
結果として、改善された嗅覚特性を有する精油などの抽出物を生成することができる、産業規模のマイクロ波支援型抽出法についての必要性がある。
【００６３】
図１および図２に関して、本開示は、植物バイオマスを端部にある容器内へ連続して入れてマイクロ波エネルギーに供して、バイオマス中に存在する水を蒸発させ、それにより留出分を生じさせる、連続抽出法を提供する。いくつかの態様において、留出分は、所望の抽出物を含有する。いくつかの態様において、抽出物は精油である。図１および図２に示す態様において、処理された植物バイオマスは、反対側の端部にある容器から駆出される。
【００６４】
図１および図２に示す装置は、規模拡大することができる。例えば、コンベヤベルトの長さ、容器の長さ、および／またはコンベヤベルトの速度は、加工されるべき植物バイオマス量および／または所望の抽出物量に応じて増減することができる。
【００６５】
いかなる特定の理論にも限定されるよう企図するものではないが、本明細書に提示する方法および装置は、溶剤の添加を必要とせず、改善された嗅覚特性を有する抽出物、精油を製造する。いくつかの態様において、改善された嗅覚特性は、新鮮な植物と同じかまたは非常に類似している嗅覚特性であることができる。あるいは、改善された嗅覚特性は、例えば、所望ではない嗅覚性などのより少数の人工産物を有する、嗅覚特性であることができる。
【００６６】
図１および図２に示す装置は、改変することができる。改変には、従来の水蒸留を可能にする構造が含まれる。改変の別の例は、重量測定を介して留出分の収集を可能にするための構造であることができる。
【００６７】
改変の別の例は、外部発生蒸気の適用であることができる。いくつかの態様において、蒸気流量も改変されることができる。
【００６８】
改変の別の例は、例えば、再留を介するなどして容器内で留出分を再利用して、留出分を濃縮することであってもよい。再留の一例は、仏国特許出願公開第３００３１８１号明細書に開示されている。
【００６９】
改変の別の例は、内部容器内のくぼみであってよく、これにより、重力測定により留出物を収集して除去することが可能になる。
【００７０】
図３に関して、いくつかの態様において、本開示は、植物バイオマスを容器内へ入れ、マイクロ波エネルギーに供して、バイオマス中に存在する水を蒸発させ、それにより留出分を生じさせる、過程を提供する。図３に示す態様において、留出分は、重量測定によって収集される。
【００７１】
いくつかの態様において、留出分は、いかなる追加の加工もすることなく使用される。あるいは、いくつかの態様において、留出分は、さらに加工される。
【００７２】
さらなる加工の例としては、濃縮、乾燥、薄膜蒸留、樹脂系クロマトグラフィー、およびこれらに類するものが挙げられるが、それらに限定されない。
【００７３】
いくつかの態様において、精油は、留出分の水相から精油をデカンテーションすることによって、留出分から精製される。
【００７４】
いくつかの態様において、留出分は、カラム上へと吸着され、１時間あたり３〜１０床量の流量で溶媒を用いて溶離される。
【００７５】
いくつかの態様において、流量は、１時間あたり４〜１０床量、あるいは５〜１０床量、あるいは６〜１０床量、あるいは７〜１０床量、あるいは８〜１０床量、あるいは９〜１０床量であってよい。
【００７６】
いくつかの態様において、流量は、１時間あたり４〜９床量、あるいは４〜８床量、あるいは４〜７床量、あるいは４〜６床量、あるいは４〜５床量であってよい。
【００７７】
いくつかの態様において、流量は、１時間あたり３床量、または４床量、または５床量、または６床量、または７床量、または８床量、または９床量、または１０床量であってよい。
【００７８】
例えば、図３に提示される態様において、留出分は、ＸＡＤ４樹脂カラム上へと吸着され、１時間あたり５床量の流量のエタノールで溶離される。
【００７９】
他の溶剤には、蒸気、超臨界ＣＯ２、およびこれらに類するものが含まれるが、それらに限定されない。
【００８０】
他の樹脂には、ＸＡＤ１６、およびこれに類するものが含まれるが、それらに限定されない。
【００８１】
いくつかの態様において、本明細書に開示する装置および方法は、例えば、植物バイオマスからの精油などの抽出物の連続抽出のための方法を提供し、回分系抽出は提供しない。いかなる特定の理論にも限定されることを企図するものではないが、開示される装置および方法は結果として、抽出物のロットごとの変動がより小さい。その上、本明細書に開示する装置および方法のパラメータは、留出分の特性を変化させるように調整することができ、こうして抽出物を得ることができる。調整には、コンベヤベルトの第１の速度、コンベヤベルトの長さ、第１の強度のマイクロ波エネルギー、容器の長さ、容器内の温度、植物バイオマスの添加速度、植物バイオマスを処理するのに十分な時間、またはこれらの何らかの組み合わせが含まれるが、それらに限定されない。
【００８２】
いかなる特定の理論にも限定されることを企図するものではないが、本明細書に開示する方法および装置は、当技術分野における他の方法と比較して、再利用不可能な廃棄物が少量となることができる。さらに、本明細書に提示する方法および装置は、当技術分野における他の方法と比較して、ＣＯ２排出量を削減することができる。
【００８３】
さらに、本明細書に提示する方法および装置は、当技術分野における他の方法と比較してエネルギー効率が高い可能性がある。
【００８４】
さらに、本明細書に提示する方法および装置は、当技術分野における他の方法と比較して精油を迅速に製造することができる。
【００８５】
したがって、本明細書に提示するいくつかは、植物バイオマスから抽出物を得る方法であって、
該方法が、
ａ．該植物バイオマスを得る工程、
ｂ．該植物バイオマスを第１の強度のマイクロ波エネルギーへ、該バイオマス内の水を蒸発させる温度まで該バイオマスを加熱するのに十分な時間にわたって供し、それにより留出分を生じさせる工程、および
ｃ．該留出分を収集する工程
を含む、方法を提供する。
【００８６】
本明細書に提示するいくつかの態様は、植物バイオマスから抽出物を得る方法であって、
該方法が、
ａ．該植物バイオマスを得る工程、
ｂ．該植物バイオマスを、長さを有するコンベヤベルト上に置き、かつ長さを有する容器内へ該コンベヤベルトを介して該植物バイオマスを入れる工程であって、
該植物バイオマスを該容器内へ、該コンベヤベルトを第１の速度で移動させることによって入れ、かつ
該植物バイオマスを該容器内へ所定の速度で入れる工程、
ｃ．該植物バイオマスを第１の強度のマイクロ波エネルギーへ、該バイオマス内の水を蒸発させる温度まで該バイオマスを加熱するのに十分な時間にわたって供し、それにより留出分を生じさせる工程、および
ｄ．該留出分を収集する工程
を含む、方法を提供する。
【００８７】
いくつかの態様において、抽出物は精油を含む。
【００８８】
いくつかの態様において、水を蒸発させる温度までバイオマスを加熱するのに十分な時間は、コンベヤベルトの第１の速度、コンベヤベルトの長さ、第１の強度のマイクロ波エネルギー、容器の長さ、またはこれらの何らかの組み合わせによって制御される。
【００８９】
したがって、いくつかの態様において、コンベヤベルトの長さは少なくとも１メートルである。いくつかの態様において、コンベヤベルトの長さは少なくとも１．５メートル、または少なくとも２メートル、または少なくとも２．５メートル、または少なくとも３メートル、または少なくとも３．５メートル、または少なくとも４メートル、または少なくとも４．５メートル、または少なくとも５メートル、または少なくとも５．５メートル、または少なくとも６メートル、または少なくとも６．５メートル、または少なくとも７メートル、または少なくとも７．５メートル、または少なくとも８メートル、または少なくとも８．５メートル、または少なくとも９メートル、または少なくとも９．５メートル、または少なくとも１０メートルである。
【００９０】
同様に、いくつかの態様において、容器の長さは少なくとも１メートルである。いくつかの態様において、容器の長さは少なくとも１．５メートル、または少なくとも２メートル、または少なくとも２．５メートル、または少なくとも３メートル、または少なくとも３．５メートル、または少なくとも４メートル、または少なくとも４．５メートル、または少なくとも５メートル、または少なくとも５．５メートル、または少なくとも６メートル、または少なくとも６．５メートル、または少なくとも７メートル、または少なくとも７．５メートル、または少なくとも８メートル、または少なくとも８．５メートル、または少なくとも９メートル、または少なくとも９．５メートル、または少なくとも１０メートルである。
【００９１】
いくつかの態様において、植物バイオマスを、１２Ｋｇ／時以上の速度で入れる。いくつかの態様において、植物バイオマスを、０．５〜１２Ｋｇ／時の速度で入れる。いくつかの態様において、植物バイオマスを、０．５〜１１．５Ｋｇ／時の速度で入れる。いくつかの態様において、植物バイオマスを、０．５〜１１Ｋｇ／時の速度で入れる。いくつかの態様において、植物バイオマスを、０．５〜１０．５Ｋｇ／時の速度で入れる。いくつかの態様において、植物バイオマスを、０．５〜１０Ｋｇ／時の速度で入れる。いくつかの態様において、植物バイオマスを、０．５〜９．５Ｋｇ／時の速度で入れる。いくつかの態様において、植物バイオマスを、０．５〜９Ｋｇ／時の速度で入れる。いくつかの態様において、植物バイオマスを、０．５〜８．５Ｋｇ／時の速度で入れる。いくつかの態様において、植物バイオマスを、０．５〜８Ｋｇ／時の速度で入れる。いくつかの態様において、植物バイオマスを、０．５〜７．５Ｋｇ／時の速度で入れる。いくつかの態様において、植物バイオマスを、０．５〜７Ｋｇ／時の速度で入れる。いくつかの態様において、植物バイオマスを、０．５〜６．５Ｋｇ／時の速度で入れる。いくつかの態様において、植物バイオマスを、０．５〜６Ｋｇ／時の速度で入れる。いくつかの態様において、植物バイオマスを、０．５〜５．５Ｋｇ／時の速度で入れる。いくつかの態様において、植物バイオマスを、０．５〜５Ｋｇ／時の速度で入れる。いくつかの態様において、植物バイオマスを、０．５〜４．５Ｋｇ／時の速度で入れる。いくつかの態様において、植物バイオマスを、０．５〜４Ｋｇ／時の速度で入れる。いくつかの態様において、植物バイオマスを、０．５〜３．５Ｋｇ／時の速度で入れる。いくつかの態様において、植物バイオマスを、０．５〜３Ｋｇ／時の速度で入れる。いくつかの態様において、植物バイオマスを、０．５〜２．５Ｋｇ／時の速度で入れる。いくつかの態様において、植物バイオマスを、０．５〜２Ｋｇ／時の速度で入れる。いくつかの態様において、植物バイオマスを、０．５〜１．５Ｋｇ／時の速度で入れる。いくつかの態様において、植物バイオマスを、０．５〜１Ｋｇ／時の速度で入れる。
【００９２】
いくつかの態様において、植物バイオマスを、１〜１２Ｋｇ／時の速度で入れる。いくつかの態様において、植物バイオマスを、１．５〜１２Ｋｇ／時の速度で入れる。いくつかの態様において、植物バイオマスを、２〜１２Ｋｇ／時の速度で入れる。いくつかの態様において、植物バイオマスを、２．５〜１２Ｋｇ／時の速度で入れる。いくつかの態様において、植物バイオマスを、３〜１２Ｋｇ／時の速度で入れる。いくつかの態様において、植物バイオマスを、３．５〜１２Ｋｇ／時の速度で入れる。いくつかの態様において、植物バイオマスを、４〜１２Ｋｇ／時の速度で入れる。いくつかの態様において、植物バイオマスを、４．５〜１２Ｋｇ／時の速度で入れる。いくつかの態様において、植物バイオマスを、５〜１２Ｋｇ／時の速度で入れる。いくつかの態様において、植物バイオマスを、５．５〜１２Ｋｇ／時の速度で入れる。いくつかの態様において、植物バイオマスを、６〜１２Ｋｇ／時の速度で入れる。いくつかの態様において、植物バイオマスを、６．５〜１２Ｋｇ／時の速度で入れる。いくつかの態様において、植物バイオマスを、７〜１２Ｋｇ／時の速度で入れる。いくつかの態様において、植物バイオマスを、７．５〜１２Ｋｇ／時の速度で入れる。いくつかの態様において、植物バイオマスを、８〜１２Ｋｇ／時の速度で入れる。いくつかの態様において、植物バイオマスを、８．５〜１２Ｋｇ／時の速度で入れる。いくつかの態様において、植物バイオマスを、９〜１２Ｋｇ／時の速度で入れる。いくつかの態様において、植物バイオマスを、９．５〜１２Ｋｇ／時の速度で入れる。いくつかの態様において、植物バイオマスを、１０〜１２Ｋｇ／時の速度で入れる。いくつかの態様において、植物バイオマスを、１０．５〜１２Ｋｇ／時の速度で入れる。いくつかの態様において、植物バイオマスを、１１〜１２Ｋｇ／時の速度で入れる。いくつかの態様において、植物バイオマスを、１１．５〜１２Ｋｇ／時の速度で入れる。
【００９３】
いくつかの態様において、植物バイオマスを１時間あたり０．５Ｋｇ、または１Ｋｇ、または１．５Ｋｇ、または２Ｋｇ、または２．５Ｋｇ、または３Ｋｇ、または３．５Ｋｇ、または４Ｋｇ、または４．５Ｋｇ、または５Ｋｇ、または５．５Ｋｇ、または６Ｋｇ、または６．５Ｋｇ、または７Ｋｇ、または７．５Ｋｇ、または８Ｋｇ、または８．５Ｋｇ、または９Ｋｇ、または９．５Ｋｇ、または１０Ｋｇ、または１０．５Ｋｇ、または１１Ｋｇ、または１１．５Ｋｇ、または１２Ｋｇで入れる。
【００９４】
いくつかの態様において、植物バイオマスを１時間あたり少なくとも４Ｋｇの植物バイオマスの速度で容器に入れる。
【００９５】
いくつかの態様において、十分な時間は、２０〜４５分である。いくつかの態様において、十分な時間は、２５〜４５分である。いくつかの態様において、十分な時間は、３０〜４５分である。いくつかの態様において、十分な時間は、３５〜４５分である。いくつかの態様において、十分な時間は、４０〜４５分である。
【００９６】
いくつかの態様において、十分な時間は、２０〜４０分である。いくつかの態様において、十分な時間は、２５〜３５分である。いくつかの態様において、十分な時間は、２０〜３０分である。いくつかの態様において、十分な時間は、２０〜２５分である。
【００９７】
いくつかの態様において、十分な時間は、２０分、または２５分、または３０分、または３５分、または４０分、または４５分である。
【００９８】
いくつかの態様において、第１の強度のマイクロ波エネルギーは、１００〜３０００ワットである。いくつかの態様において、第１の強度のマイクロ波エネルギーは、１００〜２９００ワットである。いくつかの態様において、第１の強度のマイクロ波エネルギーは、１００〜２８００ワットである。いくつかの態様において、第１の強度のマイクロ波エネルギーは、１００〜２７００ワットである。いくつかの態様において、第１の強度のマイクロ波エネルギーは、１００〜２６００ワットである。いくつかの態様において、第１の強度のマイクロ波エネルギーは、１００〜２５００ワットである。いくつかの態様において、第１の強度のマイクロ波エネルギーは、１００〜２４００ワットである。いくつかの態様において、第１の強度のマイクロ波エネルギーは、１００〜２３００ワットである。いくつかの態様において、第１の強度のマイクロ波エネルギーは、１００〜２２００ワットである。いくつかの態様において、第１の強度のマイクロ波エネルギーは、１００〜２１００ワットである。いくつかの態様において、第１の強度のマイクロ波エネルギーは、１００〜２０００ワットである。いくつかの態様において、第１の強度のマイクロ波エネルギーは、１００〜１９００ワットである。いくつかの態様において、第１の強度のマイクロ波エネルギーは、１００〜１８００ワットである。いくつかの態様において、第１の強度のマイクロ波エネルギーは、１００〜１７００ワットである。いくつかの態様において、第１の強度のマイクロ波エネルギーは、１００〜１６００ワットである。いくつかの態様において、第１の強度のマイクロ波エネルギーは、１００〜１５００ワットである。いくつかの態様において、第１の強度のマイクロ波エネルギーは、１００〜１４００ワットである。いくつかの態様において、第１の強度のマイクロ波エネルギーは、１００〜１３００ワットである。いくつかの態様において、第１の強度のマイクロ波エネルギーは、１００〜１２００ワットである。いくつかの態様において、第１の強度のマイクロ波エネルギーは、１００〜１１００ワットである。いくつかの態様において、第１の強度のマイクロ波エネルギーは、１００〜１０００ワットである。いくつかの態様において、第１の強度のマイクロ波エネルギーは、１００〜９００ワットである。いくつかの態様において、第１の強度のマイクロ波エネルギーは、１００〜８００ワットである。いくつかの態様において、第１の強度のマイクロ波エネルギーは、１００〜７００ワットである。いくつかの態様において、第１の強度のマイクロ波エネルギーは、１００〜６００ワットである。いくつかの態様において、第１の強度のマイクロ波エネルギーは、１００〜５００ワットである。いくつかの態様において、第１の強度のマイクロ波エネルギーは、１００〜４００ワットである。いくつかの態様において、第１の強度のマイクロ波エネルギーは、１００〜３００ワットである。いくつかの態様において、第１の強度のマイクロ波エネルギーは、１００〜２００ワットである。
【００９９】
いくつかの態様において、第１の強度のマイクロ波エネルギーは、２００〜３０００ワットである。いくつかの態様において、第１の強度のマイクロ波エネルギーは、３００〜３０００ワットである。いくつかの態様において、第１の強度のマイクロ波エネルギーは、４００〜３０００ワットである。いくつかの態様において、第１の強度のマイクロ波エネルギーは、５００〜３０００ワットである。いくつかの態様において、第１の強度のマイクロ波エネルギーは、６００〜３０００ワットである。いくつかの態様において、第１の強度のマイクロ波エネルギーは、７００〜３０００ワットである。いくつかの態様において、第１の強度のマイクロ波エネルギーは、８００〜３０００ワットである。いくつかの態様において、第１の強度のマイクロ波エネルギーは、９００〜３０００ワットである。いくつかの態様において、第１の強度のマイクロ波エネルギーは、１０００〜３０００ワットである。いくつかの態様において、第１の強度のマイクロ波エネルギーは、１１００〜３０００ワットである。いくつかの態様において、第１の強度のマイクロ波エネルギーは、１２００〜３０００ワットである。いくつかの態様において、第１の強度のマイクロ波エネルギーは、１３００〜３０００ワットである。いくつかの態様において、第１の強度のマイクロ波エネルギーは、１４００〜３０００ワットである。いくつかの態様において、第１の強度のマイクロ波エネルギーは、１５００〜３０００ワットである。いくつかの態様において、第１の強度のマイクロ波エネルギーは、１６００〜３０００ワットである。いくつかの態様において、第１の強度のマイクロ波エネルギーは、１７００〜３０００ワットである。いくつかの態様において、第１の強度のマイクロ波エネルギーは、１８００〜３０００ワットである。いくつかの態様において、第１の強度のマイクロ波エネルギーは、１９００〜３０００ワットである。いくつかの態様において、第１の強度のマイクロ波エネルギーは、２０００〜３０００ワットである。いくつかの態様において、第１の強度のマイクロ波エネルギーは、２１００〜３０００ワットである。いくつかの態様において、第１の強度のマイクロ波エネルギーは、２２００〜３０００ワットである。いくつかの態様において、第１の強度のマイクロ波エネルギーは、２３００〜３０００ワットである。いくつかの態様において、第１の強度のマイクロ波エネルギーは、２４００〜３０００ワットである。いくつかの態様において、第１の強度のマイクロ波エネルギーは、２５００〜３０００ワットである。いくつかの態様において、第１の強度のマイクロ波エネルギーは、２６００〜３０００ワットである。いくつかの態様において、第１の強度のマイクロ波エネルギーは、２７００〜３０００ワットである。いくつかの態様において、第１の強度のマイクロ波エネルギーは、２８００〜３０００ワットである。いくつかの態様において、第１の強度のマイクロ波エネルギーは、２９００〜３０００ワットである。
【０１００】
いくつかの態様において、第１の強度のマイクロ波エネルギーは、２００ワット、または３００ワット、または４００ワット、または５００ワット、または６００ワット、または７００ワット、または８００ワット、または９００ワット、または１０００ワット、または１１００ワット、または１２００ワット、または１３００ワット、または１４００ワット、または１５００ワット、または１６００ワット、または１７００ワット、または１８００ワット、または１９００ワット、または２０００ワット、または２１００ワット、または２２００ワット、または２３００ワット、または２４００ワット、または２５００ワット、または２６００ワット、または２７００ワット、または２８００ワット、または２９００ワット、または３０００ワットである。
【０１０１】
いくつかの態様において、第１の強度のマイクロ波エネルギーは、２００ワットである。いくつかの態様において、第１の強度は、２００ワット未満である。いくつかの態様において、第１の強度は、バイオマス内の水を蒸発させるのに十分な強度である。
【０１０２】
いくつかの態様において、第１の強度のマイクロ波エネルギーは、０．２ＫＷＨ／Ｋｇバイオマス〜０．６ＫＷＨ／Ｋｇバイオマスである。いくつかの態様において、第１の強度のマイクロ波エネルギーは、０．２５ＫＷＨ／Ｋｇバイオマス〜０．６ＫＷＨ／Ｋｇバイオマスである。いくつかの態様において、第１の強度のマイクロ波エネルギーは、０．３ＫＷＨ／Ｋｇバイオマス〜０．６ＫＷＨ／Ｋｇバイオマスである。いくつかの態様において、第１の強度のマイクロ波エネルギーは、０．３５ＫＷＨ／Ｋｇバイオマス〜０．６ＫＷＨ／Ｋｇバイオマスである。いくつかの態様において、第１の強度のマイクロ波エネルギーは、０．４ＫＷＨ／Ｋｇバイオマス〜０．６ＫＷＨ／Ｋｇバイオマスである。いくつかの態様において、第１の強度のマイクロ波エネルギーは、０．４５ＫＷＨ／Ｋｇバイオマス〜０．６ＫＷＨ／Ｋｇバイオマスである。いくつかの態様において、第１の強度のマイクロ波エネルギーは、０．３ＫＷＨ／Ｋｇバイオマス〜０．５ＫＷＨ／Ｋｇバイオマスである。いくつかの態様において、第１の強度のマイクロ波エネルギーは、０．５５ＫＷＨ／Ｋｇバイオマス〜０．６ＫＷＨ／Ｋｇバイオマスである。
【０１０３】
いくつかの態様において、第１の強度のマイクロ波エネルギーは、０．２ＫＷＨ／Ｋｇバイオマス〜０．５５ＫＷＨ／Ｋｇバイオマスである。いくつかの態様において、第１の強度のマイクロ波エネルギーは、０．２ＫＷＨ／Ｋｇバイオマス〜０．５ＫＷＨ／Ｋｇバイオマスである。いくつかの態様において、第１の強度のマイクロ波エネルギーは、０．２ＫＷＨ／Ｋｇバイオマス〜０．４５ＫＷＨ／Ｋｇバイオマスである。いくつかの態様において、第１の強度のマイクロ波エネルギーは、０．２ＫＷＨ／Ｋｇバイオマス〜０．４ＫＷＨ／Ｋｇバイオマスである。いくつかの態様において、第１の強度のマイクロ波エネルギーは、０．２ＫＷＨ／Ｋｇバイオマス〜０．３５ＫＷＨ／Ｋｇバイオマスである。いくつかの態様において、第１の強度のマイクロ波エネルギーは、０．２ＫＷＨ／Ｋｇバイオマス〜０．３ＫＷＨ／Ｋｇバイオマスである。いくつかの態様において、第１の強度のマイクロ波エネルギーは、０．２ＫＷＨ／Ｋｇバイオマス〜０．２５ＫＷＨ／Ｋｇバイオマスである。
【０１０４】
いくつかの態様において、第１の強度のマイクロ波エネルギーは、０．２ＫＷＨ／Ｋｇバイオマス、または０．２５ＫＷＨ／Ｋｇバイオマス、または０．３ＫＷＨ／Ｋｇバイオマス、または０．３５ＫＷＨ／Ｋｇバイオマス、または０．４ＫＷＨ／Ｋｇバイオマス、または０．４５ＫＷＨ／Ｋｇバイオマス、または０．５ＫＷＨ／Ｋｇバイオマス、または０．５５ＫＷＨ／Ｋｇバイオマス、または０．６ＫＷＨ／Ｋｇバイオマスである。
【０１０５】
いくつかの態様において、第１の強度は、該方法の間、第２の強度まで上昇するか、またはそれに代わるものとして低下するかのいずれかであることができる。
【０１０６】
いくつかの態様において、容器の内部の温度は、摂氏４０〜１００度である。いくつかの態様において、容器の内部の温度は、摂氏４０〜９０度である。いくつかの態様において、容器の内部の温度は、摂氏４０〜８０度である。いくつかの態様において、容器の内部の温度は、摂氏４０〜７０度である。いくつかの態様において、容器の内部の温度は、摂氏４０〜６０度である。いくつかの態様において、容器の内部の温度は、摂氏４０〜５０度である。
【０１０７】
いくつかの態様において、容器の内部の温度は、摂氏５０〜１００度である。いくつかの態様において、容器の内部の温度は、摂氏６０〜１００度である。いくつかの態様において、容器の内部の温度は、摂氏７０〜１００度である。いくつかの態様において、容器の内部の温度は、摂氏８０〜１００度である。いくつかの態様において、容器の内部の温度は、摂氏９０〜１００度である。
【０１０８】
いくつかの態様において、容器の内部の温度は、摂氏６０〜８０度である。
【０１０９】
いくつかの態様において、容器の内部の温度は、摂氏４０度、または摂氏５０度、または摂氏６０度、または摂氏７０度、または摂氏８０度、または摂氏９０度、または摂氏１００度である。
【０１１０】
いくつかの態様において、容器の内部の温度は、該方法の間、第２の温度まで上昇するか、またはそれに代わるものとして低下するかのいずれかであることができる。
【０１１１】
いくつかの態様において、収集された留出分は、水性抽出物を含む。いくつかの態様において、収集された留出分は、精油を含む。いくつかの態様において、精油は、水性抽出物から得られる。
【０１１２】
いくつかの態様において、収集された留出分は、２００〜３０００ｐｐｍの精油を含む。いくつかの態様において、収集された留出分は、２００〜２９００ｐｐｍの精油を含む。いくつかの態様において、収集された留出分は、２００〜２８００ｐｐｍの精油を含む。いくつかの態様において、収集された留出分は、２００〜２７００ｐｐｍの精油を含む。いくつかの態様において、収集された留出分は、２００〜２６００ｐｐｍの精油を含む。いくつかの態様において、収集された留出分は、２００〜２５００ｐｐｍの精油を含む。いくつかの態様において、収集された留出分は、２００〜２４００ｐｐｍの精油を含む。いくつかの態様において、収集された留出分は、２００〜２３００ｐｐｍの精油を含む。いくつかの態様において、収集された留出分は、２００〜２２００ｐｐｍの精油を含む。いくつかの態様において、収集された留出分は、２００〜２１００ｐｐｍの精油を含む。いくつかの態様において、収集された留出分は、２００〜２０００ｐｐｍの精油を含む。いくつかの態様において、収集された留出分は、２００〜１９００ｐｐｍの精油を含む。いくつかの態様において、収集された留出分は、２００〜１８００ｐｐｍの精油を含む。いくつかの態様において、収集された留出分は、２００〜１７００ｐｐｍの精油を含む。いくつかの態様において、収集された留出分は、２００〜１６００ｐｐｍの精油を含む。いくつかの態様において、収集された留出分は、２００〜１５００ｐｐｍの精油を含む。いくつかの態様において、収集された留出分は、２００〜１４００ｐｐｍの精油を含む。いくつかの態様において、収集された留出分は、２００〜１３００ｐｐｍの精油を含む。いくつかの態様において、収集された留出分は、２００〜１２００ｐｐｍの精油を含む。いくつかの態様において、収集された留出分は、２００〜１１００ｐｐｍの精油を含む。いくつかの態様において、収集された留出分は、２００〜１０００ｐｐｍの精油を含む。いくつかの態様において、収集された留出分は、２００〜９００ｐｐｍの精油を含む。いくつかの態様において、収集された留出分は、２００〜８００ｐｐｍの精油を含む。いくつかの態様において、収集された留出分は、２００〜７００ｐｐｍの精油を含む。いくつかの態様において、収集された留出分は、２００〜６００ｐｐｍの精油を含む。いくつかの態様において、収集された留出分は、２００〜５００ｐｐｍの精油を含む。いくつかの態様において、収集された留出分は、２００〜４００ｐｐｍの精油を含む。いくつかの態様において、収集された留出分は、２００〜３００ｐｐｍの精油を含む。
【０１１３】
いくつかの態様において、収集された留出分は、３００〜３０００ｐｐｍの精油を含む。いくつかの態様において、収集された留出分は、４００〜３０００ｐｐｍの精油を含む。いくつかの態様において、収集された留出分は、５００〜３０００ｐｐｍの精油を含む。いくつかの態様において、収集された留出分は、６００〜３０００ｐｐｍの精油を含む。いくつかの態様において、収集された留出分は、７００〜３０００ｐｐｍの精油を含む。いくつかの態様において、収集された留出分は、８００〜３０００ｐｐｍの精油を含む。いくつかの態様において、収集された留出分は、９００〜３０００ｐｐｍの精油を含む。いくつかの態様において、収集された留出分は、１０００〜３０００ｐｐｍの精油を含む。いくつかの態様において、収集された留出分は、１１００〜３０００ｐｐｍの精油を含む。いくつかの態様において、収集された留出分は、１２００〜３０００ｐｐｍの精油を含む。いくつかの態様において、収集された留出分は、１３００〜３０００ｐｐｍの精油を含む。いくつかの態様において、収集された留出分は、１４００〜３０００ｐｐｍの精油を含む。いくつかの態様において、収集された留出分は、１５００〜３０００ｐｐｍの精油を含む。いくつかの態様において、収集された留出分は、１６００〜３０００ｐｐｍの精油を含む。いくつかの態様において、収集された留出分は、１７００〜３０００ｐｐｍの精油を含む。いくつかの態様において、収集された留出分は、１８００〜３０００ｐｐｍの精油を含む。いくつかの態様において、収集された留出分は、１９００〜３０００ｐｐｍの精油を含む。いくつかの態様において、収集された留出分は、２０００〜３０００ｐｐｍの精油を含む。いくつかの態様において、収集された留出分は、２１００〜３０００ｐｐｍの精油を含む。いくつかの態様において、収集された留出分は、２２００〜３０００ｐｐｍの精油を含む。いくつかの態様において、収集された留出分は、２３００〜３０００ｐｐｍの精油を含む。いくつかの態様において、収集された留出分は、２４００〜３０００ｐｐｍの精油を含む。いくつかの態様において、収集された留出分は、２５００〜３０００ｐｐｍの精油を含む。いくつかの態様において、収集された留出分は、２６００〜３０００ｐｐｍの精油を含む。いくつかの態様において、収集された留出分は、２７００〜３０００ｐｐｍの精油を含む。いくつかの態様において、収集された留出分は、２８００〜３０００ｐｐｍの精油を含む。いくつかの態様において、収集された留出分は、２９００〜３０００ｐｐｍの精油を含む。
【０１１４】
いくつかの態様において、収集された留出分は、２００ｐｐｍの精油、または３００ｐｐｍの精油、または４００ｐｐｍの精油、または５００ｐｐｍの精油、または６００ｐｐｍの精油、または７００ｐｐｍの精油、または８００ｐｐｍの精油、または９００ｐｐｍの精油、または１０００ｐｐｍの精油、または１１００ｐｐｍの精油、または１２００ｐｐｍの精油、または１３００ｐｐｍの精油、または１４００ｐｐｍの精油、または１５００ｐｐｍの精油、または１６００ｐｐｍの精油、または１７００ｐｐｍの精油、または１８００ｐｐｍの精油、または１９００ｐｐｍの精油、または２０００ｐｐｍの精油、または２１００ｐｐｍの精油、または２２００ｐｐｍの精油、または２３００ｐｐｍの精油、または２４００ｐｐｍの精油、または２５００ｐｐｍの精油、または２６００ｐｐｍの精油、または２７００ｐｐｍの精油、または２８００ｐｐｍの精油、または２９００ｐｐｍの精油、または３０００ｐｐｍの精油を含む。
【０１１５】
いくつかの態様において、収集された留出分は、さらに加工され、それにより結果として、２００〜３０００ｐｐｍの精油を含む組成物を生じる。いくつかの態様において、組成物は、２００〜２９００ｐｐｍの精油を含む。いくつかの態様において、組成物は、２００〜２８００ｐｐｍの精油を含む。いくつかの態様において、組成物は、２００〜２７００ｐｐｍの精油を含む。いくつかの態様において、組成物は、２００〜２６００ｐｐｍの精油を含む。いくつかの態様において、組成物は、２００〜２５００ｐｐｍの精油を含む。いくつかの態様において、組成物は、２００〜２４００ｐｐｍの精油を含む。いくつかの態様において、組成物は、２００〜２３００ｐｐｍの精油を含む。いくつかの態様において、組成物は、２００〜２２００ｐｐｍの精油を含む。いくつかの態様において、組成物は、２００〜２１００ｐｐｍの精油を含む。いくつかの態様において、組成物は、２００〜２０００ｐｐｍの精油を含む。いくつかの態様において、組成物は、２００〜１９００ｐｐｍの精油を含む。いくつかの態様において、組成物は、２００〜１８００ｐｐｍの精油を含む。いくつかの態様において、組成物は、２００〜１７００ｐｐｍの精油を含む。いくつかの態様において、組成物は、２００〜１６００ｐｐｍの精油を含む。いくつかの態様において、組成物は、２００〜１５００ｐｐｍの精油を含む。いくつかの態様において、組成物は、２００〜１４００ｐｐｍの精油を含む。いくつかの態様において、組成物は、２００〜１３００ｐｐｍの精油を含む。いくつかの態様において、組成物は、２００〜１２００ｐｐｍの精油を含む。いくつかの態様において、組成物は、２００〜１１００ｐｐｍの精油を含む。いくつかの態様において、組成物は、２００〜１０００ｐｐｍの精油を含む。いくつかの態様において、組成物は、２００〜９００ｐｐｍの精油を含む。いくつかの態様において、組成物は、２００〜８００ｐｐｍの精油を含む。いくつかの態様において、組成物は、２００〜７００ｐｐｍの精油を含む。いくつかの態様において、組成物は、２００〜６００ｐｐｍの精油を含む。いくつかの態様において、組成物は、２００〜５００ｐｐｍの精油を含む。いくつかの態様において、組成物は、２００〜４００ｐｐｍの精油を含む。いくつかの態様において、組成物は、２００〜３００ｐｐｍの精油を含む。
【０１１６】
いくつかの態様において、組成物は、３００〜３０００ｐｐｍの精油を含む。いくつかの態様において、組成物は、４００〜３０００ｐｐｍの精油を含む。いくつかの態様において、組成物は、５００〜３０００ｐｐｍの精油を含む。いくつかの態様において、組成物は、６００〜３０００ｐｐｍの精油を含む。いくつかの態様において、組成物は、７００〜３０００ｐｐｍの精油を含む。いくつかの態様において、組成物は、８００〜３０００ｐｐｍの精油を含む。いくつかの態様において、組成物は、９００〜３０００ｐｐｍの精油を含む。いくつかの態様において、組成物は、１０００〜３０００ｐｐｍの精油を含む。いくつかの態様において、組成物は、１１００〜３０００ｐｐｍの精油を含む。いくつかの態様において、組成物は、１２００〜３０００ｐｐｍの精油を含む。いくつかの態様において、組成物は、１３００〜３０００ｐｐｍの精油を含む。いくつかの態様において、組成物は、１４００〜３０００ｐｐｍの精油を含む。いくつかの態様において、組成物は、１５００〜３０００ｐｐｍの精油を含む。いくつかの態様において、組成物は、１６００〜３０００ｐｐｍの精油を含む。いくつかの態様において、組成物は、１７００〜３０００ｐｐｍの精油を含む。いくつかの態様において、組成物は、１８００〜３０００ｐｐｍの精油を含む。いくつかの態様において、組成物は、１９００〜３０００ｐｐｍの精油を含む。いくつかの態様において、組成物は、２０００〜３０００ｐｐｍの精油を含む。いくつかの態様において、組成物は、２１００〜３０００ｐｐｍの精油を含む。いくつかの態様において、組成物は、２２００〜３０００ｐｐｍの精油を含む。いくつかの態様において、組成物は、２３００〜３０００ｐｐｍの精油を含む。いくつかの態様において、組成物は、２４００〜３０００ｐｐｍの精油を含む。いくつかの態様において、組成物は、２５００〜３０００ｐｐｍの精油を含む。いくつかの態様において、組成物は、２６００〜３０００ｐｐｍの精油を含む。いくつかの態様において、組成物は、２７００〜３０００ｐｐｍの精油を含む。いくつかの態様において、組成物は、２８００〜３０００ｐｐｍの精油を含む。いくつかの態様において、組成物は、２９００〜３０００ｐｐｍの精油を含む。
【０１１７】
いくつかの態様において、組成物は、２００ｐｐｍの精油、または３００ｐｐｍの精油、または４００ｐｐｍの精油、または５００ｐｐｍの精油、または６００ｐｐｍの精油、または７００ｐｐｍの精油、または８００ｐｐｍの精油、または９００ｐｐｍの精油、または１０００ｐｐｍの精油、または１１００ｐｐｍの精油、または１２００ｐｐｍの精油、または１３００ｐｐｍの精油、または１４００ｐｐｍの精油、または１５００ｐｐｍの精油、または１６００ｐｐｍの精油、または１７００ｐｐｍの精油、または１８００ｐｐｍの精油、または１９００ｐｐｍの精油、または２０００ｐｐｍの精油、または２１００ｐｐｍの精油、または２２００ｐｐｍの精油、または２３００ｐｐｍの精油、または２４００ｐｐｍの精油、または２５００ｐｐｍの精油、または２６００ｐｐｍの精油、または２７００ｐｐｍの精油、または２８００ｐｐｍの精油、または２９００ｐｐｍの精油、または３０００ｐｐｍの精油を含む。
【０１１８】
本明細書に提示するいくつかの態様による植物バイオマス
本明細書で使用する場合、「バイオマス」という用語は、植物から単離され、誘導され、または得られる有機材料を指す。植物バイオマスは、例えば、葉、花、茎、根、果実、植物全体、種子、またはこれらの何らかの組み合わせなど、植物の何らかの部分から単離されることができ、誘導されることができ、または得られることができる。
【０１１９】
植物バイオマスは、新鮮に得られることができ、またはそれに代わるものとして、植物バイオマスは乾燥させることができる。本明細書で使用する場合、「新鮮に得られる」という用語は、植物バイオマスの固有水の全部または９０％超を保有する植物バイオマスを指す。
【０１２０】
いくつかの態様において、植物バイオマスは、固有水の５０〜９０％を保有する。いくつかの態様において、植物バイオマスは、固有水の５５〜９０％を保有する。いくつかの態様において、植物バイオマスは、固有水の６０〜９０％を保有する。いくつかの態様において、植物バイオマスは、固有水の６５〜９０％を保有する。いくつかの態様において、植物バイオマスは、固有水の７０〜９０％を保有する。いくつかの態様において、植物バイオマスは、固有水の７５〜９０％を保有する。いくつかの態様において、植物バイオマスは、固有水の８０〜９０％を保有する。いくつかの態様において、植物バイオマスは、固有水の８５〜９０％を保有する。
【０１２１】
いくつかの態様において、植物バイオマスは、固有水の５０〜８５％を保有する。いくつかの態様において、植物バイオマスは、固有水の５０〜８０％を保有する。いくつかの態様において、植物バイオマスは、固有水の５０〜７５％を保有する。いくつかの態様において、植物バイオマスは、固有水の５０〜７０％を保有する。いくつかの態様において、植物バイオマスは、固有水の５０〜６５％を保有する。いくつかの態様において、植物バイオマスは、固有水の５０〜６０％を保有する。いくつかの態様において、植物バイオマスは、固有水の５０〜５５％を保有する。
【０１２２】
いくつかの態様において、植物バイオマスは、固有水の５０％、または５５％、または６０％、または６５％、または７０％、または７５％、または８０％、または８５％、または９０％、または９５％、あるいはそれより多くを保有する。
【０１２３】
いくつかの態様において、植物バイオマスは、本明細書に提示する方法による処理に先立って加工することができる。加工の例としては、切断、剪断、摩砕、破砕、湿潤、およびこれらに類することが含まれるが、それらに限定されない。
【０１２４】
いくつかの態様において、水は、含水量を９０％以上に上げるために植物バイオマスへ添加される。いくつかの態様において、水を添加した後の植物バイオマスの含水量は、５０〜９０％である。いくつかの態様において、水を添加した後の植物バイオマスの含水量は、５５〜９０％である。いくつかの態様において、水を添加した後の植物バイオマスの含水量は、６０〜９０％である。いくつかの態様において、水を添加した後の植物バイオマスの含水量は、６５〜９０％である。いくつかの態様において、水を添加した後の植物バイオマスの含水量は、７０〜９０％である。いくつかの態様において、水を添加した後の植物バイオマスの含水量は、７５〜９０％である。いくつかの態様において、水を添加した後の植物バイオマスの含水量は、８０〜９０％である。いくつかの態様において、水を添加した後の植物バイオマスの含水量は、８５〜９０％である。
【０１２５】
いくつかの態様において、水を添加した後の植物バイオマスの含水量は、５０〜９０％である。いくつかの態様において、水を添加した後の植物バイオマスの含水量は、５０〜８５％である。いくつかの態様において、水を添加した後の植物バイオマスの含水量は、５０〜８０％である。いくつかの態様において、水を添加した後の植物バイオマスの含水量は、５０〜７５％である。いくつかの態様において、水を添加した後の植物バイオマスの含水量は、５０〜７０％である。いくつかの態様において、水を添加した後の植物バイオマスの含水量は、５０〜６５％である。いくつかの態様において、水を添加した後の植物バイオマスの含水量は、５０〜６０％である。いくつかの態様において、水を添加した後の植物バイオマスの含水量は、５０〜５５％である。
【０１２６】
いくつかの態様において、水を添加した後の植物バイオマスの含水量は、５０％、または５５％、または６０％、または６５％、または７０％、または７５％、または８０％、または８５％、または９０％、または９５％である。
【０１２７】
いくつかの態様において、植物バイオマスは、新鮮に得られた花を含む。いくつかの態様において、花は、Ｏｌｅａｃｅａｅ属の植物由来の花、Ｐｏｌｉａｎｔｈｅｓ  ｔｕｂｅｒｏｓａ由来の花、Ｒｏｓａ属の植物由来の花、Ｌｉｌａｃ植物由来の花、Ｖａｌｌｅｙ植物のＬｉｌｙ由来の花、Ｍｏｃｋ  Ｏｒａｎｇｅ植物由来の花、Ｈｏｎｅｙｓｕｃｋｌｅ植物由来の花、Ｃａｎａｎｇａ  ｏｄｏｒａｔａ由来の花、Ａｒｔａｂｏｔｒｙｓ  ｏｄｏｒａｔｉｓｓｉｍｕｓ由来の花、およびＷｉｓｔｅｒｉａ植物由来の花からなる群から選択される。
【０１２８】
いくつかの態様において、Ｏｌｅａｃｅａｅ属の植物は、Ｊａｓｍｉｎｉｕｍ  ｇｒａｎｄｉｆｌｏｒｕｍおよびＪａｓｍｉｎｉｕｍ  ｓａｍｂａｃからなる群から選択されるＪａｓｍｉｎｉｕｍ種の植物である。
【０１２９】
いくつかの態様において、植物バイオマスは、新鮮に得られた果実を含む。いくつかの態様において、果実は、Ｐｙｒｕｓ属由来の果実を含む。いくつかの態様において、植物バイオマスは、Ｐｉｐｅｒ  ｎｉｇｒｕｍ由来の乾燥果実など、乾燥果実を含む。いくつかの態様において、植物バイオマスは、例えば、Ｚｉｎｇｉｂｅｒ  ｏｆｆｉｃｉｎａｌｅの根など、根を含む。いくつかの態様において、植物バイオマスは、例えば、Ｃａｍｅｌｉａ  ｓｉｎｅｎｓｉｓ由来の葉など、葉を含む。
【０１３０】
本明細書に提示するいくつかの態様による抽出物
後述の実施例１および実施例２に関して、説明としてに過ぎないが、本明細書に提示する方法および装置は、溶剤の添加を必要としておらず、改善された嗅覚特性を有する精油を製造する。いくつかの態様において、改善された嗅覚特性は、新鮮な植物と同じかまたは非常に類似している嗅覚特性であってよい。あるいは、改善された嗅覚特性は、例えば、所望ではない嗅覚性など、少なめの人工産物を有する嗅覚特性であってよい。
【０１３１】
実施例１および実施例２は、Ｊａｓｍｉｎｉｕｍ  ｇｒａｎｄｉｆｌｏｒｕｍから新鮮に単離された花を用いる本明細書に提示する方法および装置の使用を描写しているが、当業者は、植物バイオマスの他の供給源への同じ方法および／または装置の適用を容易に認識することができる。
【０１３２】
いくつかの態様において、改善された嗅覚特性は、新鮮な植物と同じかまたは非常に類似している嗅覚特性であってよい。いくつかの態様において、改善された嗅覚特性は、精油内の１つ以上の化合物の相対的な比率の変化の結果であってよい。実例として、実施例２に説明する精油は、少なくとも５％（ｗ／ｗ）の（±）−３，７−ジメチル−１，６−オクタジエン−３−オール、少なくとも７％（ｗ／ｗ）の（ｚ）−ジャスモン、および少なくとも２０％（ｗ／ｗ）の酢酸ベンジルを含み、ここで、これらの化合物のレベルは、従来法を用いたＪａｓｍｉｎｉｕｍ  ｇｒａｎｄｉｆｌｏｒｕｍに由来する精油と比較して高い。
【０１３３】
いくつかの態様において、改善された嗅覚特性は、例えば、所望ではない嗅覚性など、少なめの人工産物を有する嗅覚特性であってよい。実例として、実施例２に説明する精油は、６％（ｗ／ｗ）以下の安息香酸ベンジルを含み、ここで、化合物のレベルは、従来法を用いたＪａｓｍｉｎｉｕｍ  ｇｒａｎｄｉｆｌｏｒｕｍに由来する精油と比較して低い。
【０１３４】
精油の嗅覚特性は、例えば、感覚検査、化学分析、およびこれらに類するものなど、当業者によって容易に選択される何らかの方法によって決定されることができる。
【０１３５】
Ｊａｓｍｉｎｉｕｍ  ｇｒａｎｄｉｆｌｏｒｕｍに由来する精油：本明細書に提示する一態様は、Ｊａｓｍｉｎｉｕｍ種の少なくとも１つの植物から抽出される精油を提供し、ここで、精油は、少なくとも７％（ｗ／ｗ）の（ｚ）−ジャスモンを含む。
【０１３６】
いくつかの態様において、Ｊａｓｍｉｎｉｕｍ種の少なくとも１つの植物は、Ｊａｓｍｉｎｉｕｍ  ｇｒａｎｄｉｆｌｏｒｕｍおよびＪａｓｍｉｎｉｕｍ  ｓａｍｂａｃからなる群から選択される。
【０１３７】
いかなる特定の理論にも限定されることを企図するものではないが、（ｚ）−ジャスモンは、ジャスミン花香気に寄与する分子であり、ここで、より高レベルの（ｚ）−ジャスモンを有する精油は、より低レベルの（ｚ）−ジャスモンを有する精油と比較して、新鮮なジャスミン花により類似した匂いがするであろう。
【０１３８】
いくつかの態様において、精油は、従来法を用いてＪａｓｍｉｎｉｕｍ  ｇｒａｎｄｉｆｌｏｒｕｍに由来する精油と比較して高い、７〜１５％（ｗ／ｗ）の（ｚ）−ジャスモンを含む。したがって、精油は、より低レベルの（ｚ）−ジャスモンを有する精油と比較して、新鮮なジャスミン花により類似した匂いがする。
【０１３９】
いくつかの態様において、精油は、７〜１５％（ｗ／ｗ）の（ｚ）−ジャスモンを含む。いくつかの態様において、精油は、７〜１４％（ｗ／ｗ）の（ｚ）−ジャスモンを含む。いくつかの態様において、精油は、７〜１３％（ｗ／ｗ）の（ｚ）−ジャスモンを含む。いくつかの態様において、精油は、７〜１２％（ｗ／ｗ）の（ｚ）−ジャスモンを含む。いくつかの態様において、精油は、７〜１１％（ｗ／ｗ）の（ｚ）−ジャスモンを含む。いくつかの態様において、精油は、７〜１０％（ｗ／ｗ）の（ｚ）−ジャスモンを含む。いくつかの態様において、精油は、７〜９％（ｗ／ｗ）の（ｚ）−ジャスモンを含む。いくつかの態様において、精油は、７〜８％（ｗ／ｗ）の（ｚ）−ジャスモンを含む。
【０１４０】
いくつかの態様において、精油は、８〜１５％（ｗ／ｗ）の（ｚ）−ジャスモンを含む。いくつかの態様において、精油は、９〜１５％（ｗ／ｗ）の（ｚ）−ジャスモンを含む。いくつかの態様において、精油は、１０〜１５％（ｗ／ｗ）の（ｚ）−ジャスモンを含む。いくつかの態様において、精油は、１１〜１５％（ｗ／ｗ）の（ｚ）−ジャスモンを含む。いくつかの態様において、精油は、１２〜１５％（ｗ／ｗ）の（ｚ）−ジャスモンを含む。いくつかの態様において、精油は、１３〜１５％（ｗ／ｗ）の（ｚ）−ジャスモンを含む。いくつかの態様において、精油は、１４〜１５％（ｗ／ｗ）の（ｚ）−ジャスモンを含む。
【０１４１】
いくつかの態様において、精油は、７％（ｗ／ｗ）、または８％（ｗ／ｗ）、または９％（ｗ／ｗ）、または１０％（ｗ／ｗ）、または１１％（ｗ／ｗ）、または１２％（ｗ／ｗ）、または１３％（ｗ／ｗ）、または１４％（ｗ／ｗ）、または１５％（ｗ／ｗ）の（ｚ）−ジャスモンを含む。
【０１４２】
ジャスミン花香気に寄与することができる他の分子には、（±）−３，７−ジメチル−１，６−オクタジエン−３−オールおよび酢酸ベンジルが含まれる。いくつかの態様において、（±）−３，７−ジメチル−１，６−オクタジエン−３−オールおよび酢酸ベンジルのいずれかまたは両方のレベルは、従来法を用いてＪａｓｍｉｎｉｕｍ  ｇｒａｎｄｉｆｌｏｒｕｍに由来する精油と比較して高い。したがって、精油は、より低レベルの（±）−３，７−ジメチル−１，６−オクタジエン−３−オールと酢酸ベンジル、酢酸ベンジル、またはその両方とを有する精油と比較して、新鮮なジャスミン花により類似した匂いがする。
【０１４３】
いくつかの態様において、精油は、１０〜２０％（ｗ／ｗ）の（±）−３，７−ジメチル−１，６−オクタジエン−３−オールをさらに含む。いくつかの態様において、精油は、１０〜１９％（ｗ／ｗ）の（±）−３，７−ジメチル−１，６−オクタジエン−３−オールをさらに含む。いくつかの態様において、精油は、１０〜１８％（ｗ／ｗ）の（±）−３，７−ジメチル−１，６−オクタジエン−３−オールをさらに含む。いくつかの態様において、精油は、１０〜１７％（ｗ／ｗ）の（±）−３，７−ジメチル−１，６−オクタジエン−３−オールをさらに含む。いくつかの態様において、精油は、１０〜１６％（ｗ／ｗ）の（±）−３，７−ジメチル−１，６−オクタジエン−３−オールをさらに含む。いくつかの態様において、精油は、１０〜１５％（ｗ／ｗ）の（±）−３，７−ジメチル−１，６−オクタジエン−３−オールをさらに含む。いくつかの態様において、精油は、１０〜１４％（ｗ／ｗ）の（±）−３，７−ジメチル−１，６−オクタジエン−３−オールをさらに含む。いくつかの態様において、精油は、１０〜１３％（ｗ／ｗ）の（±）−３，７−ジメチル−１，６−オクタジエン−３−オールをさらに含む。いくつかの態様において、精油は、１０〜１２％（ｗ／ｗ）の（±）−３，７−ジメチル−１，６−オクタジエン−３−オールをさらに含む。いくつかの態様において、精油は、１０〜１１％（ｗ／ｗ）の（±）−３，７−ジメチル−１，６−オクタジエン−３−オールをさらに含む。
【０１４４】
いくつかの態様において、精油は、１１〜２０％（ｗ／ｗ）の（±）−３，７−ジメチル−１，６−オクタジエン−３−オールをさらに含む。いくつかの態様において、精油は、１２〜２０％（ｗ／ｗ）の（±）−３，７−ジメチル−１，６−オクタジエン−３−オールをさらに含む。いくつかの態様において、精油は、１３〜２０％（ｗ／ｗ）の（±）−３，７−ジメチル−１，６−オクタジエン−３−オールをさらに含む。いくつかの態様において、精油は、１４〜２０％（ｗ／ｗ）の（±）−３，７−ジメチル−１，６−オクタジエン−３−オールをさらに含む。いくつかの態様において、精油は、１５〜２０％（ｗ／ｗ）の（±）−３，７−ジメチル−１，６−オクタジエン−３−オールをさらに含む。いくつかの態様において、精油は、１６〜２０％（ｗ／ｗ）の（±）−３，７−ジメチル−１，６−オクタジエン−３−オールをさらに含む。いくつかの態様において、精油は、１７〜２０％（ｗ／ｗ）の（±）−３，７−ジメチル−１，６−オクタジエン−３−オールをさらに含む。いくつかの態様において、精油は、１８〜２０％（ｗ／ｗ）の（±）−３，７−ジメチル−１，６−オクタジエン−３−オールをさらに含む。いくつかの態様において、精油は、１９〜２０％（ｗ／ｗ）の（±）−３，７−ジメチル−１，６−オクタジエン−３−オールをさらに含む。
【０１４５】
いくつかの態様において、精油は、少なくとも５％（ｗ／ｗ）の（±）−３，７−ジメチル−１，６−オクタジエン−３−オールをさらに含む。
【０１４６】
いくつかの態様において、精油は、少なくとも１６％（ｗ／ｗ）の（±）−３，７−ジメチル−１，６−オクタジエン−３−オールをさらに含む。
【０１４７】
いくつかの態様において、精油は、１０％（ｗ／ｗ）、または１１％（ｗ／ｗ）、または１２％（ｗ／ｗ）、または１３％（ｗ／ｗ）、または１４％（ｗ／ｗ）、または１５％（ｗ／ｗ）、または１６％（ｗ／ｗ）、または１７％（ｗ／ｗ）、または１８％（ｗ／ｗ）、または１９％（ｗ／ｗ）、または２０％（ｗ／ｗ）の（±）−３，７−ジメチル−１，６−オクタジエン−３−オールをさらに含む。
【０１４８】
いくつかの態様において、精油は、２０〜７０％（ｗ／ｗ）の酢酸ベンジルをさらに含む。いくつかの態様において、精油は、２０〜６５％（ｗ／ｗ）の酢酸ベンジルをさらに含む。いくつかの態様において、精油は、２０〜６０％（ｗ／ｗ）の酢酸ベンジルをさらに含む。いくつかの態様において、精油は、２０〜５５％（ｗ／ｗ）の酢酸ベンジルをさらに含む。いくつかの態様において、精油は、２０〜５０％（ｗ／ｗ）の酢酸ベンジルをさらに含む。いくつかの態様において、精油は、２０〜４５％（ｗ／ｗ）の酢酸ベンジルをさらに含む。いくつかの態様において、精油は、２０〜４０％（ｗ／ｗ）の酢酸ベンジルをさらに含む。いくつかの態様において、精油は、２０〜３５％（ｗ／ｗ）の酢酸ベンジルをさらに含む。いくつかの態様において、精油は、２０〜３０％（ｗ／ｗ）の酢酸ベンジルをさらに含む。いくつかの態様において、精油は、２０〜２５％（ｗ／ｗ）の酢酸ベンジルをさらに含む。
【０１４９】
いくつかの態様において、精油は、２５〜７０％（ｗ／ｗ）の酢酸ベンジルをさらに含む。いくつかの態様において、精油は、３０〜７０％（ｗ／ｗ）の酢酸ベンジルをさらに含む。いくつかの態様において、精油は、３５〜７０％（ｗ／ｗ）の酢酸ベンジルをさらに含む。いくつかの態様において、精油は、４０〜７０％（ｗ／ｗ）の酢酸ベンジルをさらに含む。いくつかの態様において、精油は、４５〜７０％（ｗ／ｗ）の酢酸ベンジルをさらに含む。いくつかの態様において、精油は、５０〜７０％（ｗ／ｗ）の酢酸ベンジルをさらに含む。いくつかの態様において、精油は、５５〜７０％（ｗ／ｗ）の酢酸ベンジルをさらに含む。いくつかの態様において、精油は、６０〜７０％（ｗ／ｗ）の酢酸ベンジルをさらに含む。いくつかの態様において、精油は、６５〜７０％（ｗ／ｗ）の酢酸ベンジルをさらに含む。
【０１５０】
いくつかの態様において、精油は、４０〜６５％（ｗ／ｗ）の酢酸ベンジルをさらに含む。いくつかの態様において、精油は、４０〜６４％（ｗ／ｗ）の酢酸ベンジルをさらに含む。いくつかの態様において、精油は、４０〜６３％（ｗ／ｗ）の酢酸ベンジルをさらに含む。いくつかの態様において、精油は、４０〜６２％（ｗ／ｗ）の酢酸ベンジルをさらに含む。いくつかの態様において、精油は、４０〜６１％（ｗ／ｗ）の酢酸ベンジルをさらに含む。いくつかの態様において、精油は、４０〜６０％（ｗ／ｗ）の酢酸ベンジルをさらに含む。いくつかの態様において、精油は、４０〜５９％（ｗ／ｗ）の酢酸ベンジルをさらに含む。いくつかの態様において、精油は、４０〜５８％（ｗ／ｗ）の酢酸ベンジルをさらに含む。いくつかの態様において、精油は、４０〜５７％（ｗ／ｗ）の酢酸ベンジルをさらに含む。いくつかの態様において、精油は、４０〜５６％（ｗ／ｗ）の酢酸ベンジルをさらに含む。いくつかの態様において、精油は、４０〜５５％（ｗ／ｗ）の酢酸ベンジルをさらに含む。いくつかの態様において、精油は、４０〜５４％（ｗ／ｗ）の酢酸ベンジルをさらに含む。いくつかの態様において、精油は、４０〜５３％（ｗ／ｗ）の酢酸ベンジルをさらに含む。いくつかの態様において、精油は、４０〜５２％（ｗ／ｗ）の酢酸ベンジルをさらに含む。いくつかの態様において、精油は、４０〜５１％（ｗ／ｗ）の酢酸ベンジルをさらに含む。いくつかの態様において、精油は、４０〜５０％（ｗ／ｗ）の酢酸ベンジルをさらに含む。いくつかの態様において、精油は、４０〜４９％（ｗ／ｗ）の酢酸ベンジルをさらに含む。いくつかの態様において、精油は、４０〜４８％（ｗ／ｗ）の酢酸ベンジルをさらに含む。いくつかの態様において、精油は、４０〜４７％（ｗ／ｗ）の酢酸ベンジルをさらに含む。いくつかの態様において、精油は、４０〜４６％（ｗ／ｗ）の酢酸ベンジルをさらに含む。いくつかの態様において、精油は、４０〜４５％（ｗ／ｗ）の酢酸ベンジルをさらに含む。いくつかの態様において、精油は、４０〜４４％（ｗ／ｗ）の酢酸ベンジルをさらに含む。いくつかの態様において、精油は、４０〜４３％（ｗ／ｗ）の酢酸ベンジルをさらに含む。いくつかの態様において、精油は、４０〜４２％（ｗ／ｗ）の酢酸ベンジルをさらに含む。いくつかの態様において、精油は、４０〜４１％（ｗ／ｗ）の酢酸ベンジルをさらに含む。
【０１５１】
いくつかの態様において、精油は、４１〜６５％（ｗ／ｗ）の酢酸ベンジルをさらに含む。いくつかの態様において、精油は、４２〜６５％（ｗ／ｗ）の酢酸ベンジルをさらに含む。いくつかの態様において、精油は、４３〜６５％（ｗ／ｗ）の酢酸ベンジルをさらに含む。いくつかの態様において、精油は、４４〜６５％（ｗ／ｗ）の酢酸ベンジルをさらに含む。いくつかの態様において、精油は、４５〜６５％（ｗ／ｗ）の酢酸ベンジルをさらに含む。いくつかの態様において、精油は、４６〜６５％（ｗ／ｗ）の酢酸ベンジルをさらに含む。いくつかの態様において、精油は、４７〜６５％（ｗ／ｗ）の酢酸ベンジルをさらに含む。いくつかの態様において、精油は、４８〜６５％（ｗ／ｗ）の酢酸ベンジルをさらに含む。いくつかの態様において、精油は、４９〜６５％（ｗ／ｗ）の酢酸ベンジルをさらに含む。いくつかの態様において、精油は、５０〜６５％（ｗ／ｗ）の酢酸ベンジルをさらに含む。いくつかの態様において、精油は、５１〜６５％（ｗ／ｗ）の酢酸ベンジルをさらに含む。いくつかの態様において、精油は、５２〜６５％（ｗ／ｗ）の酢酸ベンジルをさらに含む。いくつかの態様において、精油は、５３〜６５％（ｗ／ｗ）の酢酸ベンジルをさらに含む。いくつかの態様において、精油は、５４〜６５％（ｗ／ｗ）の酢酸ベンジルをさらに含む。いくつかの態様において、精油は、５５〜６５％（ｗ／ｗ）の酢酸ベンジルをさらに含む。いくつかの態様において、精油は、５６〜６５％（ｗ／ｗ）の酢酸ベンジルをさらに含む。いくつかの態様において、精油は、５７〜６５％（ｗ／ｗ）の酢酸ベンジルをさらに含む。いくつかの態様において、精油は、５８〜６５％（ｗ／ｗ）の酢酸ベンジルをさらに含む。いくつかの態様において、精油は、５９〜６５％（ｗ／ｗ）の酢酸ベンジルをさらに含む。いくつかの態様において、精油は、６０〜６５％（ｗ／ｗ）の酢酸ベンジルをさらに含む。いくつかの態様において、精油は、６１〜６５％（ｗ／ｗ）の酢酸ベンジルをさらに含む。いくつかの態様において、精油は、６２〜６５％（ｗ／ｗ）の酢酸ベンジルをさらに含む。いくつかの態様において、精油は、６３〜６５％（ｗ／ｗ）の酢酸ベンジルをさらに含む。いくつかの態様において、精油は、６４〜６５％（ｗ／ｗ）の酢酸ベンジルをさらに含む。
【０１５２】
いくつかの態様において、精油は、少なくとも２０％（ｗ／ｗ）の酢酸ベンジルをさらに含む。
【０１５３】
いくつかの態様において、精油は、２０％ｗ／ｗ、または２１％ｗ／ｗ、または２２％ｗ／ｗ、または２３％ｗ／ｗ、または２４％ｗ／ｗ、または２５％ｗ／ｗ、または２６％ｗ／ｗ、または２７％ｗ／ｗ、または２８％ｗ／ｗ、または２９％ｗ／ｗ、または３０％ｗ／ｗ、または３１％ｗ／ｗ、または３２％ｗ／ｗ、または３３％ｗ／ｗ、または３４％ｗ／ｗ、または３５％ｗ／ｗ、または３６％ｗ／ｗ、または３７％ｗ／ｗ、または３８％ｗ／ｗ、または３９％ｗ／ｗ、または４０％ｗ／ｗ、または４１％ｗ／ｗ、または４２％ｗ／ｗ、または４３％ｗ／ｗ、または４４％ｗ／ｗ、または４５％ｗ／ｗ、または４６％ｗ／ｗ、または４７％ｗ／ｗ、または４８％ｗ／ｗ、または４９％ｗ／ｗ、または５０％ｗ／ｗ、または５１％ｗ／ｗ、または５２％ｗ／ｗ、または５３％ｗ／ｗ、または５４％ｗ／ｗ、または５５％ｗ／ｗ、または５６％ｗ／ｗ、または５７％ｗ／ｗ、または５８％ｗ／ｗ、または５９％ｗ／ｗ、または６０％ｗ／ｗ、または６１％ｗ／ｗ、または６２％ｗ／ｗ、または６３％ｗ／ｗ、または６４％ｗ／ｗ、または６５％ｗ／ｗの酢酸ベンジルをさらに含む。
【０１５４】
ジャスミン花香気へ人工産物を導入することができる分子には、安息香酸ベンジルが含まれる。いくつかの態様において、安息香酸ベンジルのレベルは、従来法を用いたＪａｓｍｉｎｉｕｍ  ｇｒａｎｄｉｆｌｏｒｕｍに由来する精油と比較して低い。したがって、精油は、より高いレベルの安息香酸ベンジルを有する精油と比較して、新鮮なジャスミン花により類似した匂いがする。
【０１５５】
いくつかの態様において、精油は、７％（ｗ／ｗ）以下の安息香酸ベンジルをさらに含む。
【０１５６】
いくつかの態様において、精油は、１〜６．５％（ｗ／ｗ）の安息香酸ベンジルをさらに含む。いくつかの態様において、精油は、１〜６．４％（ｗ／ｗ）の安息香酸ベンジルをさらに含む。いくつかの態様において、精油は、１〜６．３％（ｗ／ｗ）の安息香酸ベンジルをさらに含む。いくつかの態様において、精油は、１〜６．２％（ｗ／ｗ）の安息香酸ベンジルをさらに含む。いくつかの態様において、精油は、１〜６．１％（ｗ／ｗ）の安息香酸ベンジルをさらに含む。いくつかの態様において、精油は、１〜６％（ｗ／ｗ）の安息香酸ベンジルをさらに含む。いくつかの態様において、精油は、１〜５．９％（ｗ／ｗ）の安息香酸ベンジルをさらに含む。いくつかの態様において、精油は、１〜５．８％（ｗ／ｗ）の安息香酸ベンジルをさらに含む。いくつかの態様において、精油は、１〜５．７％（ｗ／ｗ）の安息香酸ベンジルをさらに含む。いくつかの態様において、精油は、１〜５．６％（ｗ／ｗ）の安息香酸ベンジルをさらに含む。いくつかの態様において、精油は、１〜５．５％（ｗ／ｗ）の安息香酸ベンジルをさらに含む。いくつかの態様において、精油は、１〜５．４％（ｗ／ｗ）の安息香酸ベンジルをさらに含む。いくつかの態様において、精油は、１〜５．３％（ｗ／ｗ）の安息香酸ベンジルをさらに含む。いくつかの態様において、精油は、１〜５．２％（ｗ／ｗ）の安息香酸ベンジルをさらに含む。いくつかの態様において、精油は、１〜５．１％（ｗ／ｗ）の安息香酸ベンジルをさらに含む。いくつかの態様において、精油は、１〜５％（ｗ／ｗ）の安息香酸ベンジルをさらに含む。いくつかの態様において、精油は、１〜４．９％（ｗ／ｗ）の安息香酸ベンジルをさらに含む。いくつかの態様において、精油は、１〜４．８％（ｗ／ｗ）の安息香酸ベンジルをさらに含む。いくつかの態様において、精油は、１〜４．７％（ｗ／ｗ）の安息香酸ベンジルをさらに含む。いくつかの態様において、精油は、１〜４．６％（ｗ／ｗ）の安息香酸ベンジルをさらに含む。いくつかの態様において、精油は、１〜４．５％（ｗ／ｗ）の安息香酸ベンジルをさらに含む。いくつかの態様において、精油は、１〜４．４％（ｗ／ｗ）の安息香酸ベンジルをさらに含む。いくつかの態様において、精油は、１〜４．３％（ｗ／ｗ）の安息香酸ベンジルをさらに含む。いくつかの態様において、精油は、１〜４．２％（ｗ／ｗ）の安息香酸ベンジルをさらに含む。いくつかの態様において、精油は、１〜４．１％（ｗ／ｗ）の安息香酸ベンジルをさらに含む。いくつかの態様において、精油は、１〜４％（ｗ／ｗ）の安息香酸ベンジルをさらに含む。いくつかの態様において、精油は、１〜３．９％（ｗ／ｗ）の安息香酸ベンジルをさらに含む。いくつかの態様において、精油は、１〜３．８％（ｗ／ｗ）の安息香酸ベンジルをさらに含む。いくつかの態様において、精油は、１〜３．７％（ｗ／ｗ）の安息香酸ベンジルをさらに含む。いくつかの態様において、精油は、１〜３．６％（ｗ／ｗ）の安息香酸ベンジルをさらに含む。いくつかの態様において、精油は、１〜３．５％（ｗ／ｗ）の安息香酸ベンジルをさらに含む。いくつかの態様において、精油は、１〜３．４％（ｗ／ｗ）の安息香酸ベンジルをさらに含む。いくつかの態様において、精油は、１〜３．３％（ｗ／ｗ）の安息香酸ベンジルをさらに含む。いくつかの態様において、精油は、１〜３．２％（ｗ／ｗ）の安息香酸ベンジルをさらに含む。いくつかの態様において、精油は、１〜３．１％（ｗ／ｗ）の安息香酸ベンジルをさらに含む。いくつかの態様において、精油は、１〜３％（ｗ／ｗ）の安息香酸ベンジルをさらに含む。いくつかの態様において、精油は、１〜２．９％（ｗ／ｗ）の安息香酸ベンジルをさらに含む。いくつかの態様において、精油は、１〜２．８％（ｗ／ｗ）の安息香酸ベンジルをさらに含む。いくつかの態様において、精油は、１〜２．７％（ｗ／ｗ）の安息香酸ベンジルをさらに含む。いくつかの態様において、精油は、１〜２．６％（ｗ／ｗ）の安息香酸ベンジルをさらに含む。いくつかの態様において、精油は、１〜２．５％（ｗ／ｗ）の安息香酸ベンジルをさらに含む。いくつかの態様において、精油は、１〜２．４％（ｗ／ｗ）の安息香酸ベンジルをさらに含む。いくつかの態様において、精油は、１〜２．３％（ｗ／ｗ）の安息香酸ベンジルをさらに含む。いくつかの態様において、精油は、１〜２．２％（ｗ／ｗ）の安息香酸ベンジルをさらに含む。いくつかの態様において、精油は、１〜２．１％（ｗ／ｗ）の安息香酸ベンジルをさらに含む。いくつかの態様において、精油は、１〜２％（ｗ／ｗ）の安息香酸ベンジルをさらに含む。いくつかの態様において、精油は、１〜１．９％（ｗ／ｗ）の安息香酸ベンジルをさらに含む。いくつかの態様において、精油は、１〜１．８％（ｗ／ｗ）の安息香酸ベンジルをさらに含む。いくつかの態様において、精油は、１〜１．７％（ｗ／ｗ）の安息香酸ベンジルをさらに含む。いくつかの態様において、精油は、１〜１．６％（ｗ／ｗ）の安息香酸ベンジルをさらに含む。いくつかの態様において、精油は、１〜１．５％（ｗ／ｗ）の安息香酸ベンジルをさらに含む。いくつかの態様において、精油は、１〜１．４％（ｗ／ｗ）の安息香酸ベンジルをさらに含む。いくつかの態様において、精油は、１〜１．３％（ｗ／ｗ）の安息香酸ベンジルをさらに含む。いくつかの態様において、精油は、１〜１．２％（ｗ／ｗ）の安息香酸ベンジルをさらに含む。いくつかの態様において、精油は、１〜１．１％（ｗ／ｗ）の安息香酸ベンジルをさらに含む。
【０１５７】
いくつかの態様において、精油は、１〜６．５％（ｗ／ｗ）の安息香酸ベンジルをさらに含む。いくつかの態様において、精油は、１．１〜６．５％（ｗ／ｗ）の安息香酸ベンジルをさらに含む。いくつかの態様において、精油は、１．２〜６．５％（ｗ／ｗ）の安息香酸ベンジルをさらに含む。いくつかの態様において、精油は、１．３〜６．５％（ｗ／ｗ）の安息香酸ベンジルをさらに含む。いくつかの態様において、精油は、１．４〜６．５％（ｗ／ｗ）の安息香酸ベンジルをさらに含む。いくつかの態様において、精油は、１．５〜６．５％（ｗ／ｗ）の安息香酸ベンジルをさらに含む。いくつかの態様において、精油は、１．６〜６．５％（ｗ／ｗ）の安息香酸ベンジルをさらに含む。いくつかの態様において、精油は、１．７〜６．５％（ｗ／ｗ）の安息香酸ベンジルをさらに含む。いくつかの態様において、精油は、１．８〜６．５％（ｗ／ｗ）の安息香酸ベンジルをさらに含む。いくつかの態様において、精油は、１．９〜６．５％（ｗ／ｗ）の安息香酸ベンジルをさらに含む。いくつかの態様において、精油は、２〜６．５％（ｗ／ｗ）の安息香酸ベンジルをさらに含む。いくつかの態様において、精油は、２．１〜６．５％（ｗ／ｗ）の安息香酸ベンジルをさらに含む。いくつかの態様において、精油は、２．２〜６．５％（ｗ／ｗ）の安息香酸ベンジルをさらに含む。いくつかの態様において、精油は、２．３〜６．５％（ｗ／ｗ）の安息香酸ベンジルをさらに含む。いくつかの態様において、精油は、２．４〜６．５％（ｗ／ｗ）の安息香酸ベンジルをさらに含む。いくつかの態様において、精油は、２．５〜６．５％（ｗ／ｗ）の安息香酸ベンジルをさらに含む。いくつかの態様において、精油は、２．６〜６．５％（ｗ／ｗ）の安息香酸ベンジルをさらに含む。いくつかの態様において、精油は、２．７〜６．５％（ｗ／ｗ）の安息香酸ベンジルをさらに含む。いくつかの態様において、精油は、２．８〜６．５％（ｗ／ｗ）の安息香酸ベンジルをさらに含む。いくつかの態様において、精油は、２．９〜６．５％（ｗ／ｗ）の安息香酸ベンジルをさらに含む。いくつかの態様において、精油は、３〜６．５％（ｗ／ｗ）の安息香酸ベンジルをさらに含む。いくつかの態様において、精油は、３．１〜６．５％（ｗ／ｗ）の安息香酸ベンジルをさらに含む。いくつかの態様において、精油は、３．２〜６．５％（ｗ／ｗ）の安息香酸ベンジルをさらに含む。いくつかの態様において、精油は、３．３〜６．５％（ｗ／ｗ）の安息香酸ベンジルをさらに含む。いくつかの態様において、精油は、３．４〜６．５％（ｗ／ｗ）の安息香酸ベンジルをさらに含む。いくつかの態様において、精油は、３．５〜６．５％（ｗ／ｗ）の安息香酸ベンジルをさらに含む。いくつかの態様において、精油は、３．６〜６．５％（ｗ／ｗ）の安息香酸ベンジルをさらに含む。いくつかの態様において、精油は、３．７〜６．５％（ｗ／ｗ）の安息香酸ベンジルをさらに含む。いくつかの態様において、精油は、３．８〜６．５％（ｗ／ｗ）の安息香酸ベンジルをさらに含む。いくつかの態様において、精油は、３．９〜６．５％（ｗ／ｗ）の安息香酸ベンジルをさらに含む。いくつかの態様において、精油は、４〜６．５％（ｗ／ｗ）の安息香酸ベンジルをさらに含む。いくつかの態様において、精油は、４．１〜６．５％（ｗ／ｗ）の安息香酸ベンジルをさらに含む。いくつかの態様において、精油は、４．２〜６．５％（ｗ／ｗ）の安息香酸ベンジルをさらに含む。いくつかの態様において、精油は、４．３〜６．５％（ｗ／ｗ）の安息香酸ベンジルをさらに含む。いくつかの態様において、精油は、４．４〜６．５％（ｗ／ｗ）の安息香酸ベンジルをさらに含む。いくつかの態様において、精油は、４．５〜６．５％（ｗ／ｗ）の安息香酸ベンジルをさらに含む。いくつかの態様において、精油は、４．６〜６．５％（ｗ／ｗ）の安息香酸ベンジルをさらに含む。いくつかの態様において、精油は、４．７〜６．５％（ｗ／ｗ）の安息香酸ベンジルをさらに含む。いくつかの態様において、精油は、４．８〜６．５％（ｗ／ｗ）の安息香酸ベンジルをさらに含む。いくつかの態様において、精油は、４．９〜６．５％（ｗ／ｗ）の安息香酸ベンジルをさらに含む。いくつかの態様において、精油は、５〜６．５％（ｗ／ｗ）の安息香酸ベンジルをさらに含む。いくつかの態様において、精油は、５．１〜６．５％（ｗ／ｗ）の安息香酸ベンジルをさらに含む。いくつかの態様において、精油は、５．２〜６．５％（ｗ／ｗ）の安息香酸ベンジルをさらに含む。いくつかの態様において、精油は、５．３〜６．５％（ｗ／ｗ）の安息香酸ベンジルをさらに含む。いくつかの態様において、精油は、５．４〜６．５％（ｗ／ｗ）の安息香酸ベンジルをさらに含む。いくつかの態様において、精油は、５．５〜６．５％（ｗ／ｗ）の安息香酸ベンジルをさらに含む。いくつかの態様において、精油は、５．６〜６．５％（ｗ／ｗ）の安息香酸ベンジルをさらに含む。いくつかの態様において、精油は、５．７〜６．５％（ｗ／ｗ）の安息香酸ベンジルをさらに含む。いくつかの態様において、精油は、５．８〜６．５％（ｗ／ｗ）の安息香酸ベンジルをさらに含む。いくつかの態様において、精油は、５．９〜６．５％（ｗ／ｗ）の安息香酸ベンジルをさらに含む。いくつかの態様において、精油は、６〜６．５％（ｗ／ｗ）の安息香酸ベンジルをさらに含む。いくつかの態様において、精油は、６．１〜６．５％（ｗ／ｗ）の安息香酸ベンジルをさらに含む。いくつかの態様において、精油は、６．２〜６．５％（ｗ／ｗ）の安息香酸ベンジルをさらに含む。いくつかの態様において、精油は、６．３〜６．５％（ｗ／ｗ）の安息香酸ベンジルをさらに含む。いくつかの態様において、精油は、６．４〜６．５％（ｗ／ｗ）の安息香酸ベンジルをさらに含む。
【０１５８】
いくつかの態様において、精油は、１％（ｗ／ｗ）、または１．１％（ｗ／ｗ）、または１．２％（ｗ／ｗ）、または１．３％（ｗ／ｗ）、または１．４％（ｗ／ｗ）、または１．５％（ｗ／ｗ）、または１．６％（ｗ／ｗ）、または１．７％（ｗ／ｗ）、または１．８％（ｗ／ｗ）、または１．９％（ｗ／ｗ）、または２％（ｗ／ｗ）、または２．１％（ｗ／ｗ）、または２．２％（ｗ／ｗ）、または２．３％（ｗ／ｗ）、または２．４％（ｗ／ｗ）、または２．５％（ｗ／ｗ）、または２．６％（ｗ／ｗ）、または２．７％（ｗ／ｗ）、または２．８％（ｗ／ｗ）、または２．９％（ｗ／ｗ）、または３％（ｗ／ｗ）、または３．１％（ｗ／ｗ）、または３．２％（ｗ／ｗ）、または３．３％（ｗ／ｗ）、または３．４％（ｗ／ｗ）、または３．５％（ｗ／ｗ）、または３．６％（ｗ／ｗ）、または３．７％（ｗ／ｗ）、または３．８％（ｗ／ｗ）、または３．９％（ｗ／ｗ）、または４％（ｗ／ｗ）、または４．１％（ｗ／ｗ）、または４．２％（ｗ／ｗ）、または４．３％（ｗ／ｗ）、または４．４％（ｗ／ｗ）、または４．５％（ｗ／ｗ）、または４．６％（ｗ／ｗ）、または４．７％（ｗ／ｗ）、または４．８％（ｗ／ｗ）、または４．９％（ｗ／ｗ）、または５％（ｗ／ｗ）、または５．１％（ｗ／ｗ）、または５．２％（ｗ／ｗ）、または５．３％（ｗ／ｗ）、または５．４％（ｗ／ｗ）、または５．５％（ｗ／ｗ）、または５．６％（ｗ／ｗ）、または５．７％（ｗ／ｗ）、または５．８％（ｗ／ｗ）、または５．９％（ｗ／ｗ）、または６％（ｗ／ｗ）、または６．１％（ｗ／ｗ）、または６．２％（ｗ／ｗ）、または６．３％（ｗ／ｗ）、または６．４％（ｗ／ｗ）、または６．５％（ｗ／ｗ）の安息香酸ベンジルをさらに含む。
【０１５９】
いくつかの態様において、精油は、７〜１１％（ｗ／ｗ）の（ｚ）−ジャスモン、１０〜１７％（ｗ／ｗ）の（±）−３，７−ジメチル−１，６−オクタジエン−３−オール、４０〜６２％（ｗ／ｗ）の酢酸ベンジル、および１〜７．１％（ｗ／ｗ）の安息香酸ベンジルを含む。
【０１６０】
いくつかの態様において、精油は、表１に開示するマイクロ波抽出物１、マイクロ波抽出物２、またはマイクロ波抽出物３のうちのいずれか１つを含む。
【０１６１】
いくつかの態様において、精油は、表１に開示するマイクロ波抽出物１、マイクロ波抽出物２、またはマイクロ波抽出物３のうちのいずれか１つにおいて開示する量で、化合物を含む。
【０１６２】
Ｐｉｐｅｒ  ｎｉｇｒｕｍに由来する精油：本明細書に提示する一態様は、Ｐｉｐｅｒ  ｎｉｇｒｕｍから抽出される精油を提供し、ここで、精油は、少なくとも７％（ｗ／ｗ）のサビネン（sabinene）を含む。
【０１６３】
いくつかの態様において、精油は、９〜１５％（ｗ／ｗ）のサビネンを含む。いくつかの態様において、精油は、９〜１５％（ｗ／ｗ）のサビネンを含む。いくつかの態様において、精油は、１０〜１５％（ｗ／ｗ）のサビネンを含む。いくつかの態様において、精油は、１１〜１５％（ｗ／ｗ）のサビネンを含む。いくつかの態様において、精油は、１２〜１５％（ｗ／ｗ）のサビネンを含む。いくつかの態様において、精油は、１３〜１５％（ｗ／ｗ）のサビネンを含む。いくつかの態様において、精油は、１４〜１５％（ｗ／ｗ）のサビネンを含む。
【０１６４】
いくつかの態様において、精油は、９〜１４％（ｗ／ｗ）のサビネンを含む。いくつかの態様において、精油は、９〜１３％（ｗ／ｗ）のサビネンを含む。いくつかの態様において、精油は、９〜１２％（ｗ／ｗ）のサビネンを含む。いくつかの態様において、精油は、９〜１１％（ｗ／ｗ）のサビネンを含む。いくつかの態様において、精油は、９〜１０％（ｗ／ｗ）のサビネンを含む。
【０１６５】
いくつかの態様において、精油は、９％（ｗ／ｗ）、または１０％（ｗ／ｗ）、または１１％（ｗ／ｗ）、または１２％（ｗ／ｗ）、または１３％（ｗ／ｗ）、または１４％（ｗ／ｗ）、または１５％（ｗ／ｗ）のサビネンを含む。
【０１６６】
いくつかの態様において、精油は、１２〜１６％（ｗ／ｗ）のβ−ピネンをさらに含む。いくつかの態様において、精油は、１３〜１６％（ｗ／ｗ）のβ−ピネンをさらに含む。いくつかの態様において、精油は、１４〜１６％（ｗ／ｗ）のβ−ピネンをさらに含む。いくつかの態様において、精油は、１５〜１６％（ｗ／ｗ）のβ−ピネンをさらに含む。
【０１６７】
いくつかの態様において、精油は、１２〜１５％（ｗ／ｗ）のβ−ピネンをさらに含む。いくつかの態様において、精油は、１２〜１４％（ｗ／ｗ）のβ−ピネンをさらに含む。いくつかの態様において、精油は、１２〜１３％（ｗ／ｗ）のβ−ピネンをさらに含む。
【０１６８】
いくつかの態様において、精油は、１２％（ｗ／ｗ）、または１３％（ｗ／ｗ）、または１４％（ｗ／ｗ）、または１５％（ｗ／ｗ）、または１６％（ｗ／ｗ）のβ−ピネンをさらに含む。
【０１６９】
いくつかの態様において、精油は、２０〜３０％（ｗ／ｗ）のリモネンをさらに含む。いくつかの態様において、精油は、２１〜３０％（ｗ／ｗ）のリモネンをさらに含む。いくつかの態様において、精油は、２２〜３０％（ｗ／ｗ）のリモネンをさらに含む。いくつかの態様において、精油は、２３〜３０％（ｗ／ｗ）のリモネンをさらに含む。いくつかの態様において、精油は、２４〜３０％（ｗ／ｗ）のリモネンをさらに含む。いくつかの態様において、精油は、２５〜３０％（ｗ／ｗ）のリモネンをさらに含む。いくつかの態様において、精油は、２６〜３０％（ｗ／ｗ）のリモネンをさらに含む。いくつかの態様において、精油は、２７〜３０％（ｗ／ｗ）のリモネンをさらに含む。いくつかの態様において、精油は、２８〜３０％（ｗ／ｗ）のリモネンをさらに含む。いくつかの態様において、精油は、２９〜３０％（ｗ／ｗ）のリモネンをさらに含む。
【０１７０】
いくつかの態様において、精油は、２０〜２９％（ｗ／ｗ）のリモネンをさらに含む。いくつかの態様において、精油は、２０〜２８％（ｗ／ｗ）のリモネンをさらに含む。いくつかの態様において、精油は、２０〜２７％（ｗ／ｗ）のリモネンをさらに含む。いくつかの態様において、精油は、２０〜２６％（ｗ／ｗ）のリモネンをさらに含む。いくつかの態様において、精油は、２０〜２５％（ｗ／ｗ）のリモネンをさらに含む。いくつかの態様において、精油は、２０〜２４％（ｗ／ｗ）のリモネンをさらに含む。いくつかの態様において、精油は、２０〜２３％（ｗ／ｗ）のリモネンをさらに含む。いくつかの態様において、精油は、２０〜２２％（ｗ／ｗ）のリモネンをさらに含む。いくつかの態様において、精油は、２０〜２１％（ｗ／ｗ）のリモネンをさらに含む。
【０１７１】
いくつかの態様において、精油は、２０％（ｗ／ｗ）、または２１％（ｗ／ｗ）、または２２％（ｗ／ｗ）、または２３％（ｗ／ｗ）、または２４％（ｗ／ｗ）、または２５％（ｗ／ｗ）、または２６％（ｗ／ｗ）、または２７％（ｗ／ｗ）、または２８％（ｗ／ｗ）、または２９％（ｗ／ｗ）、または３０％（ｗ／ｗ）のリモネンをさらに含む。
【０１７２】
いくつかの態様において、精油は、７〜１２％（ｗ／ｗ）のβ−カリオフィレンをさらに含む。いくつかの態様において、精油は、８〜１２％（ｗ／ｗ）のβ−カリオフィレンをさらに含む。いくつかの態様において、精油は、９〜１２％（ｗ／ｗ）のβ−カリオフィレンをさらに含む。いくつかの態様において、精油は、１０〜１２％（ｗ／ｗ）のβ−カリオフィレンをさらに含む。いくつかの態様において、精油は、１１〜１２％（ｗ／ｗ）のβ−カリオフィレンをさらに含む。
【０１７３】
いくつかの態様において、精油は、７〜１１％（ｗ／ｗ）のβ−カリオフィレンをさらに含む。いくつかの態様において、精油は７〜１０％（ｗ／ｗ）のβ−カリオフィレンをさらに含む。いくつかの態様において、精油は７〜９％（ｗ／ｗ）のβ−カリオフィレンをさらに含む。いくつかの態様において、精油は７〜８％（ｗ／ｗ）のβ−カリオフィレンをさらに含む。
【０１７４】
いくつかの態様において、精油は７％（ｗ／ｗ）、または８％（ｗ／ｗ）、または９％（ｗ／ｗ）、または１０％（ｗ／ｗ）、または１１％（ｗ／ｗ）、または１２％（ｗ／ｗ）のβ−カリオフィレンをさらに含む。
【０１７５】
いくつかの態様において、精油は、３％（ｗ／ｗ）未満のピペリンをさらに含む。
【０１７６】
いくつかの態様において、精油は、表２に開示するマイクロ波抽出物１、またはマイクロ波抽出物２のうちのいずれか１つにおいて開示する量で、化合物を含む。
【０１７７】
ショウガ根に由来する精油：本明細書に提示する一態様は、ショウガ根から抽出される精油を提供し、ここで、精油は、少なくとも１３％（ｗ／ｗ）のオイカリプトールを含む。
【０１７８】
いくつかの態様において、精油は、１３〜１５％（ｗ／ｗ）のオイカリプトールを含む。いくつかの態様において、精油は、１３〜１４％（ｗ／ｗ）のオイカリプトールを含む。
【０１７９】
いくつかの態様において、精油は、１３％（ｗ／ｗ）、１４％（ｗ／ｗ）、または１５％（ｗ／ｗ）のオイカリプトールを含む。
【０１８０】
いくつかの態様において、精油は、２〜６％（ｗ／ｗ）の６−メチル−５−ヘプテン−２−オンを含む。いくつかの態様において、精油は、３〜６％（ｗ／ｗ）の６−メチル−５−ヘプテン−２−オンを含む。いくつかの態様において、精油は、４〜６％（ｗ／ｗ）の６−メチル−５−ヘプテン−２−オンを含む。いくつかの態様において、精油は、５〜６％（ｗ／ｗ）の６−メチル−５−ヘプテン−２−オンを含む。
【０１８１】
いくつかの態様において、精油は、２〜５％（ｗ／ｗ）の６−メチル−５−ヘプテン−２−オンを含む。いくつかの態様において、精油は、２〜４％（ｗ／ｗ）の６−メチル−５−ヘプテン−２−オンを含む。いくつかの態様において、精油は、２〜３％（ｗ／ｗ）の６−メチル−５−ヘプテン−２−オンを含む。
【０１８２】
いくつかの態様において、精油は、２％（ｗ／ｗ）、または３％（ｗ／ｗ）、または４％（ｗ／ｗ）、または５％（ｗ／ｗ）、または６％（ｗ／ｗ）の６−メチル−５−ヘプテン−２−オンを含む。
【０１８３】
いくつかの態様において、精油は、１９〜２５％（ｗ／ｗ）のネラールを含む。いくつかの態様において、精油は、２０〜２５％（ｗ／ｗ）のネラールを含む。いくつかの態様において、精油は、２１〜２５％（ｗ／ｗ）のネラールを含む。いくつかの態様において、精油は、２２〜２５％（ｗ／ｗ）のネラールを含む。いくつかの態様において、精油は、２３〜２５％（ｗ／ｗ）のネラールを含む。いくつかの態様において、精油は、２４〜２５％（ｗ／ｗ）のネラールを含む。
【０１８４】
いくつかの態様において、精油は、１９〜２４％（ｗ／ｗ）のネラールを含む。いくつかの態様において、精油は、１９〜２３％（ｗ／ｗ）のネラールを含む。いくつかの態様において、精油は、１９〜２２％（ｗ／ｗ）のネラールを含む。いくつかの態様において、精油は、１９〜２１％（ｗ／ｗ）のネラールを含む。いくつかの態様において、精油は、１９〜２０％（ｗ／ｗ）のネラールを含む。
【０１８５】
いくつかの態様において、精油は、１９％（ｗ／ｗ）、または２０％（ｗ／ｗ）、または２１％（ｗ／ｗ）、または２２％（ｗ／ｗ）、または２３％（ｗ／ｗ）、または２４％（ｗ／ｗ）、または２５％（ｗ／ｗ）のネラールを含む。
【０１８６】
いくつかの態様において、精油は、２６〜２９％（ｗ／ｗ）のゲラニアールを含む。いくつかの態様において、精油は、２７〜２９％（ｗ／ｗ）のゲラニアールを含む。いくつかの態様において、精油は、２８〜２９％（ｗ／ｗ）のゲラニアールを含む。
【０１８７】
いくつかの態様において、精油は、２６〜２８％（ｗ／ｗ）のゲラニアールを含む。いくつかの態様において、精油は、２６〜２７％（ｗ／ｗ）のゲラニアールを含む。
【０１８８】
いくつかの態様において、精油は、２６％（ｗ／ｗ）、または２７％（ｗ／ｗ）、または２８％（ｗ／ｗ）、または２９％（ｗ／ｗ）のゲラニアールを含む。
【０１８９】
いくつかの態様において、精油は、０．１％（ｗ／ｗ）超の２−ヘプタノンを含む。
【０１９０】
いくつかの態様において、精油は、０．２％（ｗ／ｗ）超のネロールを含む。
【０１９１】
いくつかの態様において、精油は、１％（ｗ／ｗ）未満のゲラニオールを含む。
【０１９２】
いくつかの態様において、精油は、１８．５％（ｗ／ｗ）未満のジンギベレンを含む。
【０１９３】
いくつかの態様において、精油は、表５に開示するマイクロ波抽出物１またはマイクロ波抽出物２のうちのいずれか１つにおいて開示する量で、化合物を含む。
【０１９４】
セイヨウナシ由来の抽出物：本明細書に提示する一態様は、セイヨウナシ由来の抽出物を提供し、ここで、抽出物は、少なくとも０．１％（ｗ／ｗ）の酢酸ヘキシルを含む。
【０１９５】
いくつかの態様において、抽出物は、０．１〜６％（ｗ／ｗ）の酢酸ヘキシルを含む。いくつかの態様において、抽出物は、０．２〜６％（ｗ／ｗ）の酢酸ヘキシルを含む。いくつかの態様において、抽出物は、０．３〜６％（ｗ／ｗ）の酢酸ヘキシルを含む。いくつかの態様において、抽出物は、０．４〜６％（ｗ／ｗ）の酢酸ヘキシルを含む。いくつかの態様において、抽出物は、０．５〜６％（ｗ／ｗ）の酢酸ヘキシルを含む。いくつかの態様において、抽出物は、０．６〜６％（ｗ／ｗ）の酢酸ヘキシルを含む。いくつかの態様において、抽出物は、０．７〜６％（ｗ／ｗ）の酢酸ヘキシルを含む。いくつかの態様において、抽出物は、０．８〜６％（ｗ／ｗ）の酢酸ヘキシルを含む。いくつかの態様において、抽出物は、０．９〜６％（ｗ／ｗ）の酢酸ヘキシルを含む。いくつかの態様において、抽出物は、１〜６％（ｗ／ｗ）の酢酸ヘキシルを含む。いくつかの態様において、抽出物は、１．１〜６％（ｗ／ｗ）の酢酸ヘキシルを含む。いくつかの態様において、抽出物は、１．２〜６％（ｗ／ｗ）の酢酸ヘキシルを含む。いくつかの態様において、抽出物は、１．３〜６％（ｗ／ｗ）の酢酸ヘキシルを含む。いくつかの態様において、抽出物は、１．４〜６％（ｗ／ｗ）の酢酸ヘキシルを含む。いくつかの態様において、抽出物は、１．５〜６％（ｗ／ｗ）の酢酸ヘキシルを含む。いくつかの態様において、抽出物は、１．６〜６％（ｗ／ｗ）の酢酸ヘキシルを含む。いくつかの態様において、抽出物は、１．７〜６％（ｗ／ｗ）の酢酸ヘキシルを含む。いくつかの態様において、抽出物は、１．８〜６％（ｗ／ｗ）の酢酸ヘキシルを含む。いくつかの態様において、抽出物は、１．９〜６％（ｗ／ｗ）の酢酸ヘキシルを含む。いくつかの態様において、抽出物は、２〜６％（ｗ／ｗ）の酢酸ヘキシルを含む。いくつかの態様において、抽出物は、２．１〜６％（ｗ／ｗ）の酢酸ヘキシルを含む。いくつかの態様において、抽出物は、２．２〜６％（ｗ／ｗ）の酢酸ヘキシルを含む。いくつかの態様において、抽出物は、２．３〜６％（ｗ／ｗ）の酢酸ヘキシルを含む。いくつかの態様において、抽出物は、２．４〜６％（ｗ／ｗ）の酢酸ヘキシルを含む。いくつかの態様において、抽出物は、２．５〜６％（ｗ／ｗ）の酢酸ヘキシルを含む。いくつかの態様において、抽出物は、２．６〜６％（ｗ／ｗ）の酢酸ヘキシルを含む。いくつかの態様において、抽出物は、２．７〜６％（ｗ／ｗ）の酢酸ヘキシルを含む。いくつかの態様において、抽出物は、２．８〜６％（ｗ／ｗ）の酢酸ヘキシルを含む。いくつかの態様において、抽出物は、２．９〜６％（ｗ／ｗ）の酢酸ヘキシルを含む。いくつかの態様において、抽出物は、３〜６％（ｗ／ｗ）の酢酸ヘキシルを含む。いくつかの態様において、抽出物は、３．１〜６％（ｗ／ｗ）の酢酸ヘキシルを含む。いくつかの態様において、抽出物は、３．２〜６％（ｗ／ｗ）の酢酸ヘキシルを含む。いくつかの態様において、抽出物は、３．３〜６％（ｗ／ｗ）の酢酸ヘキシルを含む。いくつかの態様において、抽出物は、３．４〜６％（ｗ／ｗ）の酢酸ヘキシルを含む。いくつかの態様において、抽出物は、３．５〜６％（ｗ／ｗ）の酢酸ヘキシルを含む。いくつかの態様において、抽出物は、３．６〜６％（ｗ／ｗ）の酢酸ヘキシルを含む。いくつかの態様において、抽出物は、３．７〜６％（ｗ／ｗ）の酢酸ヘキシルを含む。いくつかの態様において、抽出物は、３．８〜６％（ｗ／ｗ）の酢酸ヘキシルを含む。いくつかの態様において、抽出物は、３．９〜６％（ｗ／ｗ）の酢酸ヘキシルを含む。いくつかの態様において、抽出物は、４〜６％（ｗ／ｗ）の酢酸ヘキシルを含む。いくつかの態様において、抽出物は、４．１〜６％（ｗ／ｗ）の酢酸ヘキシルを含む。いくつかの態様において、抽出物は、４．２〜６％（ｗ／ｗ）の酢酸ヘキシルを含む。いくつかの態様において、抽出物は、４．３〜６％（ｗ／ｗ）の酢酸ヘキシルを含む。いくつかの態様において、抽出物は、４．４〜６％（ｗ／ｗ）の酢酸ヘキシルを含む。いくつかの態様において、抽出物は、４．５〜６％（ｗ／ｗ）の酢酸ヘキシルを含む。いくつかの態様において、抽出物は、４．６〜６％（ｗ／ｗ）の酢酸ヘキシルを含む。いくつかの態様において、抽出物は、４．７〜６％（ｗ／ｗ）の酢酸ヘキシルを含む。いくつかの態様において、抽出物は、４．８〜６％（ｗ／ｗ）の酢酸ヘキシルを含む。いくつかの態様において、抽出物は、４．９〜６％（ｗ／ｗ）の酢酸ヘキシルを含む。いくつかの態様において、抽出物は、５〜６％（ｗ／ｗ）の酢酸ヘキシルを含む。いくつかの態様において、抽出物は、５．１〜６％（ｗ／ｗ）の酢酸ヘキシルを含む。いくつかの態様において、抽出物は、５．２〜６％（ｗ／ｗ）の酢酸ヘキシルを含む。いくつかの態様において、抽出物は、５．３〜６％（ｗ／ｗ）の酢酸ヘキシルを含む。いくつかの態様において、抽出物は、５．４〜６％（ｗ／ｗ）の酢酸ヘキシルを含む。いくつかの態様において、抽出物は、５．５〜６％（ｗ／ｗ）の酢酸ヘキシルを含む。いくつかの態様において、抽出物は、５．６〜６％（ｗ／ｗ）の酢酸ヘキシルを含む。いくつかの態様において、抽出物は、５．７〜６％（ｗ／ｗ）の酢酸ヘキシルを含む。いくつかの態様において、抽出物は、５．８〜６％（ｗ／ｗ）の酢酸ヘキシルを含む。いくつかの態様において、抽出物は、５．９〜６％（ｗ／ｗ）の酢酸ヘキシルを含む。
【０１９６】
いくつかの態様において、抽出物は、０．１〜５．９％（ｗ／ｗ）の酢酸ヘキシルを含む。いくつかの態様において、抽出物は、０．１〜５．８％（ｗ／ｗ）の酢酸ヘキシルを含む。いくつかの態様において、抽出物は、０．１〜５．７％（ｗ／ｗ）の酢酸ヘキシルを含む。いくつかの態様において、抽出物は、０．１〜５．６％（ｗ／ｗ）の酢酸ヘキシルを含む。いくつかの態様において、抽出物は、０．１〜５．５％（ｗ／ｗ）の酢酸ヘキシルを含む。いくつかの態様において、抽出物は、０．１〜５．４％（ｗ／ｗ）の酢酸ヘキシルを含む。いくつかの態様において、抽出物は、０．１〜５．３％（ｗ／ｗ）の酢酸ヘキシルを含む。いくつかの態様において、抽出物は、０．１〜５．２％（ｗ／ｗ）の酢酸ヘキシルを含む。いくつかの態様において、抽出物は、０．１〜５．１％（ｗ／ｗ）の酢酸ヘキシルを含む。いくつかの態様において、抽出物は、０．１〜５％（ｗ／ｗ）の酢酸ヘキシルを含む。いくつかの態様において、抽出物は、０．１〜４．９％（ｗ／ｗ）の酢酸ヘキシルを含む。いくつかの態様において、抽出物は、０．１〜４．８％（ｗ／ｗ）の酢酸ヘキシルを含む。いくつかの態様において、抽出物は、０．１〜４．７％（ｗ／ｗ）の酢酸ヘキシルを含む。いくつかの態様において、抽出物は、０．１〜４．６％（ｗ／ｗ）の酢酸ヘキシルを含む。いくつかの態様において、抽出物は、０．１〜４．５％（ｗ／ｗ）の酢酸ヘキシルを含む。いくつかの態様において、抽出物は、０．１〜４．４％（ｗ／ｗ）の酢酸ヘキシルを含む。いくつかの態様において、抽出物は、０．１〜４．３％（ｗ／ｗ）の酢酸ヘキシルを含む。いくつかの態様において、抽出物は、０．１〜４．２％（ｗ／ｗ）の酢酸ヘキシルを含む。いくつかの態様において、抽出物は、０．１〜４．１％（ｗ／ｗ）の酢酸ヘキシルを含む。いくつかの態様において、抽出物は、０．１〜４％（ｗ／ｗ）の酢酸ヘキシルを含む。いくつかの態様において、抽出物は、０．１〜３．９％（ｗ／ｗ）の酢酸ヘキシルを含む。いくつかの態様において、抽出物は、０．１〜３．８％（ｗ／ｗ）の酢酸ヘキシルを含む。いくつかの態様において、抽出物は、０．１〜３．７％（ｗ／ｗ）の酢酸ヘキシルを含む。いくつかの態様において、抽出物は、０．１〜３．６％（ｗ／ｗ）の酢酸ヘキシルを含む。いくつかの態様において、抽出物は、０．１〜３．５％（ｗ／ｗ）の酢酸ヘキシルを含む。いくつかの態様において、抽出物は、０．１〜３．４％（ｗ／ｗ）の酢酸ヘキシルを含む。いくつかの態様において、抽出物は、０．１〜３．３％（ｗ／ｗ）の酢酸ヘキシルを含む。いくつかの態様において、抽出物は、０．１〜３．２％（ｗ／ｗ）の酢酸ヘキシルを含む。いくつかの態様において、抽出物は、０．１〜３．１％（ｗ／ｗ）の酢酸ヘキシルを含む。いくつかの態様において、抽出物は、０．１〜３％（ｗ／ｗ）の酢酸ヘキシルを含む。いくつかの態様において、抽出物は、０．１〜２．９％（ｗ／ｗ）の酢酸ヘキシルを含む。いくつかの態様において、抽出物は、０．１〜２．８％（ｗ／ｗ）の酢酸ヘキシルを含む。いくつかの態様において、抽出物は、０．１〜２．７％（ｗ／ｗ）の酢酸ヘキシルを含む。いくつかの態様において、抽出物は、０．１〜２．６％（ｗ／ｗ）の酢酸ヘキシルを含む。いくつかの態様において、抽出物は、０．１〜２．５％（ｗ／ｗ）の酢酸ヘキシルを含む。いくつかの態様において、抽出物は、０．１〜２．４％（ｗ／ｗ）の酢酸ヘキシルを含む。いくつかの態様において、抽出物は、０．１〜２．３％（ｗ／ｗ）の酢酸ヘキシルを含む。いくつかの態様において、抽出物は、０．１〜２．２％（ｗ／ｗ）の酢酸ヘキシルを含む。いくつかの態様において、抽出物は、０．１〜２．１％（ｗ／ｗ）の酢酸ヘキシルを含む。いくつかの態様において、抽出物は、０．１〜２％（ｗ／ｗ）の酢酸ヘキシルを含む。いくつかの態様において、抽出物は、０．１〜１．９％（ｗ／ｗ）の酢酸ヘキシルを含む。いくつかの態様において、抽出物は、０．１〜１．８％（ｗ／ｗ）の酢酸ヘキシルを含む。いくつかの態様において、抽出物は、０．１〜１．７％（ｗ／ｗ）の酢酸ヘキシルを含む。いくつかの態様において、抽出物は、０．１〜１．６％（ｗ／ｗ）の酢酸ヘキシルを含む。いくつかの態様において、抽出物は、０．１〜１．５％（ｗ／ｗ）の酢酸ヘキシルを含む。いくつかの態様において、抽出物は、０．１〜１．４％（ｗ／ｗ）の酢酸ヘキシルを含む。いくつかの態様において、抽出物は、０．１〜１．３％（ｗ／ｗ）の酢酸ヘキシルを含む。いくつかの態様において、抽出物は、０．１〜１．２％（ｗ／ｗ）の酢酸ヘキシルを含む。いくつかの態様において、抽出物は、０．１〜１．１％（ｗ／ｗ）の酢酸ヘキシルを含む。いくつかの態様において、抽出物は、０．１〜１％（ｗ／ｗ）の酢酸ヘキシルを含む。いくつかの態様において、抽出物は、０．１〜０．９％（ｗ／ｗ）の酢酸ヘキシルを含む。いくつかの態様において、抽出物は、０．１〜０．８％（ｗ／ｗ）の酢酸ヘキシルを含む。いくつかの態様において、抽出物は、０．１〜０．７％（ｗ／ｗ）の酢酸ヘキシルを含む。いくつかの態様において、抽出物は、０．１〜０．６％（ｗ／ｗ）の酢酸ヘキシルを含む。いくつかの態様において、抽出物は、０．１〜０．５％（ｗ／ｗ）の酢酸ヘキシルを含む。いくつかの態様において、抽出物は、０．１〜０．４％（ｗ／ｗ）の酢酸ヘキシルを含む。いくつかの態様において、抽出物は、０．１〜０．３％（ｗ／ｗ）の酢酸ヘキシルを含む。いくつかの態様において、抽出物は、０．１〜０．２％（ｗ／ｗ）の酢酸ヘキシルを含む。
【０１９７】
いくつかの態様において、抽出物は、０．１％（ｗ／ｗ）、または０．２％（ｗ／ｗ）、または０．３％（ｗ／ｗ）、または０．４％（ｗ／ｗ）、または０．５％（ｗ／ｗ）、または０．６％（ｗ／ｗ）、または０．７％（ｗ／ｗ）、または０．８％（ｗ／ｗ）、または０．９％（ｗ／ｗ）、または１％（ｗ／ｗ）、または１．１％（ｗ／ｗ）、または１．２％（ｗ／ｗ）、または１．３％（ｗ／ｗ）、または１．４％（ｗ／ｗ）、または１．５％（ｗ／ｗ）、または１．６％（ｗ／ｗ）、または１．７％（ｗ／ｗ）、または１．８％（ｗ／ｗ）、または１．９％（ｗ／ｗ）、または２％（ｗ／ｗ）、または２．１％（ｗ／ｗ）、または２．２％（ｗ／ｗ）、または２．３％（ｗ／ｗ）、または２．４％（ｗ／ｗ）、または２．５％（ｗ／ｗ）、または２．６％（ｗ／ｗ）、または２．７％（ｗ／ｗ）、または２．８％（ｗ／ｗ）、または２．９％（ｗ／ｗ）、または３％（ｗ／ｗ）、または３．１％（ｗ／ｗ）、または３．２％（ｗ／ｗ）、または３．３％（ｗ／ｗ）、または３．４％（ｗ／ｗ）、または３．５％（ｗ／ｗ）、または３．６％（ｗ／ｗ）、または３．７％（ｗ／ｗ）、または３．８％（ｗ／ｗ）、または３．９％（ｗ／ｗ）、または４％（ｗ／ｗ）、または４．１％（ｗ／ｗ）、または４．２％（ｗ／ｗ）、または４．３％（ｗ／ｗ）、または４．４％（ｗ／ｗ）、または４．５％（ｗ／ｗ）、または４．６％（ｗ／ｗ）、または４．７％（ｗ／ｗ）、または４．８％（ｗ／ｗ）、または４．９％（ｗ／ｗ）、または５％（ｗ／ｗ）、または５．１％（ｗ／ｗ）、または５．２％（ｗ／ｗ）、または５．３％（ｗ／ｗ）、または５．４％（ｗ／ｗ）、または５．５％（ｗ／ｗ）、または５．６％（ｗ／ｗ）、または５．７％（ｗ／ｗ）、または５．８％（ｗ／ｗ）、または５．９％（ｗ／ｗ）、または６％（ｗ／ｗ）の酢酸ヘキシルを含む。
【０１９８】
いくつかの態様において、抽出物は、３〜１５％（ｗ／ｗ）のアセトールをさらに含む。いくつかの態様において、抽出物は、３〜１４％（ｗ／ｗ）のアセトールをさらに含む。いくつかの態様において、抽出物は、３〜１３％（ｗ／ｗ）のアセトールをさらに含む。いくつかの態様において、抽出物は、３〜１２％（ｗ／ｗ）のアセトールをさらに含む。いくつかの態様において、抽出物は、３〜１１％（ｗ／ｗ）のアセトールをさらに含む。いくつかの態様において、抽出物は、３〜１０％（ｗ／ｗ）のアセトールをさらに含む。いくつかの態様において、抽出物は、３〜９％（ｗ／ｗ）のアセトールをさらに含む。いくつかの態様において、抽出物は、３〜８％（ｗ／ｗ）のアセトールをさらに含む。いくつかの態様において、抽出物は、３〜７％（ｗ／ｗ）のアセトールをさらに含む。いくつかの態様において、抽出物は、３〜６％（ｗ／ｗ）のアセトールをさらに含む。いくつかの態様において、抽出物は、３〜５％（ｗ／ｗ）のアセトールをさらに含む。いくつかの態様において、抽出物は、３〜４％（ｗ／ｗ）のアセトールをさらに含む。
【０１９９】
いくつかの態様において、抽出物は、４〜１５％（ｗ／ｗ）のアセトールをさらに含む。いくつかの態様において、抽出物は、５〜１５％（ｗ／ｗ）のアセトールをさらに含む。いくつかの態様において、抽出物は、６〜１５％（ｗ／ｗ）のアセトールをさらに含む。いくつかの態様において、抽出物は、７〜１５％（ｗ／ｗ）のアセトールをさらに含む。いくつかの態様において、抽出物は、８〜１５％（ｗ／ｗ）のアセトールをさらに含む。いくつかの態様において、抽出物は、９〜１５％（ｗ／ｗ）のアセトールをさらに含む。いくつかの態様において、抽出物は、１０〜１５％（ｗ／ｗ）のアセトールをさらに含む。いくつかの態様において、抽出物は、１１〜１５％（ｗ／ｗ）のアセトールをさらに含む。いくつかの態様において、抽出物は、１２〜１５％（ｗ／ｗ）のアセトールをさらに含む。いくつかの態様において、抽出物は、１３〜１５％（ｗ／ｗ）のアセトールをさらに含む。いくつかの態様において、抽出物は、１４〜１５％（ｗ／ｗ）のアセトールをさらに含む。
【０２００】
いくつかの態様において、抽出物は、３％（ｗ／ｗ）、または４％（ｗ／ｗ）、または５％（ｗ／ｗ）、または６％（ｗ／ｗ）、または７％（ｗ／ｗ）、または８％（ｗ／ｗ）、または９％（ｗ／ｗ）、または１０％（ｗ／ｗ）、または１１％（ｗ／ｗ）、または１２％（ｗ／ｗ）、または１３％（ｗ／ｗ）、または１４％（ｗ／ｗ）、または１５％（ｗ／ｗ）のアセトールをさらに含む。
【０２０１】
いくつかの態様において、抽出物は、２〜８％（ｗ／ｗ）の酢酸をさらに含む。いくつかの態様において、抽出物は、３〜８％（ｗ／ｗ）の酢酸をさらに含む。いくつかの態様において、抽出物は、４〜８％（ｗ／ｗ）の酢酸をさらに含む。いくつかの態様において、抽出物は、５〜８％（ｗ／ｗ）の酢酸をさらに含む。いくつかの態様において、抽出物は、６〜８％（ｗ／ｗ）の酢酸をさらに含む。いくつかの態様において、抽出物は、７〜８％（ｗ／ｗ）の酢酸をさらに含む。
【０２０２】
いくつかの態様において、抽出物は、２〜７％（ｗ／ｗ）の酢酸をさらに含む。いくつかの態様において、抽出物は、２〜６％（ｗ／ｗ）の酢酸をさらに含む。いくつかの態様において、抽出物は、２〜５％（ｗ／ｗ）の酢酸をさらに含む。いくつかの態様において、抽出物は、２〜４％（ｗ／ｗ）の酢酸をさらに含む。いくつかの態様において、抽出物は、２〜３％（ｗ／ｗ）の酢酸をさらに含む。
【０２０３】
いくつかの態様において、抽出物は、２％（ｗ／ｗ）、または３％（ｗ／ｗ）、または４％（ｗ／ｗ）、または５％（ｗ／ｗ）、または６％（ｗ／ｗ）、または７％（ｗ／ｗ）、または８％（ｗ／ｗ）の酢酸をさらに含む。
【０２０４】
いくつかの態様において、抽出物は、０．５〜２％（ｗ／ｗ）のフルフラールをさらに含む。いくつかの態様において、抽出物は、１〜２％（ｗ／ｗ）のフルフラールをさらに含む。いくつかの態様において、抽出物は、１．５〜２％（ｗ／ｗ）のフルフラールをさらに含む。
【０２０５】
いくつかの態様において、抽出物は、０．５〜１．５％（ｗ／ｗ）のフルフラールをさらに含む。いくつかの態様において、抽出物は、０．５〜１％（ｗ／ｗ）のフルフラールをさらに含む。
【０２０６】
いくつかの態様において、抽出物は、０．５％（ｗ／ｗ）、または１％（ｗ／ｗ）、または１．５％（ｗ／ｗ）、または２％（ｗ／ｗ）のフルフラールをさらに含む。
【０２０７】
いくつかの態様において、抽出物は、０．５〜２％（ｗ／ｗ）のフルフラールアルコールをさらに含む。いくつかの態様において、抽出物は、１〜２％（ｗ／ｗ）のフルフラールアルコールをさらに含む。いくつかの態様において、抽出物は、１．５〜２％（ｗ／ｗ）のフルフラールアルコールをさらに含む。
【０２０８】
いくつかの態様において、抽出物は、０．５〜１．５％（ｗ／ｗ）のフルフラールアルコールをさらに含む。いくつかの態様において、抽出物は、０．５〜１％（ｗ／ｗ）のフルフラールアルコールをさらに含む。
【０２０９】
いくつかの態様において、抽出物は、０．５％（ｗ／ｗ）、または１％（ｗ／ｗ）、または１．５％（ｗ／ｗ）、または２％（ｗ／ｗ）のフルフラールアルコールをさらに含む。
【０２１０】
いくつかの態様において、抽出物は、０．２〜２％（ｗ／ｗ）の２−メチル酪酸をさらに含む。いくつかの態様において、抽出物は、０．４〜２％（ｗ／ｗ）の２−メチル酪酸をさらに含む。いくつかの態様において、抽出物は、０．６〜２％（ｗ／ｗ）の２−メチル酪酸をさらに含む。いくつかの態様において、抽出物は、０．８〜２％（ｗ／ｗ）の２−メチル酪酸をさらに含む。いくつかの態様において、抽出物は、１〜２％（ｗ／ｗ）の２−メチル酪酸をさらに含む。いくつかの態様において、抽出物は、１．２〜２％（ｗ／ｗ）の２−メチル酪酸をさらに含む。いくつかの態様において、抽出物は、１．４〜２％（ｗ／ｗ）の２−メチル酪酸をさらに含む。いくつかの態様において、抽出物は、１．６〜２％（ｗ／ｗ）の２−メチル酪酸をさらに含む。いくつかの態様において、抽出物は、１．８〜２％（ｗ／ｗ）の２−メチル酪酸をさらに含む。
【０２１１】
いくつかの態様において、抽出物は、０．２〜１．８％（ｗ／ｗ）の２−メチル酪酸をさらに含む。いくつかの態様において、抽出物は、０．２〜１．６％（ｗ／ｗ）の２−メチル酪酸をさらに含む。いくつかの態様において、抽出物は、０．２〜１．４％（ｗ／ｗ）の２−メチル酪酸をさらに含む。いくつかの態様において、抽出物は、０．２〜１．２％（ｗ／ｗ）の２−メチル酪酸をさらに含む。いくつかの態様において、抽出物は、０．２〜１％（ｗ／ｗ）の２−メチル酪酸をさらに含む。いくつかの態様において、抽出物は、０．２〜０．８％（ｗ／ｗ）の２−メチル酪酸をさらに含む。いくつかの態様において、抽出物は、０．２〜０．６％（ｗ／ｗ）の２−メチル酪酸をさらに含む。いくつかの態様において、抽出物は、０．２〜０．４％（ｗ／ｗ）の２−メチル酪酸をさらに含む。
【０２１２】
いくつかの態様において、抽出物は、０．２％（ｗ／ｗ）、または０．４％（ｗ／ｗ）、または０．６％（ｗ／ｗ）、または０．８％（ｗ／ｗ）、または１％（ｗ／ｗ）、または１．２％（ｗ／ｗ）、または１．４％（ｗ／ｗ）、または１．６％（ｗ／ｗ）、または１．８％（ｗ／ｗ）、または２％（ｗ／ｗ）の２−メチル酪酸をさらに含む。
【０２１３】
いくつかの態様において、抽出物は、６〜４６％（ｗ／ｗ）の１，３−ジヒドロキシアセトンをさらに含む。いくつかの態様において、抽出物は、７〜４６％（ｗ／ｗ）の１，３−ジヒドロキシアセトンをさらに含む。いくつかの態様において、抽出物は、８〜４６％（ｗ／ｗ）の１，３−ジヒドロキシアセトンをさらに含む。いくつかの態様において、抽出物は、９〜４６％（ｗ／ｗ）の１，３−ジヒドロキシアセトンをさらに含む。いくつかの態様において、抽出物は、１０〜４６％（ｗ／ｗ）の１，３−ジヒドロキシアセトンをさらに含む。いくつかの態様において、抽出物は、１１〜４６％（ｗ／ｗ）の１，３−ジヒドロキシアセトンをさらに含む。いくつかの態様において、抽出物は、１２〜４６％（ｗ／ｗ）の１，３−ジヒドロキシアセトンをさらに含む。いくつかの態様において、抽出物は、１３〜４６％（ｗ／ｗ）の１，３−ジヒドロキシアセトンをさらに含む。いくつかの態様において、抽出物は、１４〜４６％（ｗ／ｗ）の１，３−ジヒドロキシアセトンをさらに含む。いくつかの態様において、抽出物は、１５〜４６％（ｗ／ｗ）の１，３−ジヒドロキシアセトンをさらに含む。いくつかの態様において、抽出物は、１６〜４６％（ｗ／ｗ）の１，３−ジヒドロキシアセトンをさらに含む。いくつかの態様において、抽出物は、１７〜４６％（ｗ／ｗ）の１，３−ジヒドロキシアセトンをさらに含む。いくつかの態様において、抽出物は、１８〜４６％（ｗ／ｗ）の１，３−ジヒドロキシアセトンをさらに含む。いくつかの態様において、抽出物は、１９〜４６％（ｗ／ｗ）の１，３−ジヒドロキシアセトンをさらに含む。いくつかの態様において、抽出物は、２０〜４６％（ｗ／ｗ）の１，３−ジヒドロキシアセトンをさらに含む。いくつかの態様において、抽出物は、２１〜４６％（ｗ／ｗ）の１，３−ジヒドロキシアセトンをさらに含む。いくつかの態様において、抽出物は、２２〜４６％（ｗ／ｗ）の１，３−ジヒドロキシアセトンをさらに含む。いくつかの態様において、抽出物は、２３〜４６％（ｗ／ｗ）の１，３−ジヒドロキシアセトンをさらに含む。いくつかの態様において、抽出物は、２４〜４６％（ｗ／ｗ）の１，３−ジヒドロキシアセトンをさらに含む。いくつかの態様において、抽出物は、２５〜４６％（ｗ／ｗ）の１，３−ジヒドロキシアセトンをさらに含む。いくつかの態様において、抽出物は、２６〜４６％（ｗ／ｗ）の１，３−ジヒドロキシアセトンをさらに含む。いくつかの態様において、抽出物は、２７〜４６％（ｗ／ｗ）の１，３−ジヒドロキシアセトンをさらに含む。いくつかの態様において、抽出物は、２８〜４６％（ｗ／ｗ）の１，３−ジヒドロキシアセトンをさらに含む。いくつかの態様において、抽出物は、２９〜４６％（ｗ／ｗ）の１，３−ジヒドロキシアセトンをさらに含む。いくつかの態様において、抽出物は、３０〜４６％（ｗ／ｗ）の１，３−ジヒドロキシアセトンをさらに含む。いくつかの態様において、抽出物は、３１〜４６％（ｗ／ｗ）の１，３−ジヒドロキシアセトンをさらに含む。いくつかの態様において、抽出物は、３２〜４６％（ｗ／ｗ）の１，３−ジヒドロキシアセトンをさらに含む。いくつかの態様において、抽出物は、３３〜４６％（ｗ／ｗ）の１，３−ジヒドロキシアセトンをさらに含む。いくつかの態様において、抽出物は、３４〜４６％（ｗ／ｗ）の１，３−ジヒドロキシアセトンをさらに含む。いくつかの態様において、抽出物は、３５〜４６％（ｗ／ｗ）の１，３−ジヒドロキシアセトンをさらに含む。いくつかの態様において、抽出物は、３６〜４６％（ｗ／ｗ）の１，３−ジヒドロキシアセトンをさらに含む。いくつかの態様において、抽出物は、３７〜４６％（ｗ／ｗ）の１，３−ジヒドロキシアセトンをさらに含む。いくつかの態様において、抽出物は、３８〜４６％（ｗ／ｗ）の１，３−ジヒドロキシアセトンをさらに含む。いくつかの態様において、抽出物は、３９〜４６％（ｗ／ｗ）の１，３−ジヒドロキシアセトンをさらに含む。いくつかの態様において、抽出物は、４０〜４６％（ｗ／ｗ）の１，３−ジヒドロキシアセトンをさらに含む。いくつかの態様において、抽出物は、４１〜４６％（ｗ／ｗ）の１，３−ジヒドロキシアセトンをさらに含む。いくつかの態様において、抽出物は、４２〜４６％（ｗ／ｗ）の１，３−ジヒドロキシアセトンをさらに含む。いくつかの態様において、抽出物は、４３〜４６％（ｗ／ｗ）の１，３−ジヒドロキシアセトンをさらに含む。いくつかの態様において、抽出物は、４４〜４６％（ｗ／ｗ）の１，３−ジヒドロキシアセトンをさらに含む。いくつかの態様において、抽出物は、４５〜４６％（ｗ／ｗ）の１，３−ジヒドロキシアセトンをさらに含む。
【０２１４】
いくつかの態様において、抽出物は、６〜４５％（ｗ／ｗ）の１，３−ジヒドロキシアセトンをさらに含む。いくつかの態様において、抽出物は、６〜４４％（ｗ／ｗ）の１，３−ジヒドロキシアセトンをさらに含む。いくつかの態様において、抽出物は、６〜４３％（ｗ／ｗ）の１，３−ジヒドロキシアセトンをさらに含む。いくつかの態様において、抽出物は、６〜４２％（ｗ／ｗ）の１，３−ジヒドロキシアセトンをさらに含む。いくつかの態様において、抽出物は、６〜４１％（ｗ／ｗ）の１，３−ジヒドロキシアセトンをさらに含む。いくつかの態様において、抽出物は、６〜４０％（ｗ／ｗ）の１，３−ジヒドロキシアセトンをさらに含む。いくつかの態様において、抽出物は、６〜３９％（ｗ／ｗ）の１，３−ジヒドロキシアセトンをさらに含む。いくつかの態様において、抽出物は、６〜３８％（ｗ／ｗ）の１，３−ジヒドロキシアセトンをさらに含む。いくつかの態様において、抽出物は、６〜３７％（ｗ／ｗ）の１，３−ジヒドロキシアセトンをさらに含む。いくつかの態様において、抽出物は、６〜３６％（ｗ／ｗ）の１，３−ジヒドロキシアセトンをさらに含む。いくつかの態様において、抽出物は、６〜３５％（ｗ／ｗ）の１，３−ジヒドロキシアセトンをさらに含む。いくつかの態様において、抽出物は、６〜３４％（ｗ／ｗ）の１，３−ジヒドロキシアセトンをさらに含む。いくつかの態様において、抽出物は、６〜３３％（ｗ／ｗ）の１，３−ジヒドロキシアセトンをさらに含む。いくつかの態様において、抽出物は、６〜３２％（ｗ／ｗ）の１，３−ジヒドロキシアセトンをさらに含む。いくつかの態様において、抽出物は、６〜３１％（ｗ／ｗ）の１，３−ジヒドロキシアセトンをさらに含む。いくつかの態様において、抽出物は、６〜３０％（ｗ／ｗ）の１，３−ジヒドロキシアセトンをさらに含む。いくつかの態様において、抽出物は、６〜２９％（ｗ／ｗ）の１，３−ジヒドロキシアセトンをさらに含む。いくつかの態様において、抽出物は、６〜２８％（ｗ／ｗ）の１，３−ジヒドロキシアセトンをさらに含む。いくつかの態様において、抽出物は、６〜２７％（ｗ／ｗ）の１，３−ジヒドロキシアセトンをさらに含む。いくつかの態様において、抽出物は、６〜２６％（ｗ／ｗ）の１，３−ジヒドロキシアセトンをさらに含む。いくつかの態様において、抽出物は、６〜２５％（ｗ／ｗ）の１，３−ジヒドロキシアセトンをさらに含む。いくつかの態様において、抽出物は、６〜２４％（ｗ／ｗ）の１，３−ジヒドロキシアセトンをさらに含む。いくつかの態様において、抽出物は、６〜２３％（ｗ／ｗ）の１，３−ジヒドロキシアセトンをさらに含む。いくつかの態様において、抽出物は、６〜２２％（ｗ／ｗ）の１，３−ジヒドロキシアセトンをさらに含む。いくつかの態様において、抽出物は、６〜２１％（ｗ／ｗ）の１，３−ジヒドロキシアセトンをさらに含む。いくつかの態様において、抽出物は、６〜２０％（ｗ／ｗ）の１，３−ジヒドロキシアセトンをさらに含む。いくつかの態様において、抽出物は、６〜１９％（ｗ／ｗ）の１，３−ジヒドロキシアセトンをさらに含む。いくつかの態様において、抽出物は、６〜１８％（ｗ／ｗ）の１，３−ジヒドロキシアセトンをさらに含む。いくつかの態様において、抽出物は、６〜１７％（ｗ／ｗ）の１，３−ジヒドロキシアセトンをさらに含む。いくつかの態様において、抽出物は、６〜１６％（ｗ／ｗ）の１，３−ジヒドロキシアセトンをさらに含む。いくつかの態様において、抽出物は、６〜１５％（ｗ／ｗ）の１，３−ジヒドロキシアセトンをさらに含む。いくつかの態様において、抽出物は、６〜１４％（ｗ／ｗ）の１，３−ジヒドロキシアセトンをさらに含む。いくつかの態様において、抽出物は、６〜１３％（ｗ／ｗ）の１，３−ジヒドロキシアセトンをさらに含む。いくつかの態様において、抽出物は、６〜１２％（ｗ／ｗ）の１，３−ジヒドロキシアセトンをさらに含む。いくつかの態様において、抽出物は、６〜１１％（ｗ／ｗ）の１，３−ジヒドロキシアセトンをさらに含む。いくつかの態様において、抽出物は、６〜１０％（ｗ／ｗ）の１，３−ジヒドロキシアセトンをさらに含む。いくつかの態様において、抽出物は、６〜９％（ｗ／ｗ）の１，３−ジヒドロキシアセトンをさらに含む。いくつかの態様において、抽出物は、６〜８％（ｗ／ｗ）の１，３−ジヒドロキシアセトンをさらに含む。いくつかの態様において、抽出物は、６〜７％（ｗ／ｗ）の１，３−ジヒドロキシアセトンをさらに含む。
【０２１５】
いくつかの態様において、抽出物は、６％（ｗ／ｗ）、または７％（ｗ／ｗ）、または８％（ｗ／ｗ）、または９％（ｗ／ｗ）、または１０％（ｗ／ｗ）、または１１％（ｗ／ｗ）、または１２％（ｗ／ｗ）、または１３％（ｗ／ｗ）、または１４％（ｗ／ｗ）、または１５％（ｗ／ｗ）、または１６％（ｗ／ｗ）、または１７％（ｗ／ｗ）、または１８％（ｗ／ｗ）、または１９％（ｗ／ｗ）、または２０％（ｗ／ｗ）、または２１％（ｗ／ｗ）、または２２％（ｗ／ｗ）、または２３％（ｗ／ｗ）、または２４％（ｗ／ｗ）、または２５％（ｗ／ｗ）、または２６％（ｗ／ｗ）、または２７％（ｗ／ｗ）、または２８％（ｗ／ｗ）、または２９％（ｗ／ｗ）、または３０％（ｗ／ｗ）、または３１％（ｗ／ｗ）、または３２％（ｗ／ｗ）、または３３％（ｗ／ｗ）、または３４％（ｗ／ｗ）、または３５％（ｗ／ｗ）、または３６％（ｗ／ｗ）、または３７％（ｗ／ｗ）、または３８％（ｗ／ｗ）、または３９％（ｗ／ｗ）、または４０％（ｗ／ｗ）、または４１％（ｗ／ｗ）、または４２％（ｗ／ｗ）、または４３％（ｗ／ｗ）、または４４％（ｗ／ｗ）、または４５％（ｗ／ｗ）、または４６％（ｗ／ｗ）の１，３−ジヒドロキシアセトンをさらに含む。
【０２１６】
いくつかの態様において、抽出物は、０．２〜７％（ｗ／ｗ）の１，３−オクタンジオールをさらに含む。いくつかの態様において、抽出物は、０．４〜７％（ｗ／ｗ）の１，３−オクタンジオールをさらに含む。いくつかの態様において、抽出物は、０．６〜７％（ｗ／ｗ）の１，３−オクタンジオールをさらに含む。いくつかの態様において、抽出物は、０．８〜７％（ｗ／ｗ）の１，３−オクタンジオールをさらに含む。いくつかの態様において、抽出物は、１〜７％（ｗ／ｗ）の１，３−オクタンジオールをさらに含む。いくつかの態様において、抽出物は、１．２〜７％（ｗ／ｗ）の１，３−オクタンジオールをさらに含む。いくつかの態様において、抽出物は、１．４〜７％（ｗ／ｗ）の１，３−オクタンジオールをさらに含む。いくつかの態様において、抽出物は、１．６〜７％（ｗ／ｗ）の１，３−オクタンジオールをさらに含む。いくつかの態様において、抽出物は、１．８〜７％（ｗ／ｗ）の１，３−オクタンジオールをさらに含む。いくつかの態様において、抽出物は、２〜７％（ｗ／ｗ）の１，３−オクタンジオールをさらに含む。いくつかの態様において、抽出物は、２．２〜７％（ｗ／ｗ）の１，３−オクタンジオールをさらに含む。いくつかの態様において、抽出物は、２．４〜７％（ｗ／ｗ）の１，３−オクタンジオールをさらに含む。いくつかの態様において、抽出物は、２．６〜７％（ｗ／ｗ）の１，３−オクタンジオールをさらに含む。いくつかの態様において、抽出物は、２．８〜７％（ｗ／ｗ）の１，３−オクタンジオールをさらに含む。いくつかの態様において、抽出物は、３〜７％（ｗ／ｗ）の１，３−オクタンジオールをさらに含む。いくつかの態様において、抽出物は、３．２〜７％（ｗ／ｗ）の１，３−オクタンジオールをさらに含む。いくつかの態様において、抽出物は、３．４〜７％（ｗ／ｗ）の１，３−オクタンジオールをさらに含む。いくつかの態様において、抽出物は、３．６〜７％（ｗ／ｗ）の１，３−オクタンジオールをさらに含む。いくつかの態様において、抽出物は、３．８〜７％（ｗ／ｗ）の１，３−オクタンジオールをさらに含む。いくつかの態様において、抽出物は、４〜７％（ｗ／ｗ）の１，３−オクタンジオールをさらに含む。いくつかの態様において、抽出物は、４．２〜７％（ｗ／ｗ）の１，３−オクタンジオールをさらに含む。いくつかの態様において、抽出物は、４．４〜７％（ｗ／ｗ）の１，３−オクタンジオールをさらに含む。いくつかの態様において、抽出物は、４．６〜７％（ｗ／ｗ）の１，３−オクタンジオールをさらに含む。いくつかの態様において、抽出物は、４．８〜７％（ｗ／ｗ）の１，３−オクタンジオールをさらに含む。いくつかの態様において、抽出物は、５〜７％（ｗ／ｗ）の１，３−オクタンジオールをさらに含む。いくつかの態様において、抽出物は、５．２〜７％（ｗ／ｗ）の１，３−オクタンジオールをさらに含む。いくつかの態様において、抽出物は、５．４〜７％（ｗ／ｗ）の１，３−オクタンジオールをさらに含む。いくつかの態様において、抽出物は、５．６〜７％（ｗ／ｗ）の１，３−オクタンジオールをさらに含む。いくつかの態様において、抽出物は、５．８〜７％（ｗ／ｗ）の１，３−オクタンジオールをさらに含む。いくつかの態様において、抽出物は、６〜７％（ｗ／ｗ）の１，３−オクタンジオールをさらに含む。いくつかの態様において、抽出物は、６．２〜７％（ｗ／ｗ）の１，３−オクタンジオールをさらに含む。いくつかの態様において、抽出物は、６．４〜７％（ｗ／ｗ）の１，３−オクタンジオールをさらに含む。いくつかの態様において、抽出物は、６．６〜７％（ｗ／ｗ）の１，３−オクタンジオールをさらに含む。いくつかの態様において、抽出物は、６．８〜７％（ｗ／ｗ）の１，３−オクタンジオールをさらに含む。
【０２１７】
いくつかの態様において、抽出物は、０．２〜６．８％（ｗ／ｗ）の１，３−オクタンジオールをさらに含む。いくつかの態様において、抽出物は、０．２〜６．４％（ｗ／ｗ）の１，３−オクタンジオールをさらに含む。いくつかの態様において、抽出物は、０．２〜６．２％（ｗ／ｗ）の１，３−オクタンジオールをさらに含む。いくつかの態様において、抽出物は、０．２〜６％（ｗ／ｗ）の１，３−オクタンジオールをさらに含む。いくつかの態様において、抽出物は、０．２〜５．８％（ｗ／ｗ）の１，３−オクタンジオールをさらに含む。いくつかの態様において、抽出物は、０．２〜５．４％（ｗ／ｗ）の１，３−オクタンジオールをさらに含む。いくつかの態様において、抽出物は、０．２〜５．２％（ｗ／ｗ）の１，３−オクタンジオールをさらに含む。いくつかの態様において、抽出物は、０．２〜５％（ｗ／ｗ）の１，３−オクタンジオールをさらに含む。いくつかの態様において、抽出物は、０．２〜４．８％（ｗ／ｗ）の１，３−オクタンジオールをさらに含む。いくつかの態様において、抽出物は、０．２〜４．４％（ｗ／ｗ）の１，３−オクタンジオールをさらに含む。いくつかの態様において、抽出物は、０．２〜４．２％（ｗ／ｗ）の１，３−オクタンジオールをさらに含む。いくつかの態様において、抽出物は、０．２〜４％（ｗ／ｗ）の１，３−オクタンジオールをさらに含む。いくつかの態様において、抽出物は、０．２〜３．８％（ｗ／ｗ）の１，３−オクタンジオールをさらに含む。いくつかの態様において、抽出物は、０．２〜３．４％（ｗ／ｗ）の１，３−オクタンジオールをさらに含む。いくつかの態様において、抽出物は、０．２〜３．２％（ｗ／ｗ）の１，３−オクタンジオールをさらに含む。いくつかの態様において、抽出物は、０．２〜３％（ｗ／ｗ）の１，３−オクタンジオールをさらに含む。いくつかの態様において、抽出物は、０．２〜２．８％（ｗ／ｗ）の１，３−オクタンジオールをさらに含む。いくつかの態様において、抽出物は、０．２〜２．４％（ｗ／ｗ）の１，３−オクタンジオールをさらに含む。いくつかの態様において、抽出物は、０．２〜２．２％（ｗ／ｗ）の１，３−オクタンジオールをさらに含む。いくつかの態様において、抽出物は、０．２〜２％（ｗ／ｗ）の１，３−オクタンジオールをさらに含む。いくつかの態様において、抽出物は、０．２〜１．８％（ｗ／ｗ）の１，３−オクタンジオールをさらに含む。いくつかの態様において、抽出物は、０．２〜１．４％（ｗ／ｗ）の１，３−オクタンジオールをさらに含む。いくつかの態様において、抽出物は、０．２〜１，２％（ｗ／ｗ）の１，３−オクタンジオールをさらに含む。いくつかの態様において、抽出物は、０．２〜１％（ｗ／ｗ）の１，３−オクタンジオールをさらに含む。いくつかの態様において、抽出物は、０．２〜０．８％（ｗ／ｗ）の１，３−オクタンジオールをさらに含む。いくつかの態様において、抽出物は、０．２〜０．４％（ｗ／ｗ）の１，３−オクタンジオールをさらに含む。
【０２１８】
いくつかの態様において、抽出物は、０．２％（ｗ／ｗ）、または０．４％（ｗ／ｗ）、または０．６％（ｗ／ｗ）、または０．８％（ｗ／ｗ）、または１％（ｗ／ｗ）、または１．２％（ｗ／ｗ）、または１．４％（ｗ／ｗ）、または１．６％（ｗ／ｗ）、または１．８％（ｗ／ｗ）、または２％（ｗ／ｗ）、または２．２％（ｗ／ｗ）、または２．４％（ｗ／ｗ）、または２．６％（ｗ／ｗ）、または２．８％（ｗ／ｗ）、または３％（ｗ／ｗ）、または３．２％（ｗ／ｗ）、または３．４％（ｗ／ｗ）、または３．６％（ｗ／ｗ）、または３．８％（ｗ／ｗ）、または４％（ｗ／ｗ）、または４．２％（ｗ／ｗ）、または４．４％（ｗ／ｗ）、または４．６％（ｗ／ｗ）、または４．８％（ｗ／ｗ）、または５％（ｗ／ｗ）、または５．２％（ｗ／ｗ）、または５．４％（ｗ／ｗ）、または５．６％（ｗ／ｗ）、または５．８％（ｗ／ｗ）、または６％（ｗ／ｗ）、または６．２％（ｗ／ｗ）、または６．４％（ｗ／ｗ）、または６．６％（ｗ／ｗ）、または６．８％（ｗ／ｗ）、または７％（ｗ／ｗ）の１，３−オクタンジオールをさらに含む。
【０２１９】
いくつかの態様において、抽出物は、０．５〜４％（ｗ／ｗ）の５−ヒドロキシ−５，６−ジヒドロマルトール（dihydroｍａｌｔｏｌ）をさらに含む。いくつかの態様において、抽出物は、１〜４％（ｗ／ｗ）の５−ヒドロキシ−５，６−ジヒドロマルトールをさらに含む。いくつかの態様において、抽出物は、１．５〜４％（ｗ／ｗ）の５−ヒドロキシ−５，６−ジヒドロマルトールをさらに含む。いくつかの態様において、抽出物は、２〜４％（ｗ／ｗ）の５−ヒドロキシ−５，６−ジヒドロマルトールをさらに含む。いくつかの態様において、抽出物は、２．５〜４％（ｗ／ｗ）の５−ヒドロキシ−５，６−ジヒドロマルトールをさらに含む。いくつかの態様において、抽出物は、３〜４％（ｗ／ｗ）の５−ヒドロキシ−５，６−ジヒドロマルトールをさらに含む。いくつかの態様において、抽出物は、３．５〜４％（ｗ／ｗ）の５−ヒドロキシ−５，６−ジヒドロマルトールをさらに含む。
【０２２０】
いくつかの態様において、抽出物は、０．５〜３．５％（ｗ／ｗ）の５−ヒドロキシ−５，６−ジヒドロマルトールをさらに含む。いくつかの態様において、抽出物は、０．５〜３％（ｗ／ｗ）の５−ヒドロキシ−５，６−ジヒドロマルトールをさらに含む。いくつかの態様において、抽出物は、０．５〜２．５％（ｗ／ｗ）の５−ヒドロキシ−５，６−ジヒドロマルトールをさらに含む。いくつかの態様において、抽出物は、０．５〜２％（ｗ／ｗ）の５−ヒドロキシ−５，６−ジヒドロマルトールをさらに含む。いくつかの態様において、抽出物は、０．５〜１．５％（ｗ／ｗ）の５−ヒドロキシ−５，６−ジヒドロマルトールをさらに含む。いくつかの態様において、抽出物は、０．５〜１％（ｗ／ｗ）の５−ヒドロキシ−５，６−ジヒドロマルトールをさらに含む。
【０２２１】
いくつかの態様において、抽出物は、０．５％（ｗ／ｗ）、または１％（ｗ／ｗ）、または１．５％（ｗ／ｗ）、または２％（ｗ／ｗ）、または２．５％（ｗ／ｗ）、または３％（ｗ／ｗ）、または３．５％（ｗ／ｗ）、または４％（ｗ／ｗ）の５−ヒドロキシ−５，６−ジヒドロマルトールをさらに含む。
【０２２２】
いくつかの態様において、抽出物は、１〜４％（ｗ／ｗ）の５−ヒドロキシメチルフルフラールをさらに含む。いくつかの態様において、抽出物は、２〜４％（ｗ／ｗ）の５−ヒドロキシメチルフルフラールをさらに含む。いくつかの態様において、抽出物は、３〜４％（ｗ／ｗ）の５−ヒドロキシメチルフルフラールをさらに含む。
【０２２３】
いくつかの態様において、抽出物は、１〜３％（ｗ／ｗ）の５−ヒドロキシメチルフルフラールをさらに含む。いくつかの態様において、抽出物は、１〜２％（ｗ／ｗ）の５−ヒドロキシメチルフルフラールをさらに含む。
【０２２４】
いくつかの態様において、抽出物は、１％（ｗ／ｗ）、または２％（ｗ／ｗ）、または３％（ｗ／ｗ）、または４％（ｗ／ｗ）の５−ヒドロキシメチルフルフラールをさらに含む。
【０２２５】
いくつかの態様において、抽出物は、表３に開示するマイクロ波抽出物１またはマイクロ波抽出物２のうちのいずれか１つにおいて開示する量で、化合物を含む。
【０２２６】
緑茶葉由来の抽出物：本明細書に提示する一態様は、緑茶葉由来の抽出物を提供し、ここで、抽出物は、少なくとも１２％（ｗ／ｗ）のカフェインを含む。
【０２２７】
いくつかの態様において、抽出物は、１２〜３０％（ｗ／ｗ）のカフェインを含む。
【０２２８】
いくつかの態様において、抽出物は、８％未満のフルフリルアルコールをさらに含む。
【０２２９】
いくつかの態様において、抽出物は、３，５−オクタジエン−２−オン、β−イオノン、および４，５−エポキシ−β−イオノンをさらに含む。
【０２３０】
いくつかの態様において、抽出物は、表４に開示するマイクロ波抽出物１またはマイクロ波抽出物のうちのいずれか１つにおいて開示する量で、化合物を含む。
【０２３１】
焙煎したコーヒー豆に由来する抽出物：本明細書に提示する一態様は、焙煎したコーヒー豆由来の抽出物を提供し、ここで、抽出物は、少なくとも２％（ｗ／ｗ）のコーヒーフラノンを含む。
【０２３２】
いくつかの態様において、抽出物は、２〜２．５％（ｗ／ｗ）のコーヒーフラノンを含む。いくつかの態様において、抽出物は、２．１〜２．５％（ｗ／ｗ）のコーヒーフラノンを含む。いくつかの態様において、抽出物は、２．２〜２．５％（ｗ／ｗ）のコーヒーフラノンを含む。いくつかの態様において、抽出物は、２．３〜２．５％（ｗ／ｗ）のコーヒーフラノンを含む。いくつかの態様において、抽出物は、２．４〜２．５％（ｗ／ｗ）のコーヒーフラノンを含む。
【０２３３】
いくつかの態様において、抽出物は、２〜２．４％（ｗ／ｗ）のコーヒーフラノンを含む。いくつかの態様において、抽出物は、２〜２．３％（ｗ／ｗ）のコーヒーフラノンを含む。いくつかの態様において、抽出物は、２〜２．２％（ｗ／ｗ）のコーヒーフラノンを含む。いくつかの態様において、抽出物は、２〜２．１％（ｗ／ｗ）のコーヒーフラノンを含む。
【０２３４】
いくつかの態様において、抽出物は、２％（ｗ／ｗ）、または２．１％（ｗ／ｗ）、または２．２％（ｗ／ｗ）、または２．３％（ｗ／ｗ）、または２．４％（ｗ／ｗ）、または２．５％（ｗ／ｗ）のコーヒーフラノンを含む。
【０２３５】
いくつかの態様において、抽出物は、３〜４％（ｗ／ｗ）の２−メチルピラジンをさらに含む。いくつかの態様において、抽出物は、３．１〜４％（ｗ／ｗ）の２−メチルピラジンをさらに含む。いくつかの態様において、抽出物は、３．２〜４％（ｗ／ｗ）の２−メチルピラジンをさらに含む。いくつかの態様において、抽出物は、３．３〜４％（ｗ／ｗ）の２−メチルピラジンをさらに含む。いくつかの態様において、抽出物は、３．４〜４％（ｗ／ｗ）の２−メチルピラジンをさらに含む。いくつかの態様において、抽出物は、３．５〜４％（ｗ／ｗ）の２−メチルピラジンをさらに含む。いくつかの態様において、抽出物は、３．６〜４％（ｗ／ｗ）の２−メチルピラジンをさらに含む。いくつかの態様において、抽出物は、３．７〜４％（ｗ／ｗ）の２−メチルピラジンをさらに含む。いくつかの態様において、抽出物は、３．８〜４％（ｗ／ｗ）の２−メチルピラジンをさらに含む。いくつかの態様において、抽出物は、３．９〜４％（ｗ／ｗ）の２−メチルピラジンをさらに含む。
【０２３６】
いくつかの態様において、抽出物は、３〜３．９％（ｗ／ｗ）の２−メチルピラジンをさらに含む。いくつかの態様において、抽出物は、３〜３．８％（ｗ／ｗ）の２−メチルピラジンをさらに含む。いくつかの態様において、抽出物は、３〜３．７％（ｗ／ｗ）の２−メチルピラジンをさらに含む。いくつかの態様において、抽出物は、３〜３．６％（ｗ／ｗ）の２−メチルピラジンをさらに含む。いくつかの態様において、抽出物は、３〜３．５％（ｗ／ｗ）の２−メチルピラジンをさらに含む。いくつかの態様において、抽出物は、３〜３．４％（ｗ／ｗ）の２−メチルピラジンをさらに含む。いくつかの態様において、抽出物は、３〜３．３％（ｗ／ｗ）の２−メチルピラジンをさらに含む。いくつかの態様において、抽出物は、３〜３．２％（ｗ／ｗ）の２−メチルピラジンをさらに含む。いくつかの態様において、抽出物は、３〜３．１％（ｗ／ｗ）の２−メチルピラジンをさらに含む。
【０２３７】
いくつかの態様において、抽出物は、３％（ｗ／ｗ）、または３．１％（ｗ／ｗ）、または３．２％（ｗ／ｗ）、または３．３％（ｗ／ｗ）、または３．４％（ｗ／ｗ）、または３．５％（ｗ／ｗ）、または３．６％（ｗ／ｗ）、または３．７％（ｗ／ｗ）、または３．８％（ｗ／ｗ）、または３．９％（ｗ／ｗ）、または４％（ｗ／ｗ）の２−メチルピラジンをさらに含む。
【０２３８】
いくつかの態様において、抽出物は、０．５〜２％（ｗ／ｗ）のアセチルメチルカルビノールをさらに含む。いくつかの態様において、抽出物は、１〜２％（ｗ／ｗ）のアセチルメチルカルビノールをさらに含む。いくつかの態様において、抽出物は、１．５〜２％（ｗ／ｗ）のアセチルメチルカルビノールをさらに含む。
【０２３９】
いくつかの態様において、抽出物は、０．５〜１．５％（ｗ／ｗ）のアセチルメチルカルビノールをさらに含む。いくつかの態様において、抽出物は、０．５〜１％（ｗ／ｗ）のアセチルメチルカルビノールをさらに含む。
【０２４０】
いくつかの態様において、抽出物は、０．５％（ｗ／ｗ）、または１％（ｗ／ｗ）、または１．５％（ｗ／ｗ）、または２％（ｗ／ｗ）のアセチルメチルカルビノールをさらに含む。
【０２４１】
いくつかの態様において、抽出物は、０．５〜８％（ｗ／ｗ）のアセトールをさらに含む。いくつかの態様において、抽出物は、１〜８％（ｗ／ｗ）のアセトールをさらに含む。いくつかの態様において、抽出物は、１．５〜８％（ｗ／ｗ）のアセトールをさらに含む。いくつかの態様において、抽出物は、２〜８％（ｗ／ｗ）のアセトールをさらに含む。いくつかの態様において、抽出物は、２．５〜８％（ｗ／ｗ）のアセトールをさらに含む。いくつかの態様において、抽出物は、３〜８％（ｗ／ｗ）のアセトールをさらに含む。いくつかの態様において、抽出物は、３．５〜８％（ｗ／ｗ）のアセトールをさらに含む。いくつかの態様において、抽出物は、４〜８％（ｗ／ｗ）のアセトールをさらに含む。いくつかの態様において、抽出物は、４．５〜８％（ｗ／ｗ）のアセトールをさらに含む。いくつかの態様において、抽出物は、５〜８％（ｗ／ｗ）のアセトールをさらに含む。いくつかの態様において、抽出物は、５．５〜８％（ｗ／ｗ）のアセトールをさらに含む。いくつかの態様において、抽出物は、６〜８％（ｗ／ｗ）のアセトールをさらに含む。いくつかの態様において、抽出物は、６．５〜８％（ｗ／ｗ）のアセトールをさらに含む。いくつかの態様において、抽出物は、７〜８％（ｗ／ｗ）のアセトールをさらに含む。いくつかの態様において、抽出物は、７．５〜８％（ｗ／ｗ）のアセトールをさらに含む。
【０２４２】
いくつかの態様において、抽出物は、０．５〜７．５％（ｗ／ｗ）のアセトールをさらに含む。いくつかの態様において、抽出物は、０．５〜７％（ｗ／ｗ）のアセトールをさらに含む。いくつかの態様において、抽出物は、０．５〜６．５％（ｗ／ｗ）のアセトールをさらに含む。いくつかの態様において、抽出物は、０．５〜６％（ｗ／ｗ）のアセトールをさらに含む。いくつかの態様において、抽出物は、０．５〜５．５％（ｗ／ｗ）のアセトールをさらに含む。いくつかの態様において、抽出物は、０．５〜５％（ｗ／ｗ）のアセトールをさらに含む。いくつかの態様において、抽出物は、０．５〜４．５％（ｗ／ｗ）のアセトールをさらに含む。いくつかの態様において、抽出物は、０．５〜４％（ｗ／ｗ）のアセトールをさらに含む。いくつかの態様において、抽出物は、０．５〜３．５％（ｗ／ｗ）のアセトールをさらに含む。いくつかの態様において、抽出物は、０．５〜５％（ｗ／ｗ）のアセトールをさらに含む。いくつかの態様において、抽出物は、０．５〜２．５％（ｗ／ｗ）のアセトールをさらに含む。いくつかの態様において、抽出物は、０．５〜２％（ｗ／ｗ）のアセトールをさらに含む。いくつかの態様において、抽出物は、０．５〜１．５％（ｗ／ｗ）のアセトールをさらに含む。いくつかの態様において、抽出物は、０．５〜１％（ｗ／ｗ）のアセトールをさらに含む。
【０２４３】
いくつかの態様において、抽出物は、０．５％（ｗ／ｗ）、または１％（ｗ／ｗ）、または１．５％（ｗ／ｗ）、または２％（ｗ／ｗ）、または２．５％（ｗ／ｗ）、または３％（ｗ／ｗ）、または３．５％（ｗ／ｗ）、または４％（ｗ／ｗ）、または４．５％（ｗ／ｗ）、または５％（ｗ／ｗ）、または５．５％（ｗ／ｗ）、または６％（ｗ／ｗ）、または６．５％（ｗ／ｗ）、または７％（ｗ／ｗ）、または７．５％（ｗ／ｗ）、または８％（ｗ／ｗ）のアセトールをさらに含む。
【０２４４】
いくつかの態様において、抽出物は、３５〜４５％（ｗ／ｗ）のフルフリルアルコールをさらに含む。いくつかの態様において、抽出物は、３６〜４５％（ｗ／ｗ）のフルフリルアルコールをさらに含む。いくつかの態様において、抽出物は、３７〜４５％（ｗ／ｗ）のフルフリルアルコールをさらに含む。いくつかの態様において、抽出物は、３８〜４５％（ｗ／ｗ）のフルフリルアルコールをさらに含む。いくつかの態様において、抽出物は、３９〜４５％（ｗ／ｗ）のフルフリルアルコールをさらに含む。いくつかの態様において、抽出物は、４０〜４５％（ｗ／ｗ）のフルフリルアルコールをさらに含む。いくつかの態様において、抽出物は、４１〜４５％（ｗ／ｗ）のフルフリルアルコールをさらに含む。いくつかの態様において、抽出物は、４２〜４５％（ｗ／ｗ）のフルフリルアルコールをさらに含む。いくつかの態様において、抽出物は、４３〜４５％（ｗ／ｗ）のフルフリルアルコールをさらに含む。いくつかの態様において、抽出物は、４４〜４５％（ｗ／ｗ）のフルフリルアルコールをさらに含む。
【０２４５】
いくつかの態様において、抽出物は、３５〜４４％（ｗ／ｗ）のフルフリルアルコールをさらに含む。いくつかの態様において、抽出物は、３５〜４３％（ｗ／ｗ）のフルフリルアルコールをさらに含む。いくつかの態様において、抽出物は、３５〜４２％（ｗ／ｗ）のフルフリルアルコールをさらに含む。いくつかの態様において、抽出物は、３５〜４１％（ｗ／ｗ）のフルフリルアルコールをさらに含む。いくつかの態様において、抽出物は、３５〜４０％（ｗ／ｗ）のフルフリルアルコールをさらに含む。いくつかの態様において、抽出物は、３５〜３９％（ｗ／ｗ）のフルフリルアルコールをさらに含む。いくつかの態様において、抽出物は、３５〜３８％（ｗ／ｗ）のフルフリルアルコールをさらに含む。いくつかの態様において、抽出物は、３５〜３７％（ｗ／ｗ）のフルフリルアルコールをさらに含む。いくつかの態様において、抽出物は、３５〜３６％（ｗ／ｗ）のフルフリルアルコールをさらに含む。
【０２４６】
いくつかの態様において、抽出物は、３５％（ｗ／ｗ）、または３６％（ｗ／ｗ）、または３７％（ｗ／ｗ）、または３８％（ｗ／ｗ）、または３９％（ｗ／ｗ）、または４０％（ｗ／ｗ）、または４１％（ｗ／ｗ）、または４２％（ｗ／ｗ）、または４３％（ｗ／ｗ）、または４４％（ｗ／ｗ）、または４５％（ｗ／ｗ）のフルフリルアルコールをさらに含む。
【０２４７】
いくつかの態様において、抽出物は、０．２％（ｗ／ｗ）の２−シクロペンテノンをさらに含む。
【０２４８】
いくつかの態様において、抽出物は、表６に開示するマイクロ波抽出物１またはマイクロ波抽出物２のうちのいずれか１つにおいて開示する量で、化合物を含む。
【０２４９】
いかなる特定の理論にも限定されることを企図するものではないが、本明細書に提示する態様による方法によって得られたコーヒー抽出物における差異は、新鮮なコーヒーの甘い香りと嗅覚上の特性とに寄与する揮発性化合物において、市販の抽出物とは異なる。
【０２５０】
本明細書に提示するいくつかの態様による抽出物を含む組成物
本明細書に提示するいくつかの態様による抽出物がそのままの形態でまたは溶剤中にあって、本明細書に説明する組成物中へと添加されることができることは当業者によって理解される。あるいは、本明細書に提示するいくつかの態様による抽出物がまず、例えば、ポリマー、カプセル、マイクロカプセル、ナノカプセル、リポソーム、前駆体、フィルム形成剤、吸収剤などの封入材料で、例えば、炭素またはゼオライト、環状オリゴ糖およびこれらの混合物を使用することなどによって、封入されることによって改質されることができる。
【０２５１】
したがって、本明細書に提示するいくつかの態様は、
ａ．本明細書に提示するいくつかの態様による抽出物、
ｂ．香料担体および香料基剤からなる群から選択される少なくとも１つの成分、ならびに
ｃ．場合により少なくとも１つの香料アジュバント
を含む、組成物を提供する。
【０２５２】
本明細書で使用する場合、「香料担体」という用語は、香料の視点から実質的に中性である、すなわち、香料成分の感覚受容特性を有意に変化させない、材料を指す。香料担体は、液体または固体であってよい。
【０２５３】
液体香料担体の非限定例としては、乳化系、すなわち、溶媒および界面活性剤系、または香料において通常使用される溶剤が挙げられる。香料において通常使用される溶剤の性質および種類の詳述を網羅することはできない。しかしながら、非限定例となる溶剤としては、ジプロピレングリコール、ジエチルフタラート、イソプロピルミリスタート、安息香酸ベンジル、２−（２−エトキシエトキシ）−１−エタノールまたはエチルシトラートが挙げられる。香料担体および香料基剤の両方を含む組成物について、すでに指定したもの以外の適切な香料担体はまた、エタノール、水／エタノール混合物、リモネンまたは他のテルペン、Ｉｓｏｐａｒ（登録商標）（製造元：Ｅｘｘｏｎ  Ｃｈｅｍｉｃａｌ）の商標で公知のものなどのイソパラフィン、あるいはＤｏｗａｎｏｌ（登録商標）（製造元：Ｄｏｗ  Ｃｈｅｍｉｃａｌ  Ｃｏｍｐａｎｙ）の商標で公知のものなどのグリコールエーテルおよびグリコールエーテルエステルであってよい。
【０２５４】
固体香料担体の非限定例としては、吸収性ゴムまたはポリマー、あるいはさらに封入材料が挙げられる。このような材料の例は、単糖、二糖または三糖、天然のまたは改質したデンプン、親水コロイド、セルロース誘導体、酢酸ポリビニル、ポリビニルアルコール、タンパク質またはペクチン、あるいはさらに、Ｈ．Ｓｃｈｅｒｚ，Ｈｙｄｒｏｋｏｌｌｏｉｄｅ：Ｓｔａｂｉｌｉｓａｔｏｒｅｎ，Ｄｉｃｋｕｎｇｓ−  ｕｎｄ  Ｇｅｌｉｅｒｍｉｔｔｅｌ  ｉｎ  Ｌｅｂｅｎｓｍｉｔｔｅｌｎ，Ｂａｎｄ  ２  ｄｅｒ  Ｓｃｈｒｉｆｔｅｎｒｅｉｈｅ  Ｌｅｂｅｎｓｍｉｔｔｅｌｃｈｅｍｉｅ，Ｌｅｂｅｎｓｍｉｔｔｅｌｑｕａｌｉｔａｅｔ，Ｂｅｈｒ’ｓ  Ｖｅｒｌａｇ  ＧｍｂＨ  ＆  Ｃｏ．，Ｈａｍｂｕｒｇ，１９９６などの参考文献において引用される材料、例えば壁形成性および可塑化材料を含むことができる。封入は、当業者に周知の過程であり、例えば、噴霧乾燥、凝集またはさらには押出し加工などの技術を用いて実施することができ、あるいはコアセルベーションおよびコンプレックスコアセルベーション技術を含む被覆封入からなる。
【０２５５】
本明細書で使用する場合、「香料基剤」という用語は、少なくとも１つの香料共成分を含む組成物を指す。香料共成分には、式（Ｉ）の化合物は含まれない。本明細書で使用する場合、「香料共成分」という用語は、快楽効果を与えるように香料調製物または組成物において使用される化合物を指す。言い換えれば、香料成分であるとみなされるべきこのような共成分は、当業者によって、匂いを有するものとしてのみだけでなく、積極的なまたは喜ばしい方法で組成物の匂いを付与または改質することができるものとして認識されなければならない。
【０２５６】
基剤中に存在する香料共成分の性質および種類は、本明細書でのより詳細な説明を保証しておらず、該説明は、いずれにせよ完全ではないであろうし、当業者は、自身の一般的な知識に基づいて、ならびに企図する使用または適用および所望の感覚受容性効果により香料共成分を選択することができる。一般的な点において、これらの香料共成分は、アルコール、ラクトン、アルデヒド、ケトン、エステル、エーテル、アセタート、ニトリル、テルペノイド、窒素または硫黄の複素環化合物および精油と同様に種々の化学クラスに属しており、該香料共成分は、天然起源または合成起源であることができる。これらの共成分の多くは、いずれにせよ、Ｓ．Ａｒｃｔａｎｄｅｒ，Ｐｅｒｆｕｍｅ  ａｎｄ  Ｆｌａｖｏｒ  Ｃｈｅｍｉｃａｌｓ，１９６９，Ｍｏｎｔｃｌａｉｒ，Ｎｅｗ  Ｊｅｒｓｅｙ，ＵＳＡによる書籍、もしくはそのより新たな版などの参考文献において、または類似の性質の他の出版物において、および香料の分野の豊富な特許文献において列挙されている。該共成分はまた、香料化合物の種々の種類を制御された様式で放出することが公知の化合物であることができることも理解されている。
【０２５７】
本明細書で使用する場合、「香料アジュバント」という用語は、色彩、特定の光耐性、化学的安定性などのさらなる付加された利点を与えることができる成分を指す。香料基剤中で通常使用されるアジュバントの性質および種類の詳細な説明は網羅することができないが、該成分が当業者に周知であることは言及されなければならない。
【０２５８】
したがって、いくつかの態様において、本開示は、本明細書に提示するいくつかの態様による有効量の抽出物を含む、香料消費製品を提供する。いくつかの態様において、香料消費製品は、空気ケア製品、ホームケア製品、およびランドリーケア製品からなる群から選択される。
【０２５９】
いくつかの態様において、本明細書に提示するいくつかの態様による有効量の抽出物を含む香料消費製品は、エアゾールおよび／または水性エアフレッシュナースプレー、灯芯／リードエアフレッシュナー、液状電気式（プラグイン式）エアフレッシュナー、固体支持体エアフレッシュナー、ゲル状エアフレッシュナー、膜含有エアフレッシュナー、漂白剤、洗浄剤、洗浄洗剤粉末、液状多目的清浄剤、特殊清浄剤、ならびに液体洗剤からなる群から選択される配合物を含む。
【０２６０】
開示する概念および具体的な実施形態が、本発明の同じ目的を達成するために他の配合物を改質または配合するための基礎として容易に利用され得ることは、当業者によって認識されるべきである。また、このような等価の配合物が、添付の特許請求の範囲において明らかにされるような本開示の趣旨および範囲から逸脱していないことは当業者によって理解されるべきである。
【０２６１】
本明細書に提示するいくつかの態様による抽出物を種々の上述の製品または組成物中へ組み込むことができる比率は、広範な値の範囲内で変化する。これらの値は、消費製品の性質および所望の感覚受容効果、ならびに本明細書に提示するいくつかの態様による抽出物を当技術分野で通常使用される他の成分、溶剤または助剤と混合するときに付与される組成物中の共成分の性質による。
【０２６２】
概して、例えば、香料組成物の場合、典型的な濃度は、組み込まれる組成物の重量に基づく、本明細書に提示するいくつかの態様による抽出物の０．００１重量％〜５重量％のオーダー、またはそれより多量である。これらよりも低い、０．０１重量％〜１００重量％などのオーダーの濃度は、本明細書に説明する組成物が消費製品中に組み込まれるときに使用することができ、この百分率は、消費製品の重量に対するものである。
【０２６３】
特に、種々の上述の消費製品中で使用される、本明細書に説明する態様による組成物の濃度は、消費製品の性質により、種々の広範な値の範囲内で変化する。例えば、本明細書に説明するいくつかの態様による組成物は、０．０１重量％〜５０重量％の濃度で、あるいは０．２重量％〜４０重量％の濃度で、あるいは０．５重量％〜２５重量％の濃度で、香料製品中に使用することができる。例えば、本明細書に説明するいくつかの態様による組成物は、０．０１重量％〜２０重量％の濃度で、あるいは０．０５重量％〜１０重量％の濃度で、あるいは０．１重量％〜５重量％の濃度で、布ケア製品中に使用することができる。例えば、本明細書に説明するいくつかの態様による組成物は、０．０１重量％〜１０重量％の濃度で、あるいは０．０５重量％〜５重量％の濃度で、あるいは０．１重量％〜３重量％の濃度で、ヘアケア製品中に使用することができる。例えば、本明細書に説明するいくつかの態様による組成物は、０．０１重量％〜１０重量％の濃度で、あるいは０．０５重量％〜５重量％の濃度で、最も好ましくは０．１重量％〜２．５重量％の濃度でスキンケア製品中に使用することができる。例えば、本明細書に説明するいくつかの態様による組成物は、０．０１重量％〜１０重量％の濃度で、あるいは０．０５重量％〜７重量％の濃度で、あるいは０．１重量％〜５重量％の濃度で、ボディ用脱臭製品または発汗抑制製品中に使用することができる。例えば、本明細書に説明するいくつかの態様による組成物は、０．０１重量％〜５重量％の濃度で、あるいは０．０５重量％〜３重量％の濃度で、あるいは０．１重量％〜２．５重量％の濃度で、スキンクレンジング製品中に使用することができる。例えば、本明細書に説明するいくつかの態様による組成物は、０．０１重量％〜１００重量％の濃度で、エアフレッシュニング製品中に使用することができる。例えば、本明細書に説明するいくつかの態様による組成物は、０．００１重量％〜１０重量％の濃度で、あるいは０．０１重量％〜５重量％の濃度で、あるいは０．１重量％〜２重量％の濃度で表面ケア製品中に使用することができる。さらに、例えば、本明細書に説明するいくつかの態様による組成物は、０．００１重量％〜１重量％の濃度で、あるいは０．００５重量％〜０．５重量％の濃度で、あるいは０．０１重量％〜０．３重量％の濃度で、ペット用トイレ製品中に使用することができる。
【０２６４】
いくつかの態様において、上述の態様のうちのいずれかにおいて定義されるような組成物は、緩い粉末または圧縮した形態における多孔性または非多孔性の基材上に給されることができ、該基材は、セルロース（紙／ボール紙）、バーミキュライト、他の産業用吸収材、パーライト、炭酸カルシウム、軽石、木材、おがくず、挽いたトウモロコシ穂軸、挽いたもみ殻、もみ殻灰、バイオ炭, デンプン、改質したデンプン、およびこれらの混合物から選択される。
【０２６５】
本明細書に提示する一態様は、本明細書に提示するいくつかの態様による精油を含有する香料物品を提供し、ここで、香料物品は、芳香水剤、香水、コロン、バスジェル、シャワージェル、シャンプー、ヘアケア製品、化粧用調製物、脱臭剤、エアフレッシュナー、洗剤、布柔軟剤、および清掃用洗浄剤からなる群から選択される。
【０２６６】
適切な消費製品の非限定例としては、
香水、オードトワレ、コロンまたはアフターシェーブローションなどの香料、
液体洗剤、粉末洗剤、洗剤錠剤、洗剤バー、洗剤ペースト、液状布柔軟剤、布柔軟剤シート、布香気ブースター、洗濯用前処理剤、布リフレッシュナー、アイロン水、洗濯用漂白剤、カーペット用粉末またはカーペットクリーナーなどの布ケア製品、
シャンプー、ヘアコンディショナー、ヘアクリーム、ヘアオイル、ヘアスタイリング製品（スプレー、ムースまたはジェルなど）、毛染め製品またはヘアパーマ製品などのヘアケア製品、
フェイス用クリーム、フェイス用ローション、剃毛製品（泡、クリーム、ジェルまたはオイルなど）、ボディおよび／またはハンド用製品（ローション、クリーム、ジェルまたはオイルなど）、肌ひきしめ製品、脱毛製品、タルカムパウダー、フットケア用クリームまたはローション、赤ちゃん用ふき取り紙、クレンジング用ふき取り紙、保湿用ふき取り紙、日焼け止め製品（スプレー、ローション、クリームまたはオイルなど）、日焼け後ローション、またはセルフタンニング製品などのスキンケア製品、
ボディ用脱臭スプレー、ロールオン脱臭剤、脱臭スティック、脱臭クリーム、発汗抑制スプレー、発汗抑制スティック、ロールオン発汗抑制液、発汗抑制スティック、または発汗抑制クリームなどのボディ用脱臭製品または発汗抑制製品、
石鹸、シャワージェル、液状ハンドソープ、入浴用泡剤または専用ウォッシュ製品などのスキンクレンジング製品、
エアフレッシュナースプレー、ジェルエアフレッシュナー、液状灯芯エアフレッシュナー、多孔性基材（紙またはボール紙、多孔性セラミック、あるいは多孔性プラスチックなど）を備えた固形エアフレッシュナー、浸透膜を備えた液状またはジェル状エアフレッシュナー、電動式エアフレッシュナー、および二重目的エアフレッシュナー／消毒スプレーなどのエアフレッシュニング製品、ならびに／あるいは
多目的クリーナー、家具用ポリッシュ、木材床用クリーナー、窓用クリーナー、台所用洗浄製品（液状、ゲルまたはペーストなど）、食洗機用製品（粉末、液状、ゲル、錠剤、またはサシェなど）、トイレボール洗浄液、貯水タンク用トイレクリーナー、便器汚染防止用ブロック、または便器汚染用液、ペット用トイレなどの表面ケア製品
が挙げられる。
【０２６７】
本発明は、最良に説明されているが、以下の実施例に限定されるものではなく、略語は、当技術分野で頻用されている意味を有する。
【実施例】
【０２６８】
実施例１：Ｊａｓｍｉｎｉｕｍ  ｇｒａｎｄｉｆｌｏｒｕｍからの精油の抽出
図３に関して、Ｊａｓｍｉｎｉｕｍ  ｇｒａｎｄｉｆｌｏｒｕｍから新鮮な単離された花を、１時間あたり４Ｋｇの速度でマイクロ波抽出装置内へ入れた。マイクロ波抽出装置の長さは２．５ｍであった。新鮮に単離された花をマイクロ波エネルギーへ２００ワットの電力（バイオマス１Ｋｇあたり０．５６ＫＷＨの電力）で供して、留出分を得た一方で、マイクロ波抽出装置（例えば、図１および図２に関する）内にあるチャンバーの温度を摂氏６０〜８０度の温度に維持した。マイクロ波抽出装置を経た植物バイオマスの遷移時間はおよそ２０分であった。
【０２６９】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する精油を含んでいる組成物を結果として得た。ここで、樹脂カラムから精油を溶離するために、およそ３〜１５床量を必要とした。
【０２７０】
いくつかの実験において、ＸＡＤ４樹脂カラムへの適用に先立ってマイクロ波抽出装置から収集した留出分は、２００〜３０００ｐｐｍの濃度を有する精油を含んでいた。精油の組成をガスクロマトグラフィー（ＧＣ）によって分析したので、結果を以下の実施例２の表１に報告する。
【０２７１】
実施例２：Ｊａｓｍｉｎｉｕｍ  ｇｒａｎｄｉｆｌｏｒｕｍ由来の精油
３つの個別の実験からＸＡＤ４樹脂カラムへの適用に先立って、マイクロ波抽出装置から収集した留出分を含む３つの組成物のＧＣ分析の結果を以下の表１に報告する。比較のために、４つの市販の供給源由来の精油の構成要素を含める。精油の官能特性も査定した。
【０２７２】
【表１−１】
2020531667.tif 000002
【０２７３】
【表１−２】
2020531667.tif 000003
【０２７４】
【表１−３】
2020531667.tif 000004
【０２７５】
【表１−４】
2020531667.tif 000005
【０２７６】
これらのデータは、本明細書に開示する方法が、７〜１１％（ｗ／ｗ）のｚ−ジャスモン、１０〜１７％（ｗ／ｗ）の（±）−３，７−ジメチル−１，６−オクタジエン−３−オール、４０〜６２％（ｗ／ｗ）の酢酸ベンジル、および１〜７．１％（ｗ／ｗ）の安息香酸ベンジルを含んでいる、Ｊａｓｍｉｎｉｕｍ  ｇｒａｎｄｉｆｌｏｒｕｍからの精油を再現可能に製造することができることを示唆している。比較として、市販の供給源から得られたジャスミン精油は、１．５〜７％（ｗ／ｗ）の（ｚ）−ジャスモン、１．５〜５％（ｗ／ｗ）の（±）−３，７−ジメチル−１，６−オクタジエン−３−オール、６〜１７％（ｗ／ｗ）の酢酸ベンジル、および６〜１３％（ｗ／ｗ）の安息香酸ベンジルを含んでいた。
【０２７７】
ＸＡＤ４樹脂カラムへの適用に先立って、マイクロ波抽出装置から収集した留出分を含む３つの組成物はまた、市販の供給源からの精油よりも新鮮に単離されたジャスミン花に似た匂いがした。
【０２７８】
実施例３：Ｃａｎａｎｇａ  ｏｄｏｒａｔａからの精油の抽出
Ｃａｎａｎｇａ  ｏｄｏｒａｔａから新鮮に単離された花を、１時間あたり４Ｋｇの速度でマイクロ波抽出装置内へ入れる。マイクロ波抽出装置の長さは２．５ｍである。新鮮に単離された花をマイクロ波エネルギーへ２００ワットの電力で供して留出分を得る一方で、マイクロ波抽出装置（例えば、図１および図２に関する）内のチャンバーの温度を摂氏６０〜８０度の温度に維持する。マイクロ波抽出装置を経た植物バイオマスの遷移時間はおよそ２０分である。
【０２７９】
留出分をマイクロ波抽出装置の底部に重量測定によって収集し、留出分をＸＡＤ４樹脂カラムへ適用する。カラム内の樹脂をいったん飽和させると、樹脂カラムに結合した材料を、１時間あたりおよそ５床量の流量のエタノールを用いて脱離させ、総量を調整して、エタノール中に所望の濃度を有する精油を含んでいる組成物を結果として得る。ここで、樹脂カラムから精油を溶離するために、およそ３〜１５床量を必要とし得る。
【０２８０】
いくつかの実験において、ＸＡＤ４樹脂カラムへの適用に先立ってマイクロ波抽出装置から収集され得る留出分は、２００〜３０００ｐｐｍの濃度を有する精油を含み得る。精油の組成をＧＣによって分析することになる。
【０２８１】
実施例４：本明細書に提示する態様による方法によってＰｉｐｅｒ  ｎｉｇｒｕｍから調製される抽出物
Ｐｉｐｅｒ  ｎｉｇｒｕｍ植物の乾燥した干しコショウの実を挽き、１時間あたり８Ｋｇの速度でマイクロ波抽出装置内へ入れた。マイクロ波抽出装置の長さは２．５ｍであった。挽いた干しコショウの実をマイクロ波エネルギーへバイオマス１キログラムあたり０．２７ＫＷＨの電力で供して、留出分を得た一方で、マイクロ波抽出装置（例えば、図１および図２に関する）内にあるチャンバーの温度を摂氏８１〜１００度の温度に維持した。また、蒸気を抽出装置へ８Ｋｇ／時の速度で添加した。マイクロ波抽出装置を経たバイオマスの遷移時間はおよそ２０分であった。
【０２８２】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する抽出物を含んでいる組成物を結果として得た。ここで、樹脂カラムから抽出物を溶離するために、およそ３〜１５床量を必要とした。エタノール抽出物（マイクロ波抽出物１）および留出分（マイクロ波抽出物２）の組成をＧＣによって分析したので、結果を以下の表２に報告する。
【０２８３】
【表２−１】
2020531667.tif 000006
【０２８４】
【表２−２】
2020531667.tif 000007
【０２８５】
【表２−３】
2020531667.tif 000008
【０２８６】
これらのデータは、本明細書に開示する方法が、９〜１５％（ｗ／ｗ）のサビネン（sabinene）、１２〜１６％（ｗ／ｗ）のβ−ピネン、６〜１１％（ｗ／ｗ）のδ３−カレン、および２０〜３０％（ｗ／ｗ）のリモネンを含んでいる、Ｐｉｐｅｒ  ｎｉｇｒｕｍからの精油を再現可能に製造することができることを示唆している。さらに、本明細書に開示する方法を用いて製造されるＰｉｐｅｒ  ｎｉｇｒｕｍからの精油中のβ−カリオフィレンの量は、７〜１２％（ｗ／ｗ）であり、かつピペリンは不検出であった。
【０２８７】
比較として、市販の供給源から得られたＰｉｐｅｒ  ｎｉｇｒｕｍからの精油は、およそ３％（ｗ／ｗ）のピペリン、２０〜３５％（ｗ／ｗ）のβ−カリオフィレン、０．５〜７％（ｗ／ｗ）のサビネン、０．５〜１０％（ｗ／ｗ）のβ−ピネン、１〜１１％（ｗ／ｗ）のδ３−カレン、および６〜１６％（ｗ／ｗ）のリモネンを含んでいた。
【０２８８】
実施例５：本明細書に提示する態様による方法によってセイヨウナシから調製された抽出物
新鮮なセイヨウナシ果実を薄片にし、１時間あたり７Ｋｇの速度でマイクロ波抽出装置内へ入れた。マイクロ波抽出装置の長さは、２．５ｍであった。薄片にしたセイヨウナシをバイオマス１キログラムあたり０．３３ＫＷＨの電力で２００Ｗのマイクロ波エネルギーへ供して、留出分を得た一方で、マイクロ波抽出装置（例えば、図１および図２に関する）内にあるチャンバーの温度を摂氏６０〜８０度の温度に維持した。マイクロ波抽出装置を経たバイオマスの遷移時間はおよそ２０分であった。
【０２８９】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する抽出物を含んでいる組成物を結果として得た。ここで、樹脂カラムから抽出物を溶離するために、およそ３〜１５床量を必要とした。エタノール抽出物（マイクロ波抽出物１）および留出分（マイクロ波抽出物２）の組成をＧＣによって分析したので、結果を以下の表３に報告する。
【０２９０】
【表３−１】
2020531667.tif 000009
【０２９１】
【表３−２】
2020531667.tif 000010
【０２９２】
【表３−３】
2020531667.tif 000011
【０２９３】
これらのデータは、本明細書に開示する方法が、０．２〜１２％（ｗ／ｗ）の酢酸ブチル、０．１〜６％（ｗ／ｗ）の酢酸ヘキシル、３〜１５％（ｗ／ｗ）のアセトール、２〜８％（ｗ／ｗ）の酢酸、０．５〜２％（ｗ／ｗ）のフルフラール、０．５〜２％（ｗ／ｗ）のフルフラールアルコール、０．２〜２％（ｗ／ｗ）の２−メチル酪酸、０．１〜４％（ｗ／ｗ）のエチル３−ヒドロキシオクタノアート、６〜４６％（ｗ／ｗ）の１，３−ジヒドロキシアセトン、０．２〜７％（ｗ／ｗ）の１，３−オクタンジオール、０．５〜４％（ｗ／ｗ）の５−ヒドロキシ−５，６−ジヒドロマルトール、および１〜４％（ｗ／ｗ）の５−ヒドロキシメチルフルフラールを含んでいる、セイヨウナシ由来の抽出物を再現可能に製造することができることを示唆している。さらに、エタノール抽出物中に、メチル２，４−デカジエノアート、エチル２，４−デカジエノアート、ゲラニオール、メチル３−ヒドロキシオクタノアート、２−フェニルエチルアルコール、およびｐ−ビニルフェノールも存在していた。
【０２９４】
比較として、市販の供給源から得られたセイヨウナシ抽出物は、およそ２％（ｗ／ｗ）の酢酸ブチル、およそ０．４％（ｗ／ｗ）のフルフラール、およびおよそ０．３％（ｗ／ｗ）のエチル３−ヒドロキシオクタノアートを含んでいた。さらに、酢酸ヘキシル、アセトール、酢酸、フルフラールアルコール、２−メチル酪酸、１，３−ジヒドロキシアセトン、１，３−オクタンジオール、メチル２，４−デカジエノアート、エチル２，４−デカジエノアート、５−ヒドロキシ−５，６−ジヒドロマルトール、ゲラニオール、メチル３−ヒドロキシオクタノアート、２−フェニルエチルアルコール、５−ヒドロキシメチルフルフラールおよびｐ−ビニルフェノールは、不検出であった。
【０２９５】
本明細書に説明する方法によって製造されるセイヨウナシ由来の抽出物は、非常に果実感があり、ウィリアムセイヨウナシの果汁感があり、芳しくかつおいしそうな香りであり、市販の抽出物よりも非常により強かった。
【０２９６】
実施例６：本明細書に提示する態様による方法によって緑茶葉から調製された抽出物
乾燥した緑茶葉を水の添加によって水和させて、乾燥したバイオマスの２００％の重量を有するバイオマスを結果として生じさせ、１時間あたり１０Ｋｇの速度でマイクロ波抽出装置内へ入れた。マイクロ波抽出装置の長さは２．５ｍであった。水和した葉をバイオマス１キログラムあたり０．４３ＫＷＨの電力で３００Ｗのマイクロ波エネルギーへ供して、留出分を得た一方で、マイクロ波抽出装置（例えば、図１および図２に関する）内のチャンバーの温度を摂氏７０〜９０度の温度に維持した。マイクロ波抽出装置を経たバイオマスの遷移時間はおよそ２０分であった。
【０２９７】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する精油を含んでいる組成物を結果として得た。ここで、樹脂カラムから精油を溶離するために、およそ３〜１５床量を必要とした。エタノール抽出物（マイクロ波抽出物１）および留出分（マイクロ波抽出物２）の組成をＧＣによって分析したので、結果を以下の表４に報告する。
【０２９８】
【表４−１】
2020531667.tif 000012
【０２９９】
【表４−２】
2020531667.tif 000013
【０３００】
これらのデータは、本明細書に開示する方法が、１２〜３０％（ｗ／ｗ）のカフェイン、およびおよそ１％（ｗ／ｗ）のフルフリルアルコールを含んでいる、緑茶葉からの抽出物を再現可能に製造することができることを示唆している。さらに、３，５−オクタジエン−２−オン、β−イオノン、および４，５−エポキシ−β−イオノンも存在していた。
【０３０１】
比較として、市販の供給源からの緑茶抽出物は、およそ２％（ｗ／ｗ）のカフェイン、およびおよそ８％（ｗ／ｗ）のフルフラールアルコールを含んでいた。さらに、３，５−オクタジエン−２−オン、β−イオノン、および４，５−エポキシ−β−イオノンは存在しなかった。
【０３０２】
実施例７：本明細書に提示する態様による方法によってショウガ根から調製された抽出物
新鮮なショウガ根を薄片にし、１時間あたり７Ｋｇの速度でマイクロ波抽出装置内へ入れた。マイクロ波抽出装置の長さは２．５ｍであった。薄片にした根をバイオマス１キログラムあたり０．４５ＫＷＨの電力で３００Ｗのマイクロ波エネルギーへ供して、留出分を得た一方で、マイクロ波抽出装置（例えば、図１および図２に関する）内のチャンバーの温度を摂氏７０〜９０度の温度に維持した。マイクロ波抽出装置を経たバイオマスの遷移時間はおよそ２０分であった。
【０３０３】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する抽出物を含んでいる組成物を結果として得た。ここで、樹脂カラムから精油を溶離するために、およそ３〜１５床量を必要とした。エタノール抽出物（マイクロ波抽出物１）および留出分（マイクロ波抽出物２）の組成をＧＣによって分析したので、結果を以下の表５に報告する。
【０３０４】
【表５−１】
2020531667.tif 000014
【０３０５】
【表５−２】
2020531667.tif 000015
【０３０６】
これらのデータは、本明細書に開示する方法が、１３〜１５％（ｗ／ｗ）のオイカリプトール、２〜６％（ｗ／ｗ）の６−メチル−５−ヘプテン−２−オン、１９〜２５％（ｗ／ｗ）のネラール、およそ０．４％（ｗ／ｗ）の２−ヘプタノン、２６〜２９％（ｗ／ｗ）のゲラニアール、およそ０．７％（ｗ／ｗ）のネロール、およびおよそ０．３％（ｗ／ｗ）のゲラニオールを含んでいる、ショウガ根からの精油を再現可能に製造することができることを示唆している。さらに、ジンギベレンは不検出であった。
【０３０７】
比較として、市販の供給源から得られたショウガ精油は、およそ０．１％（ｗ／ｗ）の２−ヘプタノン、およそ２．９％（ｗ／ｗ）のオイカリプトール、およそ０．３％（ｗ／ｗ）の６−メチル−５−ヘプテン−２−オン、およそ８．８％（ｗ／ｗ）のネラール、およそ１６．３％（ｗ／ｗ）のゲラニアール、およそ１８．５％（ｗ／ｗ）のジンギベレン、およそ０．２％（ｗ／ｗ）のネロール、およびおよそ１％（ｗ／ｗ）のゲラニオールを含んでいた。
【０３０８】
実施例８：本明細書に提示する態様による方法によってコーヒー豆から調製された抽出物
新鮮に焙煎したコーヒー豆を挽き、１時間あたり１２Ｋｇの速度でマイクロ波抽出装置内へ入れた。マイクロ波抽出装置の長さは２．５ｍであった。挽いた豆をバイオマス１キログラムあたり０．２４ＫＷＨの電力で１２０Ｗのマイクロ波エネルギーへ供して、留出分を得た一方で、マイクロ波抽出装置（例えば、図１および図２に関する）内のチャンバーの温度を摂氏７０〜９０度の温度に維持した。マイクロ波抽出装置を経たバイオマスの遷移時間はおよそ２０分であった。
【０３０９】
留出分をマイクロ波抽出装置の底部に重量測定によって収集し、留出分をＸＡＤ４樹脂カラムへ適用した。カラム内の樹脂をいったん飽和させると、樹脂カラムに結合した材料を、１時間あたりおよそ５床量の流量のエタノールを用いて脱離させ、総量を調整して、エタノール中に所望の濃度を有する精油を含んでいる組成物を結果として得た。ここで、樹脂カラムから精油を溶離するために、およそ３〜１５床量を必要とした。エタノール抽出物（マイクロ波抽出物１）および留出分（マイクロ波抽出物２）の組成をＧＣによって分析したので、結果を以下の表６に報告する。
【０３１０】
【表６−１】
2020531667.tif 000016
【０３１１】
【表６−２】
2020531667.tif 000017
【０３１２】
これらのデータは、本明細書に開示する方法が、およそ０．６％（ｗ／ｗ）の２，３−ペンタンジオン、２〜２．５％（ｗ／ｗ）のコーヒーフラノン、３〜４％（ｗ／ｗ）の２−メチルピラジン、０．５〜２％（ｗ／ｗ）のアセチルメチルカルビノール、０．５〜８％（ｗ／ｗ）のアセトール、およそ０．２％（ｗ／ｗ）の２−シクロペンテノン、およそ０．４％（ｗ／ｗ）の２−ヒドロキシ−３−ペンタノン、０．５〜１．５％（ｗ／ｗ）の１−ヒドロキシ−２−ブタノン、３〜５％（ｗ／ｗ）のフルフラール、およそ１．５％（ｗ／ｗ）のギ酸フルフリル、０．５〜３％（ｗ／ｗ）のプロパン酸、および３５〜４５％（ｗ／ｗ）のフルフリルアルコールを含んでいる、コーヒー豆由来の抽出物を再現可能に製造することができることを示唆している。
【０３１３】
比較として、市販の供給源由来の抽出物は、０．１％（ｗ／ｗ）のコーヒーフラノン、０．６％（ｗ／ｗ）の２−メチルピラジン、０．４％（ｗ／ｗ）のフルフラール、０．１％（ｗ／ｗ）のギ酸フルフリル、０．８％（ｗ／ｗ）のプロパン酸、２４％（ｗ／ｗ）のフルフリルアルコールを含んでいた。さらに、２，３−ペンタンジオン、アセチルメチルカルビノール、アセトール、２−シクロペンテノン、２−ヒドロキシ−３−ペンタノン、および１−ヒドロキシ−２−ブタノンは、不検出であった。
【０３１４】
本明細書に提示する態様による方法によって得られたコーヒー抽出物における差異は、新鮮なコーヒーの甘い香りと嗅覚上の特性とに寄与する揮発性化合物において、市販の抽出物とは異なる。
【０３１５】
本文書のいたるところで引用される公表物は、その全体が参照により本明細書に援用される。本発明の種々の態様が、例および好ましい実施形態に対する参照により、先に説明されてきたが、本発明の範囲が上述の明細書によってだけでなく、特許法の原理の下で適切に解釈される後述の特許請求の範囲によっても定められることは自明である。
【図１】
2020531667.tif 000018
【図２】
2020531667.tif 000019
【図３】
2020531667.tif 000020
【国際調査報告】
2020531667.tif 000021
2020531667.tif 000022
2020531667.tif 000023
2020531667.tif 000024
2020531667.tif 000025